(57)【要約】【課題】搬送路に詰まった紙葉類の取除作業を簡易化する。【解決手段】本発明は、紙葉類収納庫が収納される金庫筐体と、本装置に対し引出及び収納可能に設けられる処理ユニットと、処理ユニットに設けられ搬送路を形成する搬送部と、金庫筐体の天板に設けられ、紙葉類収納庫と搬送路との間で紙葉類を受け渡すための受渡部と、本装置に処理ユニットが収納される際、受渡部と搬送路とを接続用に位置決めする位置決め部とを設けることにより、本装置に処理ユニットが収納される際、受渡部と搬送路とを紙葉類を詰まらせずに受け渡しが可能なように接続して、搬送中の紙葉類が詰まったとしても、その箇所を処理ユニットの搬送路に制限することができ、その結果、本装置から処理ユニットのみを引き出させて搬送路から詰まった紙葉類を取り除かせて、搬送路に詰まった紙葉類の取除作業を簡易化することができる。【選択図】図２
2014123222.tif 000002
【特許請求の範囲】
【請求項１】
内部に紙葉類収納庫が設けられる金庫筐体と、
本装置に対し引出及び収納可能に設けられ、紙葉類を処理する処理ユニットと、
上記処理ユニットに設けられ、上記紙葉類を搬送するための搬送路を形成する搬送部と、
上記金庫筐体の天板に設けられ、上記紙葉類収納庫と上記搬送路との間で上記紙葉類を受け渡すための受渡部と、
上記本装置に上記処理ユニットが収納される際、上記受渡部と上記搬送路とを接続用に位置決めする位置決め部と
を具える紙葉類取扱装置。
【請求項２】
上記搬送部は、
上記処理ユニットに固定される固定搬送部と、
上記処理ユニットに開閉可能に設けられる開閉搬送部と
を具える請求項１に記載の紙葉類取扱装置。
【請求項３】
上記開閉搬送部の開角度を規制して、当該開閉搬送部が所定の開角度で開いた状態を維持するための上記開閉搬送部用の開角度規制部
を具える請求項２に記載の紙葉類取扱装置。
【請求項４】
上記開閉搬送部は、
上記固定搬送部に対して閉じられた場合、当該固定搬送部と共にループ状の上記搬送路を形成し、上記固定搬送部に対して開かれた場合、ループ状の上記搬送路の所定部分を他の部分から切り離し、
上記固定搬送部は、
ループ状の上記搬送路の上記他の部分として、上記紙葉類の搬送先を切り換えるための切換搬送路を形成する
請求項３に記載の紙葉類取扱装置。
【請求項５】
上記処理ユニットに、上記固定搬送部を境にして上記開閉搬送部が設けられた側とは反対側に設けられて上記切換搬送路に接続され、当該切換搬送路を介して搬送される上記紙葉類を一時的に保持する一時保持部と、
上記処理ユニットにおいて上記一時保持部及び上記固定搬送部の上側に設けられ、上記紙葉類を搬送するための上側搬送路を形成して、当該上側搬送路が上記切換搬送路に接続される上側搬送部と
を具える請求項４に記載の紙葉類取扱装置。
【請求項６】
上記一時保持部は、
上記処理ユニットに、上記固定搬送部を境にして、上記開閉搬送部と観音開きのような関係となるように開閉可能に設けられ、
上記上側搬送部は、
上記処理ユニットに、上記一時保持部の開閉方向と同一の開閉方向へ開閉可能に設けられる
請求項５に記載の紙葉類取扱装置。
【請求項７】
上記上側搬送部の開閉に連動させて上記一時保持部を開閉する開閉制御部
を具える請求項６に記載の紙葉類取扱装置。
【請求項８】
上記上側搬送部の開角度を規制して、当該上側搬送部が所定の開角度で開いた状態を維持するための上記上側搬送部用の開角度規制部
を具える請求項７に記載の紙葉類取扱装置。
【請求項９】
上記一時保持部の開角度を規制して、当該一時保持部が所定の開角度で開いた状態を維持するための上記一時保持部用の開角度規制部
を具える請求項８に記載の紙葉類取扱装置。
【請求項１０】
上記固定搬送部は、
所定の間隔で平行に配置され、間に上記搬送路の上記受渡部との接続用分岐部分を形成すると共に、当該受渡部側の端部が所定形状の一対の搬送ガイド
を具え、
上記受渡部は、
上記一対の搬送ガイドの上記間隔で平行にされ、上記搬送路の上記接続用分岐部分側の端部が上記一対の搬送ガイドの上記端部と嵌合可能な所定形状の一対の受渡ガイドと、
上記一対の受渡ガイドを平行にしたまま、上記一対の搬送ガイドの位置に応じて回動可能なように支持する支持部と
を具え、
上記位置決め部は、
上記本装置に上記処理ユニットが収納される際、上記一対の受渡ガイドを上記一対の搬送ガイドの位置に応じて回転させて上記受渡部を上記搬送路の上記接続用分岐部分との接続用に位置決めする
請求項２に記載の紙葉類取扱装置。
【請求項１１】
上記位置決め部は、
上記一対の受渡ガイドの回転を制御するための回転制御レバーと、
上記本装置に上記処理ユニットが収納される際、上記一対の搬送ガイドの位置に応じて、回転制御レバーを介して上記一対の受渡ガイドを回転させるアームと
を具える請求項１０に記載の紙葉類取扱装置。
【請求項１２】
上記処理ユニットは、
上記本装置に対し所定の一方向に移動して引き出され、また当該一方向と逆の他方向へ移動して収納されるように設けられ、
上記金庫筐体は、
複数の上記紙葉類収納庫が上記他方向へ順に並べるように収納され、
上記受渡部は、
上記金庫筐体の上記天板に、複数の上記紙葉類収納庫の個数分、当該紙葉類収納庫の収納位置に対応させて設けられ、
上記搬送部は、
上記固定搬送部において複数の上記受渡部と対応する位置にそれぞれ上記搬送路の上記接続用分岐部分を形成する上記一対の搬送ガイドが配置され、
上記位置決め部は、
複数の上記受渡部の上記一対の受渡ガイドの一方に、それぞれ上記回転制御レバーが上記他方向に沿って先端部を順に上記他方向と直交する直交方向へずらして位置させるように設けられ、上記固定搬送部において上記搬送路の複数の上記接続用分岐部分を形成する上記一対の搬送ガイドの一方に、それぞれ上記アームが上記他方向に沿って先端部を順に上記他方向と直交する直交方向へずらして位置させるように設けられる
請求項１１に記載の紙葉類取扱装置。
【発明の詳細な説明】
【技術分野】
【０００１】
本発明は紙葉類取扱装置に関し、例えば、金融機関の店舗内で受付窓口担当の行員、又は当該金融機関の店舗に訪れた顧客の操作に応じて、紙幣の入金処理及び出金処理を行う紙幣処理装置に適用して好適なものである。
【背景技術】
【０００２】
従来の現金自動取引装置は、複数の紙幣収納庫が設けられた金庫が配置されると共に、当該金庫の上に、紙幣の入出金口を有する上部紙幣機構が前後に移動して引出及び収納可能に設けられている。
【０００３】
また現金自動取引装置は、上部紙幣機構内に搬送部（以下、これを機構内搬送部とも呼ぶ）が設けられ、当該機構内搬送部により上部紙幣機構内で紙幣を、搬送方向を適宜変えて搬送するための搬送路（以下、これを機構内紙幣搬送路とも呼ぶ）を形成している。
【０００４】
さらに現金自動取引装置は、金庫内にも搬送部（以下、これを金庫内搬送部とも呼ぶ）が設けられ、当該金庫内搬送部により金庫内で紙幣を、搬送方向を適宜変えて搬送するための搬送路（以下、これを金庫内紙幣搬送路とも呼ぶ）を形成している。
【０００５】
さらにまた現金自動取引装置は、金庫の天板に穿設された孔部に受渡部が設けられ、当該受渡部により機構内紙幣搬送路から金庫内紙幣搬送路へ、また金庫内紙幣搬送路から機構内紙幣搬送路へ紙幣を受け渡すように搬送するための受渡路を形成している。
【０００６】
そして現金自動取引装置は、受渡路の下端が金庫内の金庫内紙幣搬送路に接続されると共に、当該受渡路の上端が機構内紙幣搬送路と適宜、切離可能に接続されている。
【０００７】
すなわち、現金自動取引装置は、上部紙幣機構がメンテナンス等のために引き出された場合、受渡路の上端から機構内紙幣搬送路を切り離すものの、当該上部紙幣機構が収納された場合は受渡路の上端に機構内紙幣搬送路を接続している。
【０００８】
このようにして現金自動取引装置は、上部紙幣機構が収納された状態では、入出金口に投入された紙幣を上部紙幣機構内で機構内紙幣搬送路を介して搬送した後、受渡路を介して金庫内の金庫内紙幣搬送路へ受け渡し、当該金庫内で金庫内紙幣搬送路を介して複数の紙幣収納庫へ搬送して収納していた。
【０００９】
また現金自動取引装置は、上部紙幣機構が収納された状態では、複数の紙幣収納庫から繰り出した紙幣を金庫内で金庫内紙幣搬送路を介して搬送した後、受渡路を介して上部紙幣機構内の機構内紙幣搬送路へ受け渡し、当該上部紙幣機構内で機構内紙幣搬送路を介して入出金口へ搬送し顧客に引き渡していた（例えば、特許文献１参照）。
【先行技術文献】
【特許文献】
【００１０】
【特許文献１】特開２００９−２０５２５２公報（第４頁乃至第８頁、図３、図５乃至図１３）
【発明の概要】
【発明が解決しようとする課題】
【００１１】
ところで、係る構成の現金自動取引装置では、例えば、折れ癖や曲がり癖のついている紙幣等のように、状態の比較的良くない紙幣を機構内紙幣搬送路や金庫内紙幣搬送路を介して搬送すると、その紙幣が機構内紙幣搬送路や金庫内紙幣搬送路において搬送方向を変えるような部分等で引っ掛かって詰まる、いわゆるジャムが発生する場合がある。
【００１２】
そして現金自動取引装置では、ジャムが発生した場合、装置を停止させて、機構内紙幣搬送路や金庫内紙幣搬送路から、そのジャムとなった（すなわち、詰まった）紙幣（以下、これをジャム紙幣とも呼ぶ）を取り除く必要がある。
【００１３】
ところが、現金自動取引装置は、上部紙幣機構に機構内搬送部が設けられているため、機構内紙幣搬送路でジャムが発生した場合、作業者に装置内から上部紙幣機構を引き出させたうえで、機構内紙幣搬送路からジャム紙幣を取り除かせるような取除作業を行わせることになる。
【００１４】
また現金自動取引装置は、金庫内に金庫内搬送部が設けられているため、金庫内紙幣搬送路でジャムが発生した場合、作業者に金庫内から金庫内搬送部を引き出させたうえで、金庫内紙幣搬送路からジャム紙幣を取り除かせるような取除作業を行わせることになる。
【００１５】
このため現金自動取引装置は、ジャムが発生した場合、ジャムの発生箇所に応じて作業者にジャム紙幣の取除作業の仕方を換えさせることになり、ジャム紙幣の取除作業が煩雑化するという問題があった。
【００１６】
本発明は以上の点を考慮してなされたもので、搬送路に詰まった紙葉類の取除作業を簡易化し得る紙葉類取扱装置を提案しようとするものである。
【課題を解決するための手段】
【００１７】
かかる課題を解決するため本発明においては、紙葉類収納庫が収納される金庫筐体と、本装置に対し引出及び収納可能に設けられ、紙葉類を処理する処理ユニットと、処理ユニットに設けられ、紙葉類を搬送するための搬送路を形成する搬送部と、金庫筐体の天板に設けられ、紙葉類収納庫と搬送路との間で紙葉類を受け渡すための受渡部と、本装置に処理ユニットが収納される際、受渡部と搬送路とを接続用に位置決めする位置決め部とを設けるようにした。
【００１８】
従って本発明では、本装置に処理ユニットが収納される際、受渡部と搬送路とを紙葉類を詰まらせずに受け渡しが可能なように接続して、搬送中の紙葉類が詰まったとしても、その紙葉類が詰まった箇所を処理ユニットの搬送路に制限することができ、その結果、搬送中の紙葉類が詰まっても、本装置から処理ユニットのみを引き出させて搬送路から詰まった紙葉類を取り除かせることができる。
【発明の効果】
【００１９】
本発明によれば、紙葉類収納庫が収納される金庫筐体と、本装置に対し引出及び収納可能に設けられ、紙葉類を処理する処理ユニットと、処理ユニットに設けられ、紙葉類を搬送するための搬送路を形成する搬送部と、金庫筐体の天板に設けられ、紙葉類収納庫と搬送路との間で紙葉類を受け渡すための受渡部と、本装置に処理ユニットが収納される際、受渡部と搬送路とを接続用に位置決めする位置決め部とを設けるようにしたことにより、本装置に処理ユニットが収納される際、受渡部と搬送路とを紙葉類を詰まらせずに受け渡しが可能なように接続して、搬送中の紙葉類が詰まったとしても、その紙葉類が詰まった箇所を処理ユニットの搬送路に制限することができ、その結果、搬送中の紙葉類が詰まっても、本装置から処理ユニットのみを引き出させて搬送路から詰まった紙葉類を取り除かせることができ、かくして搬送路に詰まった紙葉類の取除作業を簡易化し得る紙葉類取扱装置を実現することができる。
【図面の簡単な説明】
【００２０】
【図１】第１の実施の形態による紙幣処理装置の外観構成を示す略線的斜視図である。
【図２】第１の実施の形態による紙幣処理装置の内部構成を示す略線的側面図である。
【図３】連結部の構成を示す略線的斜視図である。
【図４】紙幣処理装置による入金処理（１）の説明に供する略線的側面図である。
【図５】紙幣処理装置による入金処理（２）の説明に供する略線的側面図である。
【図６】紙幣処理装置による出金処理の説明に供する略線的側面図である。
【図７】連結部による上部ユニット及び収納庫装填ケースの支持の説明に供する略線的正面図である。
【図８】装置筐体に対する上部ユニットの引出及び収納の説明に供する略線的側面図である。
【図９】金庫筐体に対する収納庫装填ケースの引出及び収納の説明に供する略線的側面図である。
【図１０】双方向受渡部の構成（１）を示す略線的斜視図である。
【図１１】双方向受渡部の構成（２）を示す略線的斜視図である。
【図１２】双方向受渡部の受渡ガイドの構成を示す略線的斜視図である。
【図１３】前側可動ガイド及び後側可動ガイドの回動の説明に供する略線図である。
【図１４】左側昇降制御レバー及び右側昇降制御レバーの回転に連動した左側位置決めピン及び右側位置決めピンの収納の説明に供する略線的側面図である。
【図１５】左側昇降制御レバー及び右側昇降制御レバーの回転に連動した左側位置決めピン及び右側位置決めピンの突き出しの説明に供する略線的側面図である。
【図１６】双方向受渡部の構成（３）を示す略線的斜視図である。
【図１７】双方向受渡路に対する切換搬送路及び後側搬送路と取込繰出搬送路との接続（１）の説明に供する略線的側面図である。
【図１８】双方向受渡路に対する切換搬送路及び後側搬送路と取込繰出搬送路との接続（２）の説明に供する略線的側面図である。
【図１９】双方向受渡路に対する切換搬送路及び後側搬送路と取込繰出搬送路との接続（３）の説明に供する略線的側面図である。
【図２０】双方向受渡部に対する紙幣収納庫の位置決めの説明に供する略線的側面図である。
【図２１】双方向受渡部に対する紙幣収納庫の位置決めの解除の説明に供する略線的側面図である。
【図２２】紙幣収納庫の構成を示す略線的斜視図である。
【図２３】上部ユニットの構成（１）を示す略線的側面図である。
【図２４】上部ユニットの構成（２）を示す略線的側面図である。
【図２５】上部ユニットにおける入出金搬送ユニット及び一時保持部の開閉の説明に供する略線的側面図である。
【図２６】上部ユニットにおける搬送ユニットガイド部の開閉の説明に供する略線的側面図である。
【図２７】上部ユニットにおける搬送ユニット本体部の開閉の説明に供する略線的側面図である。
【図２８】上部ユニットにおいて一時保持部、入出金搬送ユニット及び搬送ユニット本体部を開いた状態の説明に供する略線的側面図である。
【図２９】第２の実施の形態による紙幣処理装置の内部構成を示す略線的側面図である。
【図３０】上部ユニットの構成を示す略線的側面図である。
【図３１】上部ユニットにおける入出金搬送ユニット及び一時保持部の開閉の説明に供する略線的側面図である。
【図３２】他の実施の形態による一対の受渡ガイドの構成を示す略線的側面図である。
【発明を実施するための形態】
【００２１】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）他の実施の形態
【００２２】
（１）第１の実施の形態
（１−１）紙幣処理装置の外観構成
図１において、１は全体として第１の実施の形態による紙幣処理装置の外観構成を示す。かかる紙幣処理装置１は、例えば、金融機関の店舗内で受付窓口に設置され、受付窓口担当の行員が紙幣の入出金用に操作し、又は当該金融機関の店舗に訪れた顧客が紙幣の入出金用に操作する操作端末である。
【００２３】
紙幣処理装置１は、例えば、前後に長い略箱型の筐体（以下、これを装置筐体とも呼ぶ）２を有している。
【００２４】
装置筐体２は、前端から上前端部までに亘り開口部２Ａが形成されている。そして装置筐体２は、前端の下寄りにヒンジ部（図示せず）を介して四角形状の扉（以下、これを装置扉とも呼ぶ）３が開閉可能に（すなわち、開口部２Ａの一部分を開放及び閉塞可能）に設けられている。
【００２５】
因みに、以下の説明では、紙幣処理装置１を、装置筐体２の前端（すなわち、閉状態の装置扉３の表面）と対峙して見た場合の図中に矢印ａ１で示す左の方向を、装置左方向とも呼び、当該装置左方向とは逆の方向を、装置右方向とも呼ぶ。
【００２６】
そして、以下の説明では、装置左方向及び装置右方向を特に区別する必要がない場合、これらをまとめて装置左右方向とも呼ぶ。
【００２７】
また、以下の説明では、紙幣処理装置１を、装置筐体２の前端（すなわち、閉状態の装置扉３の表面）と対峙して見た場合の図中に矢印ｂ１で示す上の方向を、装置上方向とも呼び、当該装置上方向とは逆の方向を、装置下方向とも呼ぶ。
【００２８】
そして、以下の説明では、装置上方向及び装置下方向を特に区別する必要がない場合、これらをまとめて装置上下方向とも呼ぶ。
【００２９】
さらに、以下の説明では、紙幣処理装置１を、装置筐体２の前端（すなわち、閉状態の装置扉３の表面）と対峙して見た場合の図中に矢印ｃ１で示す手前の方向を、装置前方向とも呼び、当該装置前方向とは逆の方向を、装置後方向とも呼ぶ。
【００３０】
そして、以下の説明では、装置前方向及び装置後方向を特に区別する必要がない場合、これらをまとめて装置前後方向とも呼ぶ。
【００３１】
また装置筐体２は、略Ｊ字状のユニットカバー４が上前端部の上側へ突出するように設けられ、当該ユニットカバー４により、開口部２Ａにおいて装置扉３による閉塞部分を除く残りの部分が閉塞されている。
【００３２】
ユニットカバー４は、上面が後から前にかけて徐々に下がり垂直な前面に滑らかに繋がるように弓形状に形成され、当該上面に操作パネル５が設けられている。
【００３３】
操作パネル５は、表面が例えば、ユニットカバー４の上面の形状とほぼ等しい弓形状に形成され、その表面を当該上面とほぼ面一にしてユニットカバー４に設けられている。
【００３４】
そして操作パネル５の表面には、例えば、それぞれ左右に長い略長方形状の１個の紙幣投入口５Ａと２個の紙幣取出口５Ｂ、５Ｃとが後から前にかけて順に形成されている。
【００３５】
また操作パネル５の表面には、最も前に位置する紙幣取出口５Ｃの左前に、紙幣の入金及び出金の手順を案内するための案内画像を表示する液晶ディスプレイ又は有機ＥＬ（Electro  Luminescence）ディスプレイのような表示部６が配置されている。
【００３６】
さらに操作パネル５の表面には、最も前に位置する紙幣取出口５Ｃの右前に、例えば押下操作可能な複数の操作キーを有する操作部７が配置されている。
【００３７】
紙幣処理装置１は、係る構成のもと、表示部６に案内画像を表示すると共に、行員又は顧客による操作部７の操作に応じて当該表示部６に表示する案内画像を適宜切り換える。
【００３８】
そして紙幣処理装置１は、表示部６に適宜切り換えて表示する案内画像によって、行員又は顧客に紙幣の入金や出金の手順を案内する。
【００３９】
これにより紙幣処理装置１は、入金の際には、行員又は顧客に、案内画像による入金の手順の案内に従って、紙幣投入口５Ａに入金用の紙幣を投入させて、当該紙幣投入口５Ａに投入された紙幣を入金用に処理する。
【００４０】
また紙幣処理装置１は、出金の際には、行員又は顧客に、案内画像による出金の手順の案内に従って、操作部７を介して出金の金額を指定させて、その指定に応じて紙幣を出金用に処理する。
【００４１】
そして紙幣処理装置１は、行員又は顧客に、案内画像による出金の手順の案内に従って、２個の紙幣取出口５Ｂ、５Ｃの少なくとも一方から出金用の紙幣を取り出させる。
【００４２】
このようにして紙幣処理装置１は、行員又は顧客の操作に応じて、当該行員又は顧客が要求する紙幣の入金及び出金を行うことができる。
【００４３】
因みに、紙幣処理装置１は、図示してはいないが、ネットワークを介して金融機関の他の端末やホストコンピュータと通信可能に接続されている。
【００４４】
これにより紙幣処理装置１は、金融機関の他の端末やホストコンピュータとの間でネットワークを介して紙幣の入出金に関する情報等の各種情報を送受信し、また当該他の端末やホストコンピュータ側から操作することもできるようになされている。
【００４５】
（１−２）紙幣処理装置の内部構成
次いで、紙幣処理装置１の内部構成について説明する。図２に示すように、紙幣処理装置１の装置筐体２は、当該紙幣処理装置１全体を統括制御する制御部（図示せず）が収納されている。
【００４６】
また装置筐体２は、制御部の制御のもと、紙幣を入出金用に処理する上下２段の処理ユニット１０、１１が収納されている。
【００４７】
因みに、以下の説明では、上下２段の処理ユニット１０、１１のうち、上に位置する一方の処理ユニット１０を、上部ユニット１０とも呼ぶ。
【００４８】
また、以下の説明では、上下２段の処理ユニット１０、１１のうち、下に位置する他方の処理ユニット１１を、下部ユニット１１とも呼ぶ。
【００４９】
上部ユニット１０は、後述するフレーム（以下、これを上部フレームとも呼ぶ）を有している。上部フレームには、一時保持部１３、紙幣の搬送を中継して搬送先を適宜切り換える搬送部（以下、これを切換搬送部とも呼ぶ）１４、鑑別搬送ユニット１５が前から後にかけて順に設けられている。
【００５０】
また上部フレームには、一時保持部１３及び切換搬送部１４の上に入出金搬送ユニット１６が設けられている。
【００５１】
これにより上部ユニット１０は、全体が、入出金搬送ユニット１６の上端部を装置筐体２の上端よりも上側に突出させるような略Ｌ字状に形成されている。
【００５２】
そして上部ユニット１０は、上述したユニットカバー４（すなわち、操作パネル５が設けられたユニットカバー４）が、入出金搬送ユニット１６の上端から一時保持部１３の前端までを覆うように設けられている。
【００５３】
一時保持部１３は、切換搬送部１４から紙幣を取り込んで一時的に保持し、また、一時的に保持していた紙幣を切換搬送部１４へ繰り出すものである。
【００５４】
より具体的には、一時保持部１３は、複数のローラや、複数の搬送ベルト、１個の回転ドラム、一対又は複数対のテープリール、モータ等を有している。
【００５５】
そして一時保持部１３は、複数のローラや複数の搬送ベルトを介して取り込んだ紙幣を、一対又は複数対のテープリールから繰り出すテープの間に挟み込みながら、回転ドラムに巻き付けるようにして一時的に保持する。
【００５６】
また一時保持部１３は、回転ドラムを逆回転させながら、一対又は複数対のテープリールにテープを巻き取るようにして、そのテープの間から紙幣を取り出し複数のローラや複数の搬送ベルトを介して切換搬送部１４へ繰り出す。
【００５７】
鑑別搬送ユニット１５は、鑑別部１７と搬送部１８とが一体に設けられて形成されている。因みに、以下の説明では、上部フレームの後寄りに、鑑別搬送ユニット１５として鑑別部１７と一体に設けられた搬送部１８を、後側搬送部１８とも呼ぶ。
【００５８】
鑑別部１７は、後側搬送部１８によって搬送される紙幣を内部に通しながら、その紙幣の金種や状態等を鑑別するものである。
【００５９】
また後側搬送部１８は、複数の搬送ローラや複数の搬送ベルト、複数の搬送ガイド、複数の搬送方向切換ブレード、駆動モータ等の種々の搬送路形成部品を有している。
【００６０】
そして後側搬送部１８は、これら搬送路形成部品により紙幣を鑑別部１７に通すようにして装置前方向及び装置後方向へ搬送するための略コ字状の搬送路（以下、これを後側搬送路とも呼ぶ）１８Ａを形成している。
【００６１】
この場合、後側搬送路１８Ａは、紙幣を、鑑別部１７に通すようにして装置前方向及び装置後方向へ搬送する鑑別側部分と、紙幣を鑑別部１７よりも下側で装置前方向及び装置後方向へ搬送する鑑別下部分とを有している。
【００６２】
また後側搬送路１８Ａは、鑑別搬送ユニット１５の後端側に位置して鑑別側部分及び鑑別下部分に繋がり、紙幣を折り返すように搬送する折返部分も有している。
【００６３】
入出金搬送ユニット１６は、入出金部１９と搬送部２０とが一体に設けられて形成されている。因みに、以下の説明では、上部フレームの前上端部に、入出金搬送ユニット１６として入出金部１９と一体に設けられた搬送部２０を、上側搬送部２０とも呼ぶ。
【００６４】
入出金部１９は、上述した操作パネル５の１個の紙幣投入口５Ａに対応させて設けられた略箱型の１個の紙幣受取部２１と、当該操作パネル５の２個の紙幣取出口５Ｂ、５Ｃに対応させて設けられた略箱型の２個の紙幣引渡部２２、２３とを有している。
【００６５】
また入出金部１９は、紙幣受取部２１からの紙幣の繰出用の複数のローラや、紙幣引渡部２２、２３への紙幣の取込用の複数のローラ等も有している。
【００６６】
一方、上側搬送部２０は、複数の搬送ローラや複数の搬送ベルト、複数の搬送ガイド、複数の搬送方向切換ブレード、駆動モータ等の種々の搬送路形成部品を有している。
【００６７】
そして上側搬送部２０は、これら搬送路形成部品により、紙幣受取部２１から繰り出される紙幣を搬送するための搬送路（以下、これを上側繰出搬送路とも呼ぶ）２０Ａを形成している。
【００６８】
また上側搬送部２０は、これら搬送路形成部品により紙幣を２個の紙幣引渡部２２、２３への取込用に搬送するための例えば、略Ｙ字状の搬送路（以下、これを上側取込搬送路とも呼ぶ）２０Ｂを形成している。
【００６９】
切換搬送部１４は、外径が比較的大きな１個の搬送ローラや、これよりも外径の小さい複数の搬送ローラ、複数の搬送ベルト、複数の搬送ガイド、複数の搬送方向切換ブレード、駆動モータ等の種々の搬送路形成部品を有している。
【００７０】
そして切換搬送部１４は、これら搬送路形成部品により紙幣を、搬送先を適宜切り換えて搬送するための切換搬送路１４Ａを形成し、当該切換搬送路１４Ａを一時保持部１３、後側搬送路１８Ａ、上側繰出搬送路２０Ａ及び上側取込搬送路２０Ｂに接続している。
【００７１】
実際に切換搬送部１４は、外径の大きな１個の搬送ローラの周囲に外径の小さい複数の搬送ローラや複数の搬送ガイド、複数の搬送方向切換ブレード等を配置するようにして、略Ｕ字状の切換搬送路１４Ａを形成している。
【００７２】
よって切換搬送路１４Ａは、紙幣を入出金搬送ユニット１６側で装置前方向及び装置後方向へ搬送する上部分と、紙幣を当該上部分よりも下側で装置前方向及び装置後方向へ搬送する下部分とを有している。
【００７３】
また切換搬送路１４Ａは、上部分及び下部分に繋がり、前側に突出するような円弧状の円弧部分も有している。
【００７４】
そして切換搬送路１４Ａは、一端（すなわち、上部分の後端）及び他端（すなわち、下部分の後端）が後側搬送路１８Ａの一端及び他端に接続され、当該後側搬送路１８Ａと共に全体としてループ状の搬送路を形成している。
【００７５】
また切換搬送路１４Ａは、一時保持部１３との接続用に円弧部分の所定位置から分岐する接続用分岐部分も有し、当該接続用分岐部分の一端が一時保持部１３に接続されている。
【００７６】
さらに切換搬送路１４Ａは、上側繰出搬送路２０Ａとの接続用に上部分の所定位置から分岐する接続用分岐部分も有し、当該接続用分岐部分の一端が上側繰出搬送路２０Ａの一端に接続されている。
【００７７】
さらにまた切換搬送路１４Ａは、上側取込搬送路２０Ｂとの接続用に上部分と円弧部分との境界付近から分岐する接続用分岐部分も有し、当該接続用分岐部分の一端が上側取込搬送路２０Ｂの一端に接続されている。
【００７８】
因みに、切換搬送部１４、後側搬送部１８及び上側搬送部２０は、それぞれ駆動モータにより搬送ローラや搬送ベルト、搬送方向切換ブレード等を駆動して、紙幣を、搬送方向を適宜変えて搬送している。
【００７９】
一方、下部ユニット１１は、比較的厚い複数の金属板を組み合わせるようにして略箱型に形成された金庫筐体２６を有し、当該金庫筐体２６が上述した装置扉３に対応させて装置筐体２内の下端部に固設されている。
【００８０】
また金庫筐体２６内には、上端部が開放された略箱型の収納庫装填ケース２７が収納されている。収納庫装填ケース２７は、例えば、底面に所定高さを有する複数の仕切板（図示せず）が前側から後側へかけて所定の等間隔で順に植設されている。
【００８１】
これにより収納庫装填ケース２７は、これら複数の仕切板により底面が前から後にかけて順に複数の収納庫装填箇所に区切られている。
【００８２】
そして収納庫装填ケース２７は、最も前の収納庫装填箇所（すなわち、１箇所）に、破損している紙幣や折れ曲がっている紙幣等のような異常な紙幣を収納する紙幣収納庫２８が着脱可能に装填されている。
【００８３】
また収納庫装填ケース２７は、例えば、最も前の収納庫装填箇所を除く他の複数の収納庫装填箇所（例えば、５箇所）に、それぞれ入出金用の複数の紙幣を金種別に収納する（すなわち、それぞれ特定の１金種の紙幣のみを収納する）紙幣収納庫２９乃至３３が着脱可能に装填されている。
【００８４】
すなわち、収納庫装填ケース２７は、複数の収納庫装填箇所を利用して複数の紙幣収納庫２８乃至３３が前から後へ順に並べるようにして着脱可能に装填されている。
【００８５】
因みに、以下の説明では、上述の破損している紙幣や折れ曲がっている紙幣等のような異常な紙幣を、適宜、入金用及び出金用の紙幣とは区別してリジェクト紙幣とも呼ぶ。
【００８６】
また、以下の説明では、リジェクト紙幣を収納するための１個の紙幣収納庫２８を、入出金用の紙幣を金種別に収納する紙幣収納庫２９乃至３３とは区別して、特にリジェクト庫２８とも呼ぶ。
【００８７】
リジェクト庫２８は、上端部内に、複数の搬送ローラや複数の搬送ガイド等の種々の搬送路形成部品を有する搬送部（以下、これをリジェクト庫搬送部とも呼ぶ）２８Ａが一体に設けられている。
【００８８】
そしてリジェクト庫搬送部２８Ａは、これら搬送路形成部品により、リジェクト庫２８内にリジェクト紙幣を取り込むように搬送するための搬送路（以下、これを取込搬送路とも呼ぶ）２８ＡＸを形成している。
【００８９】
また複数の紙幣収納庫２９乃至３３は、それぞれ上端部内に、複数の搬送ローラや複数の搬送ガイド、駆動モータ等の種々の搬送路形成部品を有する搬送部（以下、これを収納庫搬送部とも呼ぶ）２９Ａ乃至３３Ａが一体に設けられている。
【００９０】
そして収納庫搬送部２９Ａ乃至３３Ａは、これら搬送路形成部品により、紙幣収納庫２９乃至３３内に紙幣を取り込み、また紙幣収納庫２９乃至３３内から紙幣を繰り出すように搬送するための搬送路（以下、これを取込繰出搬送路とも呼ぶ）２９ＡＸ乃至３３ＡＸを形成している。
【００９１】
ところで、金庫筐体２６内には、リジェクト庫２８及び複数の紙幣収納庫２９乃至３３が設けられているものの、そのリジェクト庫２８及び複数の紙幣収納庫２９乃至３３に対しリジェクト紙幣及び入出金用の紙幣を集配するように搬送するための搬送部は何ら設けられていない。
【００９２】
このため上部ユニット１０は、上述した切換搬送部１４及び後側搬送部１８が、リジェクト庫２８及び複数の紙幣収納庫２９乃至３３に対しリジェクト紙幣及び入出金用の紙幣を集配するように搬送するための搬送部として設けられている。
【００９３】
すなわち、切換搬送路１４Ａは、紙幣収納庫２９の取込繰出搬送路２９ＡＸとの接続用に、円弧部分において当該紙幣収納庫２９の収納庫搬送部２９Ａと対向する位置から分岐した接続用分岐部分を有している。
【００９４】
また切換搬送路１４Ａは、リジェクト庫２８の取込搬送路２８ＡＸとの接続用に円弧部分の所定位置から分岐して当該リジェクト庫２８のリジェクト庫搬送部２８Ａと対向する位置まで形成された接続用分岐部分も有している。
【００９５】
さらに後側搬送路１８Ａは、複数の紙幣収納庫３０乃至３３の取込繰出搬送路３０ＡＸ乃至３３ＡＸとの接続用に、鑑別下部分において当該複数の紙幣収納庫３０乃至３３の収納庫搬送部３０Ａ乃至３３Ａと対向する位置から分岐した複数の接続用分岐部分を有している。
【００９６】
そして金庫筐体２６の天板（以下、これを金庫天板とも呼ぶ）２６Ａには、切換搬送部１４及び後側搬送部１８と、リジェクト庫搬送部２８Ａ及び複数の収納庫搬送部２９Ａ乃至３３Ａとを連結するための連結部３５が設けられている。
【００９７】
図３に示すように、連結部３５は、例えば、略長方形状の１枚の金属板を加工して、金庫天板２６Ａの大きさとほほ同じ大きさに形成された連結筐体３６を有している。
【００９８】
連結筐体３６は、中央部分に前後に長い略長方形の平板状の取付部３６Ａが設けられている。また連結筐体３６は、取付部３６Ａの左端及び右端に、前後に長い略コ字状のユニット左支持部３６Ｂ及びユニット右支持部３６Ｃが、当該取付部３６Ａの上側へ突出するように垂設されている。
【００９９】
この場合、連結筐体３６のユニット左支持部３６Ｂは、装置前後方向と平行な中央部に対し前端部及び後端部が装置左方向へ直角に屈曲されている。
【０１００】
そして連結筐体３６は、ユニット左支持部３６Ｂの前後の屈曲部分の下側にそれぞれ当該屈曲部分を伸ばしたようなアングル状の所定長さのケース左前支持部３６ＢＸ及びケース左後支持部（図示せず）が下側へ突出するように設けられている。
【０１０１】
また連結筐体３６のユニット右支持部３６Ｃは、装置前後方向と平行な中央部に対し前端部及び後端部が装置右方向へ直角に屈曲されている。
【０１０２】
そして連結筐体３６は、ユニット右支持部３６Ｃの前後の屈曲部分の下側にそれぞれ当該屈曲部分を伸ばしたようなアングル状の所定長さのケース右前支持部３６ＣＸ及びケース右後支持部３６ＣＹが下側へ突出するように設けられている。
【０１０３】
ところで、金庫筐体２６の金庫天板２６Ａには、リジェクト庫２８のリジェクト庫搬送部２８Ａに対応させて、左右に長い略長方形状の連結孔部（以下、これをリジェクト庫用連結孔部とも呼ぶ）が穿設されている。
【０１０４】
また金庫筐体２６の金庫天板２６Ａには、複数の紙幣収納庫２９乃至３３の収納庫搬送部２９Ａ乃至３３Ａに対応させて、左右に長い略長方形状の複数の連結孔部（以下、これらをそれぞれ収納庫用連結孔部とも呼ぶ）が穿設されている。
【０１０５】
さらに金庫筐体２６の金庫天板２６Ａには、左前端部及び左後端部に左前挿入孔部及び左後挿入孔部が穿設されると共に、右前端部及び右後端部に右前挿入孔部及び右後挿入孔部が穿設されている。
【０１０６】
そして連結筐体３６は、取付部３６Ａに、金庫天板２６Ａのリジェクト庫用連結孔部に対応する、左右に長い長方形状の取付孔部（以下、これをリジェクト庫用取付孔部とも呼ぶ）が穿設されている。
【０１０７】
また連結筐体３６は、取付部３６Ａに、金庫天板２６Ａの最も後の１個の収納庫用連結孔部を除く他の複数の収納庫用連結孔部に対応する、左右に長い長方形状の複数の取付孔部（以下、これらをそれぞれ収納庫用取付孔部とも呼ぶ）も穿設されている。
【０１０８】
さらに連結筐体３６は、取付部３６Ａに、金庫天板２６Ａの最も後の１個の収納庫用連結孔部に対応する１個の取付切欠部（以下、これを収納庫用取付切欠部とも呼ぶ）が形成されている。
【０１０９】
これにより連結筐体３６は、金庫筐体２６の金庫天板２６Ａに対し、ケース左前支持部３６ＢＸ及びケース左後支持部並びにケース右前支持部３６ＣＸ及びケース右後支持部３６ＣＹを左前挿入孔部及び左後挿入孔部並びに右前挿入孔部及び右後挿入孔部に挿入して取付部３６Ａの下面を当該金庫天板２６Ａに当接させるようにして取り付けられている。
【０１１０】
このようにして連結部３５は、連結筐体３６のリジェクト庫用取付孔部及び複数の収納庫用取付孔部並びに収納庫用取付切欠部を、金庫天板２６Ａのリジェクト庫用連結孔部及び複数の収納庫用連結孔部に対向させている。
【０１１１】
また連結部３５は、連結筐体３６のケース左前支持部３６ＢＸ及びケース左後支持部並びにケース右前支持部３６ＣＸ及びケース右後支持部３６ＣＹの先端部を金庫筐体２６に差し入れている。
【０１１２】
さらに連結部３５は、切換搬送路１４Ａ及び後側搬送路１８Ａと、取込搬送路２８ＡＸ及び複数の取込繰出搬送路２９ＡＸ乃至３３ＡＸとの間で紙幣を受け渡すための複数の受渡部３９乃至４４を有している。
【０１１３】
そして連結部３５は、連結筐体３６に対し複数の受渡部３９乃至４４が、対応するリジェクト庫用取付孔部及び複数の収納庫用取付孔部並びに収納庫用取付切欠部を介して金庫天板２６Ａのリジェクト庫用連結孔部及び複数の収納庫用連結孔部に１個ずつ挿入するようにして取り付けられている。
【０１１４】
ここで、複数の受渡部３９乃至４４は、それぞれ複数の受渡ガイドや複数の受渡ローラ等の種々の受渡路形成部品を有している。
【０１１５】
金庫天板２６Ａのリジェクト庫用連結孔部に挿入された受渡部３９は、種々の受渡路形成部品により、リジェクト紙幣を切換搬送路１４Ａから対向するリジェクト庫２８の取込搬送路２８ＡＸへ受け渡すように一方向に搬送するための受渡路（以下、これを一方向受渡路とも呼ぶ）３９Ａ（図２）を形成している。
【０１１６】
そして一方向受渡路３９Ａは、上端部が切換搬送路１４Ａの対向する接続用分岐部分の下端部に接続される。
【０１１７】
また一方向受渡路３９Ａは、下端部が対向するリジェクト庫２８の取込搬送路２８ＡＸの上端部に接続される。
【０１１８】
因みに、以下の説明では、連結部３５に設けられ、一方向受渡路３９Ａを形成する受渡部３９を、一方向受渡部３９とも呼ぶ。
【０１１９】
また金庫天板２６Ａの最も前の１個の収納庫用連結孔部に挿入された受渡部４０は、種々の受渡路形成部品により、紙幣を切換搬送路１４Ａから対向する紙幣収納庫２９の取込繰出搬送路２９ＡＸへ受け渡し、また当該取込繰出搬送路２９ＡＸから切換搬送路１４Ａへ受け渡すように双方向に搬送するための受渡路４０Ａ（図２）を形成している。
【０１２０】
そして受渡路４０Ａは、上端部が切換搬送路１４Ａの対向する接続用分岐部分の下端部に接続される。また受渡路４０Ａは、下端部が対向する紙幣収納庫２９の取込繰出搬送路２９ＡＸの上端部に接続される。
【０１２１】
さらに金庫天板２６Ａの他の複数の収納庫用連結孔部に挿入された複数の受渡部４１乃至４４は、それぞれ種々の受渡路形成部品により、紙幣を後側搬送路１８Ａから対向する紙幣収納庫３０乃至３３の取込繰出搬送路３０ＡＸ乃至３３ＡＸへ受け渡し、また当該取込繰出搬送路３０ＡＸ乃至３３ＡＸから後側搬送路１８Ａへ受け渡すように双方向に搬送するための受渡路４１Ａ乃至４４Ａ（図２）を形成している。
【０１２２】
そして複数の受渡路４１Ａ乃至４４Ａは、それぞれ上端部が後側搬送路１８Ａの対向する接続用分岐部分の下端部に接続される。
【０１２３】
また複数の受渡路４１Ａ乃至４４Ａは、それぞれ下端部が対向する紙幣収納庫３０乃至３３の取込繰出搬送路３０ＡＸ乃至３３ＡＸの上端部に接続される。
【０１２４】
因みに、以下の説明では、連結部３５に設けられ、紙幣を受渡用に双方向へ搬送する複数の受渡部４０乃至４４を、それぞれ双方向受渡部４０乃至４４とも呼ぶ。
【０１２５】
また、以下の説明では、これら複数の双方向受渡部４０乃至４４によって形成される、紙幣を受渡用に双方向へ搬送するための受渡路４０Ａ乃至４４Ａを、それぞれ双方向受渡路４０Ａ乃至４４Ａとも呼ぶ。
【０１２６】
このようにして連結部３５は、金庫筐体２６内のリジェクト庫２８及び複数の紙幣収納庫２９乃至３３に対しリジェクト紙幣及び入出金用の紙幣を集配するように搬送するために上部ユニット１０に設けられた切換搬送部１４及び後側搬送部１８を、一方向受渡部３９及び複数の双方向受渡部４０乃至４４を介して、当該リジェクト庫２８及び複数の紙幣収納庫２９乃至３３のリジェクト庫搬送部２８Ａ及び複数の収納庫搬送部２９Ａ乃至３３Ａに連結している。
【０１２７】
これにより図４に示すように、制御部は、入金時、行員又は顧客により紙幣投入口５Ａに入金用の１又は複数の紙幣が投入されると、その入金用の紙幣を紙幣受取部２１で受け取り、当該紙幣受取部２１から１枚ずつ繰り出す。
【０１２８】
制御部は、紙幣受取部２１から１枚ずつ繰り出した紙幣を、上側繰出搬送路２０Ａ、切換搬送路１４Ａ及び後側搬送路１８Ａを順次介して鑑別部１７へ搬送して、当該鑑別部１７において、その紙幣の金種や状態等を鑑別させる。
【０１２９】
その結果、制御部は、鑑別部１７から正常であると鑑別されて繰り出された紙幣については、後側搬送路１８Ａ及び切換搬送路１４Ａを順次介して一時保持部１３へ搬送して一時的に保持させることにより、当該紙幣の入金を保留する。
【０１３０】
また制御部は、鑑別部１７から破損や折れ等により異常であると鑑別されて繰り出された紙幣については、リジェクト紙幣として後側搬送路１８Ａ、切換搬送路１４Ａ及び上側取込搬送路２０Ｂを順次介して２個の紙幣引渡部２２、２３の一方へ搬送する。
【０１３１】
これにより制御部は、行員又は顧客に２個の紙幣取出口５Ｂ、５Ｃの一方を介して紙幣引渡部２２、２３からリジェクト紙幣を取り出させるようにして返却する。
【０１３２】
そして図５に示すように、制御部は、鑑別部１７において、紙幣投入口５Ａに投入された入金用の紙幣が全て鑑別されると、正常であると鑑別された紙幣の総額（すなわち、入金の金額）を、表示部６を介して行員又は顧客に提示する。
【０１３３】
その結果、制御部は、入金の金額を確認した行員又は顧客により操作部７を介して紙幣の入金が指示されると、一時保持部１３から一時的に保持していた紙幣を、１枚ずつ繰り出す。
【０１３４】
また制御部は、その一時保持部１３から１枚ずつ繰り出した紙幣を、切換搬送路１４Ａ及び後側搬送路１８Ａを順次介して鑑別部１７へ搬送して、当該鑑別部１７において再び、その紙幣の金種や状態等を鑑別させる。
【０１３５】
そして制御部は、鑑別部１７から正常であると鑑別されて繰り出された紙幣については、後側搬送路１８Ａ及び双方向受渡路４１Ａ乃至４４Ａを順次介して、また後側搬送路１８Ａ、切換搬送路１４Ａ及び双方向受渡路４０Ａを順次介して当該紙幣の金種に応じた紙幣収納庫２９乃至３３へ搬送する。
【０１３６】
これにより制御部は、紙幣収納庫２９乃至３３において紙幣を、取込繰出搬送路２９ＡＸ乃至３３ＡＸを介して内部に取り込ませるようにして収納させる。
【０１３７】
ただし、制御部は、この際、鑑別部１７から異常であると鑑別されて繰り出された紙幣については、リジェクト紙幣として後側搬送路１８Ａ、切換搬送路１４Ａ及び一方向受渡路３９Ａを順次介してリジェクト庫２８へ搬送する。
【０１３８】
これにより制御部は、リジェクト庫２８においてリジェクト紙幣を、取込搬送路２８ＡＸを介して内部に取り込ませるようにして収納させて、当該リジェクト紙幣を、その後の出金処理には用いないようにする。
【０１３９】
このようにして制御部は、上部ユニット１０及び下部ユニット１１において入金処理を実行して紙幣の入金を行うことができる。
【０１４０】
一方、図６に示すように、制御部は、出金時、行員又は顧客により操作部７を介して出金の金額が指定されると、紙幣収納庫２９乃至３３の内部から取込繰出搬送路２９ＡＸ乃至３３ＡＸを介して、当該行員又は顧客により指定された金額分の紙幣を１枚ずつ繰り出す。
【０１４１】
また制御部は、紙幣収納庫２９乃至３３から１枚ずつ繰り出した紙幣を、双方向受渡路４０Ａ、切換搬送路１４Ａ及び後側搬送路１８Ａを順次介して、また双方向受渡路４１Ａ乃至４４Ａ及び後側搬送路１８Ａを順次介して鑑別部１７へ搬送して、当該鑑別部１７において紙幣の金種や状態等を鑑別させる。
【０１４２】
その結果、制御部は、鑑別部１７から正常であると鑑別されて繰り出された紙幣については、後側搬送路１８Ａ、切換搬送路１４Ａ及び上側取込搬送路２０Ｂを順次介して２個の紙幣引渡部２２、２３の一方へ搬送する。
【０１４３】
ただし、制御部は、この際、鑑別部１７から異常であると鑑別されて繰り出された紙幣については、リジェクト紙幣として後側搬送路１８Ａ、切換搬送路１４Ａ及び一方向受渡路３９Ａを順次介してリジェクト庫２８へ搬送する。
【０１４４】
これにより制御部は、リジェクト庫２８においてリジェクト紙幣を、取込搬送路２８ＡＸを介して内部に取り込ませるようにして収納させて、当該リジェクト紙幣を、その後の出金処理には用いないようにする。
【０１４５】
そして制御部は、紙幣引渡部２２、２３に、出金用に指定された金額分の紙幣を搬送し終えると、行員又は顧客に紙幣取出口５Ｂ、５Ｃを介して当該紙幣引渡部２２、２３から、その出金用に指定された金額分の紙幣を取り出させるようにして引き渡す。
【０１４６】
このようにして制御部は、上部ユニット１０及び下部ユニット１１において出金処理を実行して紙幣の出金を行うことができる。
【０１４７】
因みに、紙幣処理装置１は、切換搬送路１４Ａ、後側搬送路１８Ａ、上側繰出搬送路２０Ａ及び上側取込搬送路２０Ｂを介して長方形の紙幣を例えば、一方の短辺を左側に位置させ、かつ他方の短辺を右側に位置させて（すなわち、紙幣の長手方向を装置左右方向とほぼ平行にして）一方の長辺を搬送方向に向けた搬送姿勢で搬送している。
【０１４８】
なお、以下の説明では、紙幣の長手方向を、紙幣長手方向とも呼び、当該紙幣の短手方向を、紙幣短手方向とも呼ぶ。
【０１４９】
また紙幣処理装置１は、一方向受渡路３９Ａ、複数の双方向受渡路４０Ａ乃至４４Ａ、取込搬送路２８ＡＸ及び複数の取込繰出搬送路２９ＡＸ乃至３３ＡＸも長方形の紙幣を同様に一方の長辺を搬送方向に向けた搬送姿勢で搬送している。
【０１５０】
よって紙幣処理装置１では、上述した入金時及び出金時、一時保持部１３、鑑別部１７、紙幣受取部２１、紙幣引渡部２２、２３、リジェクト庫２８、複数の紙幣収納庫２９乃至３３により紙幣を、その搬送姿勢に応じて一方の短辺を左側に位置させ、かつ他方の短辺を右側に位置させた（すなわち、紙幣長手方向を装置左右方向とほぼ平行にした）姿勢で取り扱っている。
【０１５１】
ところで、金庫筐体２６は、装置筐体２に開閉可能に設けられた装置扉３と対向する前端部に図示しないヒンジ部を介して、四角形状の比較的厚い金属板でなる扉（以下、これを金庫扉とも呼ぶ）２６Ｂが開閉可能に設けられている。
【０１５２】
すなわち、金庫筐体２６は、当該金庫筐体２６を形成する複数の金属板のうち前板となる金属板が金庫扉２６Ｂとして開閉可能に設けられている。
【０１５３】
因みに、金庫筐体２６は、金庫扉２６Ｂが、装置筐体２に対する装置扉３の開閉方向と同一の開閉方向（例えば、金庫扉２６Ｂ及び装置扉３がともに左開き）で開閉可能に設けられている。
【０１５４】
また図７に示すように、上部ユニット１０は、ユニット載置部５０を有している。ユニット載置部５０は、前後に長い長方形状の底板５０Ａの左端及び右端に、それぞれ前後に長い短冊状の左側板５０Ｂ及び右側板５０Ｃが垂設されている。
【０１５５】
またユニット載置部５０は、左側板５０Ｂの上端に、前後に長い短冊状の左レール配置板５０ＢＸが左側に張り出すように設けられている。
【０１５６】
さらにユニット載置部５０は、右側板５０Ｃの上端に、前後に長い短冊状の右レール配置板５０ＣＸが右側に張り出すように設けられている。
【０１５７】
そしてユニット載置部５０は、底板５０Ａに上部ユニット１０が載置されている。またユニット載置部５０は、左レール配置板５０ＢＸの下面に左上スライドレール５１が、その長手方向を装置前後方向と平行にして配置されている。
【０１５８】
さらにユニット載置部５０は、右レール配置板５０ＣＸの下面に右上スライドレール５２が、その長手方向を装置前後方向と平行にして配置されている。
【０１５９】
一方、連結部３５の連結筐体３６は、ユニット左支持部３６Ｂの中央部の上端寄りに左上レールガイド５３が、その長手方向を装置前後方向と平行にして配置されている。
【０１６０】
また連結筐体３６は、ユニット右支持部３６Ｃの中央部の上端寄りに右上レールガイド５４が、その長手方向を装置前後方向と平行にして配置されている。
【０１６１】
そしてユニット載置部５０は、左上スライドレール５１及び右上スライドレール５２が、連結筐体３６の左上レールガイド５３及び右上レールガイド５４に係合されている。
【０１６２】
これにより連結部３５は、上部ユニット１０を、左上レールガイド５３及び右上レールガイド５４並びに左上スライドレール５１及び右上スライドレール５２を介して装置前方向及び装置後方向へ移動可能に支持している。
【０１６３】
一方、収納庫装填ケース２７は、例えば、左側板２７Ａが，右側板２７Ｂ、後板２７Ｃ及び前板（図示せず）の高さよりも低く形成されている。
【０１６４】
また収納庫装填ケース２７は、例えば、右側板２７Ｂ、後板２７Ｃ及び前板が等しい高さを有するものの、リジェクト庫２８や複数の紙幣収納庫２９乃至３３の高さよりも僅かに低く形成されている。
【０１６５】
さらに収納庫装填ケース２７は、左側板２７Ａの上端に、前後に長い短冊状の左レール配置板２７ＡＸが左側に張り出すように設けられている。
【０１６６】
さらに収納庫装填ケース２７は、右側板２７Ｂの上端に、前後に長い短冊状の右レール配置板２７ＢＸが右側に張り出すように設けられている。
【０１６７】
そして収納庫装填ケース２７は、左レール配置板２７ＡＸの下面に左下スライドレール５５が、その長手方向を装置前後方向と平行にして配置されている。
【０１６８】
また収納庫装填ケース２７は、右レール配置板２７ＢＸの下面に右下スライドレール５６が、その長手方向を装置前後方向と平行にして配置されている。
【０１６９】
連結筐体３６は、ケース左前支持部３６ＢＸ及びケース左後支持部の右面に前後に長いガイド支持板５７が取り付けられている。
【０１７０】
また連結筐体３６は、ガイド支持板５７の右面の所定位置に左下レールガイド５８が、その長手方向を装置前後方向と平行にして配置されている。
【０１７１】
さらに連結筐体３６は、ケース右前支持部３６ＣＸ及びケース右後支持部３６ＣＹの左側を向いた面に右下レールガイド５９が、その長手方向を装置前後方向と平行にして配置されている。
【０１７２】
そして収納庫装填ケース２７は、左下スライドレール５５及び右下スライドレール５６が、連結筐体３６の左下レールガイド５８及び右下レールガイド５９に係合されている。
【０１７３】
これにより連結部３５は、収納庫装填ケース２７を、左下レールガイド５８及び右下レールガイド５９並びに左下スライドレール５５及び右下スライドレール５６を介して装置前方向及び装置後方向へ移動可能に支持している。
【０１７４】
よって図８に示すように、装置筐体２は、作業者に当該装置筐体２内から上部ユニット１０を、その装置筐体２の前側に引き出させることができる。
【０１７５】
これにより装置筐体２は、当該装置筐体２の外部（前側）で上部ユニット１０をメンテナンスさせることができる。
【０１７６】
そして装置筐体２は、作業者に、前側に引き出していた上部ユニット１０を当該装置筐体２内に押し込ませるようにして収納させることができる。
【０１７７】
すなわち、装置筐体２は、作業者に上部ユニット１０を、ユニットカバー４の前面を装置扉３の表面と面一にして当該ユニットカバー４により開口部２ＡＸの上側の部分を閉塞する位置まで押し込ませるようにして、当該上部ユニット１０（すなわち、上部ユニット１０の後側）を収納させることができる。
【０１７８】
また図９に示すように、装置筐体２は、作業者に装置扉３を開かせ、さらに金庫扉２６Ｂも開かせて、金庫筐体２６内から収納庫装填ケース２７を当該装置筐体２の前側に引き出させることができる。
【０１７９】
これにより装置筐体２は、金庫筐体２６の外部（装置筐体２の前側）で収納庫装填ケース２７からリジェクト庫２８を引き抜かせてリジェクト紙幣を回収させ、また収納庫装填ケース２７に空のリジェクト庫２８を装填させることができる。
【０１８０】
また装置筐体２は、金庫筐体２６の外部（装置筐体２の前側）で収納庫装填ケース２７から、例えば、収納紙幣の枚数が規定枚数以下に減った又は空となった紙幣収納庫２９乃至３３を引き抜かせ、また収納庫装填ケース２７に、複数の紙幣を補充した紙幣収納庫２９乃至３３を装填させることができる。
【０１８１】
そして装置筐体２は、作業者に、前側に引き出していた収納庫装填ケース２７を金庫筐体２６内に押し込むようにして収納させることができ、そのうえで金庫扉２６Ｂ及び装置扉３を順に閉じさせる。
【０１８２】
ここで連結部３５は、一方向受渡部３９及び複数の双方向受渡部４０乃至４４において切換搬送部１４及び後側搬送部１８との搬送路接続部分を金庫天板２６Ａの上側に突出させている。
【０１８３】
因みに、一方向受渡部３９において切換搬送部１４との搬送路接続部分は、一方向受渡路３９Ａの上端部を形成している部分である。
【０１８４】
また複数の双方向受渡部４０乃至４４において切換搬送部１４及び後側搬送部１８との搬送路接続部分は、それぞれ双方向受渡路４０Ａ乃至４４Ａの上端部を形成している部分である。
【０１８５】
またユニット載置部５０の底板５０Ａには、例えば、切換搬送部１４及び後側搬送部１８において一方向受渡部３９及び複数の双方向受渡部４０乃至４４との複数の搬送路接続部分に対応する孔部が穿設されている。
【０１８６】
よってユニット載置部５０は、底板５０Ａの複数の孔部から切換搬送部１４及び後側搬送部１８の複数の搬送路接続部分を下側に突出させている。
【０１８７】
因みに、切換搬送部１４において一方向受渡部３９との搬送路接続部分は、切換搬送路１４Ａにおいて一方向受渡路３９Ａに対応する接続用分岐部分の下端部を形成している部分である。
【０１８８】
また切換搬送部１４において双方向受渡部４０との搬送路接続部分は、切換搬送路１４Ａにおいて双方向受渡路４０Ａに対応する接続用分岐部分の下端部を形成している部分である。
【０１８９】
さらに後側搬送部１８において複数の双方向受渡部４１乃至４４との複数の搬送路接続部分は、それぞれ後側搬送路１８Ａにおいて双方向受渡路４１Ａ乃至４４Ａに対応する接続用分岐部分の下端部を形成している部分である。
【０１９０】
そして装置筐体２は、上部ユニット１０が収納されている状態では、一方向受渡部３９及び複数の双方向受渡部４０乃至４４の上に、切換搬送部１４及び後側搬送部１８の対応する搬送路接続部分を位置させる。
【０１９１】
これにより連結部３５は、一方向受渡路３９Ａの上端部及び複数の双方向受渡路４０Ａ乃至４４Ａの上端部をそれぞれ切換搬送路１４Ａ及び後側搬送路１８Ａの対応する接続用分岐部分の下端部に接続することができる。
【０１９２】
また装置筐体２は、当該装置筐体２内から上部ユニット１０が引き出されると、一方向受渡部３９及び複数の双方向受渡部４０乃至４４の上から切換搬送部１４及び後側搬送部１８を前側に移動させることになる。
【０１９３】
よって連結部３５は、装置筐体２内から上部ユニット１０が引き出された場合、一方向受渡路３９Ａの上端部及び複数の双方向受渡路４０Ａ乃至４４Ａの上端部から切換搬送路１４Ａ及び後側搬送路１８Ａの対応する接続用分岐部分の下端部を全て切り離すことができる。
【０１９４】
そして装置筐体２は、当該装置筐体２内に上部ユニット１０が収納されると、再び一方向受渡部３９及び複数の双方向受渡部４０乃至４４の上に、切換搬送部１４及び後側搬送部１８の対応する搬送路接続部分を位置させる。
【０１９５】
これにより連結部３５は、一方向受渡路３９Ａの上端部及び複数の双方向受渡路４０Ａ乃至４４Ａの上端部をそれぞれ切換搬送路１４Ａ及び後側搬送路１８Ａの対応する接続用分岐部分の下端部に再び接続することができる。
【０１９６】
一方、連結部３５は、一方向受渡部３９及び複数の双方向受渡部４０乃至４４においてリジェクト庫搬送部２８Ａ及び複数の収納庫搬送部２９Ａ乃至３３Ａとの搬送路接続部分を金庫天板２６Ａの下側（すなわち、金庫筐体２６内）に突出させている。
【０１９７】
因みに、一方向受渡部３９においてリジェクト庫搬送部２８Ａとの搬送路接続部分は、一方向受渡路３９Ａの下端部を形成している部分である。
【０１９８】
また複数の双方向受渡部４０乃至４４において複数の収納庫搬送部２９Ａ乃至３３Ａとの搬送路接続部分は、それぞれ双方向受渡路４０Ａ乃至４４Ａの下端部を形成している部分である。
【０１９９】
また収納庫装填ケース２７は、装填されたリジェクト庫２８の上端部と共に、リジェクト庫搬送部２８Ａにおいて一方向受渡部３９との搬送路接続部分を右側板２７Ｂ、後板２７Ｃ及び前板の上端よりも上側に突出させている。
【０２００】
さらに収納庫装填ケース２７は、装填された複数の紙幣収納庫２９乃至３３の上端部と共に、複数の収納庫搬送部２９Ａ乃至３３Ａにおいて複数の双方向受渡部４０乃至４４との搬送路接続部分を右側板２７Ｂ、後板２７Ｃ及び前板の上端よりも上側に突出させている。
【０２０１】
因みに、リジェクト庫搬送部２８Ａにおいて一方向受渡部３９との搬送路接続部分は、取込搬送路２８ＡＸの上端部を形成している部分である。
【０２０２】
また複数の収納庫搬送部２９Ａ乃至３３Ａにおいて複数の双方向受渡部４０乃至４４との複数の搬送路接続部分は、それぞれ取込繰出搬送路２９ＡＸ乃至３３ＡＸの上端部を形成している部分である。
【０２０３】
そして装置筐体２は、金庫筐体２６内に収納庫装填ケース２７が収納されている状態では、一方向受渡部３９及び複数の双方向受渡部４０乃至４４の下に、対応するリジェクト庫搬送部２８Ａの搬送路接続部分及び複数の収納庫搬送部２９Ａ乃至３３Ａの搬送路接続部分を位置させる。
【０２０４】
これにより連結部３５は、一方向受渡路３９Ａの下端部及び複数の双方向受渡路４０Ａ乃至４４Ａの下端部を、対応する取込搬送路２８ＡＸの上端部及び複数の取込繰出搬送路２９ＡＸ乃至３３ＡＸの上端部に接続することができる。
【０２０５】
また収納庫装填ケース２７は、上述のように右側板２７Ｂ及び後板２７Ｃの高さがリジェクト庫２８及び複数の紙幣収納庫２９乃至３３の高さよりも低く選定されている。
【０２０６】
このため収納庫装填ケース２７は、金庫筐体２６内から右側板２７Ｂ及び後板２７Ｃを連結部３５に何ら引っ掛けることなく引き出させることができる。
【０２０７】
そして装置筐体２は、金庫筐体２６内から収納庫装填ケース２７が引き出されると、一方向受渡部３９及び複数の双方向受渡部４０乃至４４の下からリジェクト庫２８及び複数の紙幣収納庫２９乃至３３を前側に移動させることになる。
【０２０８】
よって連結部３５は、金庫筐体２６内から収納庫装填ケース２７が引き出された場合、一方向受渡路３９Ａの下端部及び複数の双方向受渡路４０Ａ乃至４４Ａの下端部から、対応する取込搬送路２８ＡＸの上端部及び複数の取込繰出搬送路２９ＡＸ乃至３３ＡＸの上端部を全て切り離すことができる。
【０２０９】
また装置筐体２は、金庫筐体２６内に収納庫装填ケース２７が収納されると、再び一方向受渡部３９及び複数の双方向受渡部４０乃至４４の下に、対応するリジェクト庫搬送部２８Ａの搬送路接続部分及び複数の収納庫搬送部２９Ａ乃至３３Ａの搬送路接続部分を位置させる。
【０２１０】
これにより連結部３５は、金庫筐体２６内に収納庫装填ケース２７が収納された場合、一方向受渡路３９Ａの下端部及び複数の双方向受渡路４０Ａ乃至４４Ａの下端部を、対応する取込搬送路２８ＡＸの上端部及び複数の取込繰出搬送路２９ＡＸ乃至３３ＡＸの上端部に再び接続することができる。
【０２１１】
ところで、紙幣処理装置１は、工場で、切換搬送路１４Ａ及び後側搬送路１８Ａの複数の接続用分岐部分の下端部から対応する一方向受渡路３９Ａ及び複数の双方向受渡路４０Ａ乃至４４Ａを介して取込搬送路２８ＡＸの上端部及び複数の取込繰出搬送路２９ＡＸ乃至３３ＡＸの上端部までを、それぞれ装置下方向に沿って直線的に接続するように、上部ユニット１０や複数の双方向受渡部４０乃至４４、一方向受渡部３９、収納庫装填ケース２７が位置決めされて組み立てられている。
【０２１２】
また紙幣処理装置１は、このようにして工場で組み立てられた後、国内や海外の金融機関の店舗内に設置されて使用される。
【０２１３】
そして紙幣処理装置１は、設置場所での使用中に上部ユニット１０や収納庫装填ケース２７が故障すると、その設置場所で例えば、現地の作業者により、故障した上部ユニット１０や収納庫装填ケース２７が新たなものに交換される。
【０２１４】
また紙幣処理装置１は、このように上部ユニット１０や収納庫装填ケース２７が故障したものから新たなものへと交換された際、交換後の上部ユニット１０や収納庫装填ケース２７の位置が改めて調整される。
【０２１５】
ここで、紙幣処理装置１は、上述のように上部ユニット１０及び収納庫装填ケース２７が共に、金庫筐体２６の金庫天板２６Ａに固定された連結筐体３６に支持されている。
【０２１６】
また紙幣処理装置１は、上部ユニット１０及び収納庫装填ケース２７と、連結筐体３６との間に介在するレールガイドやスライドレール（すなわち、左上レールガイド５３や左上スライドレール５１等）が高精度に形成されている。
【０２１７】
このため紙幣処理装置１は、設置場所で上部ユニット１０や収納庫装填ケース２７が交換された場合、現地の作業者に、当該上部ユニット１０や収納庫装填ケース２７の装置左右方向及び装置上下方向に対する位置については容易に精度良く調整させることができる。
【０２１８】
しかしながら紙幣処理装置１では、上部ユニット１０及び収納庫装填ケース２７の装置前後方向に対する位置については、一方向受渡部３９及び複数の双方向受渡部４０乃至４４のそれぞれについて満足するように調整する必要があり、調整作業が煩雑になる。
【０２１９】
このため紙幣処理装置１は、設置場所で上部ユニット１０や収納庫装填ケース２７が交換された場合、現地の作業者により、当該上部ユニット１０及び収納庫装填ケース２７の装置前後方向に対する位置が、組立時ほどには高精度に調整されない可能性がある。
【０２２０】
すなわち、紙幣処理装置１は、設置場所で現地の作業者により、交換後の上部ユニット１０や収納庫装填ケース２７の装置前後方向に対する位置が調整されても、調整後の位置が組立時の位置から装置前後方向へ僅かにずれている可能性がある。
【０２２１】
また紙幣処理装置１は、金融機関の店舗内で例えば、僅かに傾いている床に設置されると、上部ユニット１０や収納庫装填ケース２７の位置が組立時の位置から装置前後方向へずれる場合がある。
【０２２２】
このような場合も紙幣処理装置１は、設置場所で例えば、現地の作業者により上部ユニット１０や収納庫装填ケース２７の装置前後方向に対する位置が改めて調整される。
【０２２３】
しかしながら紙幣処理装置１は、この際も上述の故障による交換時と同様に、上部ユニット１０や収納庫装填ケース２７の調整後の位置が組立時の位置から装置前後方向へ僅かにずれている可能性がある。
【０２２４】
このため紙幣処理装置１は、上部ユニット１０や収納庫装填ケース２７の位置が組立時の位置から装置前後方向へ僅かにずれていても、連結部３５の一方向受渡部３９及び複数の双方向受渡部４０乃至４４が、一方向受渡路３９Ａ及び複数の双方向受渡路４０Ａ乃至４４Ａを切換搬送路１４Ａ及び後側搬送路１８Ａの対応する接続用分岐部分の下端部や取込搬送路２８ＡＸの上端部及び複数の取込繰出搬送路２９ＡＸ乃至３３ＡＸの上端部に接続可能なように形成されている。
【０２２５】
（１−３）連結部の構成
次いで、連結部３５の構成について説明する。連結部３５は、図３及び図７について上述したように連結筐体３６に一方向受渡部３９及び複数の双方向受渡部４０乃至４４が装置後方向に沿って順に取り付けられている。
【０２２６】
この場合、複数の双方向受渡部４０乃至４４は、基本的には同様に構成されている。ただし複数の双方向受渡部４０乃至４４のうち最も前に位置する１個の双方向受渡部４０及び最も後に位置する１個の双方向受渡部４４は、他の複数の双方向受渡部４１乃至４３に比して一部の部品を除いて構成されている。
【０２２７】
このため複数の双方向受渡部４０乃至４４の構成としては、例えば、前から２番目に位置する１個の双方向受渡部４１の構成について具体的に説明する。
【０２２８】
また他の複数の双方向受渡部４０、４２乃至４４の構成については、前から２番目に位置する１個の双方向受渡部４１とは異なる部分のみを説明する。
【０２２９】
図１０乃至図１２に示すように、前から２番目に位置する双方向受渡部４１には、例えば、ほぼ同一形状の略Ｌ字状の一対の金属板を組み合わせて左右に長い長方形状の枠部６０Ａを有するように形成された受渡部筐体６０が設けられている。
【０２３０】
受渡部筐体６０は、前板６０Ｂ及び後板６０Ｃの長さが紙幣の長辺の長さよりも長い所定の長さに選定されると共に、左側板６０Ｄ及び右側板６０Ｅの長さが前板６０Ｂ及び後板６０Ｃの長さよりも短い所定の長さに選定されている。
【０２３１】
また受渡部筐体６０の前板６０Ｂは、前寄り及び後寄りにそれぞれ形成された溝を利用して上端中央部（すなわち、中央の上半分）を装置前方向へ直角に折り曲げることにより、当該前板６０Ｂから前側に突出する前側取付部６０ＢＸが設けられると共に、その上端中央部に前側凹部６０ＢＹが設けられている。
【０２３２】
さらに受渡部筐体６０の後板６０Ｃは、前寄り及び後寄りにそれぞれ形成された溝を利用して上端中央部（すなわち、中央の上半分）を装置後方向へ直角に折り曲げるようにして、当該後板６０Ｃから後側に突出する後側取付部６０ＣＸが設けられると共に、その上端中央部に後側凹部６０ＣＹが設けられている。
【０２３３】
そして受渡部筐体６０は、前板６０Ｂの前側凹部６０ＢＹ及び後板６０Ｃの後側凹部６０ＣＹの長さ（すなわち、装置左右方向の長さ）が、紙幣の長辺の長さ以上の互いに等しい所定長さに選定されている。
【０２３４】
また受渡部筐体６０の左側板６０Ｄ及び右側板６０Ｅは、互いの内面（すなわち、対向する面）の中心よりも前側の対向位置に一対の左前軸受部６１及び右前軸受部（図示せず）が取り付けられている。
【０２３５】
さらに受渡部筐体６０の左側板６０Ｄ及び右側板６０Ｅは、互いの内面の中心よりも後側の対向位置に軸受取付孔部が穿設され、一対の左後軸受部６２及び右後軸受部（図示せず）が、これら軸受取付孔部に挿入するようにして取り付けられている。
【０２３６】
これにより受渡部筐体６０は、一対の左前軸受部６１及び右前軸受部の中心孔に前側ローラ軸６３の一端部及び他端部を挿入するようにして、当該一対の左前軸受部６１及び右前軸受部を介して前側ローラ軸６３を装置左右方向と平行にし、図中に矢印ｄ１で示す一回転方向、及びこれとは逆の他回転方向に回動可能に支持している。
【０２３７】
また受渡部筐体６０は、一対の左後軸受部６２及び右後軸受部の中心孔に後側ローラ軸６４の一端部及び他端部を挿入するようにして、当該一対の左後軸受部６２及び右後軸受部を介して後側ローラ軸６４を装置左右方向と平行にして一回転方向及び他回転方向に回動可能に支持している。
【０２３８】
そして前側ローラ軸６３は、受渡部筐体６０の左側板６０Ｄ及び右側板６０Ｅ間の中心位置から左側及び右側のそれぞれ等距離の位置に一対の受渡ローラ（以下、これを前側ローラとも呼ぶ）６５（一方のみ図示して他方は図示せず）が取り付けられている。
【０２３９】
また後側ローラ軸６４は、前側ローラ軸６３に取り付けられた一対の前側ローラ６５と対向する位置に一対の受渡ローラ（以下、これを後側ローラとも呼ぶ）６７、６８が取り付けられ、当該一対の後側ローラ６７、６８の周側面の一部を一対の前側ローラ６５の周側面の一部に押し付けている。
【０２４０】
さらに受渡部筐体６０は、左右に長い略コ字状の一対の前側ガイド保持部７０及び後側ガイド保持部７１を有している。
【０２４１】
前側ガイド保持部７０は、略短冊状の背板部７０Ａを前側に位置させ、当該背板部７０Ａの左端及び右端から後側に突出する左板部７０Ｂ及び右板部７０Ｃを介して一対の左前軸受部６１及び右前軸受部に、前側ローラ軸６３の回動からは独立して一回転方向及び他回転方向へ回動可能に取り付けられている。
【０２４２】
すなわち、受渡部筐体６０は、一対の左前軸受部６１及び右前軸受部を介して前側ガイド保持部７０を、前側ローラ軸６３を回動中心にするものの、当該前側ローラ軸６３からは独立して一回転方向及び他回転方向へ回動可能に支持している。
【０２４３】
また後側ガイド保持部７１は、略アングル状の背板部７１Ａを後側に位置させ、当該背板部７１Ａの左端及び右端から前側に突出する平板状の左板部７１Ｂ及び右板部７１Ｃを介して一対の左後軸受部６２及び右後軸受部に、後側ローラ軸６４の回動からは独立して一回転方向及び他回転方向へ回動可能に取り付けられている。
【０２４４】
すなわち、受渡部筐体６０は、一対の左後軸受部６２及び右後軸受部を介して後側ガイド保持部７１を、後側ローラ軸６４を回動中心にするものの、当該後側ローラ軸６４からは独立して一回転方向及び他回転方向へ回動可能に支持している。
【０２４５】
そして前側ガイド保持部７０は、紙幣の長辺の長さ以上の所定の長さを有する断面略Ｊ字状の受渡ガイド７２が、根元部を前側ローラ軸６３よりも後側に位置させて当該前側ガイド保持部７０の背板部７０Ａと平行にし、かつ先端部を当該根元部の前斜上で前側凹部６０ＢＹの底縁よりも上側に位置させるようにして取り付けられている。
【０２４６】
これにより受渡部筐体６０は、前側ガイド保持部７０と共に、当該前側ガイド保持部７０に保持された（すなわち、取り付けられた）受渡ガイド７２を一回転方向及び他回転方向へ回動可能に支持している。
【０２４７】
因みに、以下の説明では、前側ガイド保持部７０に保持され、一体に回動する受渡ガイド７２を、前側可動ガイド７２とも呼ぶ。
【０２４８】
前側可動ガイド７２は、根元部の一面の下縁部分が前斜下に徐々に傾斜するように弓形状に形成されると共に、先端部及び根元部の一面全体が装置左方向に沿って櫛歯状に形成されている。
【０２４９】
一方、後側ガイド保持部７１には、前側可動ガイド７２の長さと等しい長さを有する断面略Ｊ字状の受渡ガイド７３が、根元部を後側ローラ軸６４よりも前側に位置させて当該後側ガイド保持部７１の背板部７１Ａと平行にし、かつ先端部を当該根元部の後斜上で後側凹部６０ＣＹの底縁よりも上側に位置させるようにして取り付けられている。
【０２５０】
これにより受渡部筐体６０は、後側ガイド保持部７１と共に、当該後側ガイド保持部７１に保持された（すなわち、取り付けられた）受渡ガイド７３を一回転方向及び他回転方向へ回動可能に支持している。
【０２５１】
因みに、以下の説明では、後側ガイド保持部７１に保持され、一体に回動する受渡ガイド７３を、後側可動ガイド７３とも呼ぶ。
【０２５２】
後側可動ガイド７３は、根元部の一面の下縁部分が後斜下に徐々に傾斜するように弓形状に形成されると共に、先端部及び根元部の一面全体が装置左方向に沿って櫛歯状に形成されている。
【０２５３】
また受渡部筐体６０は、一対の左前軸受部６１及び右前軸受部に、紙幣の長辺の長さ以上の所定の長さを有する断面略Ｔ字状の受渡ガイド７４が、前側ローラ軸の後斜下で腕部の平坦な一面を垂直して後側に向け、かつ本体部を当該腕部よりも前側に位置させて固定されている。
【０２５４】
因みに、以下の説明では、受渡部筐体６０の一対の左前軸受部６１及び右前軸受部に固定された受渡ガイド７４を、前側固定ガイド７４とも呼ぶ。
【０２５５】
前側固定ガイド７４は、腕部の一面の上縁部分が前斜上に徐々に傾斜するように弓形状に形成されると共に、当該腕部の一面の下縁部分が前斜下に徐々に傾斜するように弓形状に形成されている。
【０２５６】
また前側固定ガイド７４は、腕部の一面全体が装置左方向に沿って櫛歯状に形成され、当該腕部の上端部を前側可動ガイド７２の根元部と噛み合わせるように嵌合させると共に、下端部を受渡部筐体６０の枠部６０Ａから下側に突出させている。
【０２５７】
さらに受渡部筐体６０は、一対の左後軸受部６２及び右後軸受部に、前側固定ガイド７４の長さと等しい長さを有する断面略Ｔ字状の受渡ガイド７５が、後側ローラ軸６４の前斜下で腕部の平坦な一面を垂直して当該前側固定ガイド７４の腕部の一面と対向させ（すなわち、前側に向け）、かつ本体部を腕部よりも後側に位置させて固定されている。
【０２５８】
因みに、以下の説明では、受渡部筐体６０の一対の左後軸受部６２及び右後軸受部に固定された受渡ガイド７５を、後側固定ガイド７５とも呼ぶ。
【０２５９】
すなわち、受渡部筐体６０には、前側固定ガイド７４と後側固定ガイド７５とが、互い腕部の一面を所定の間隔（例えば、５［ｍｍ］程度の間隔）で平行にして固設されている。
【０２６０】
後側固定ガイド７５は、腕部の一面の上縁部分が後斜上に徐々に傾斜するように弓形状に形成されると共に、当該腕部の一面の下縁部分が後斜下に徐々に傾斜するように弓形状に形成されている。
【０２６１】
また後側固定ガイド７５は、腕部の一面全体が装置左方向に沿って櫛歯状に形成され、当該腕部の上端部を後側可動ガイド７３の根元部と噛み合わせるように嵌合させると共に、下端部を受渡部筐体６０の枠部６０Ａから下側に突出させている。
【０２６２】
このようにして受渡部筐体６０には、前側固定ガイド７４が、前側可動ガイド７２の根元部の一面の平坦な部分を垂直にした場合に、当該根元部の一面の平坦な部分と前側固定ガイド７４の腕部の一面の平坦な部分とを面一にするように固定されている。
【０２６３】
また受渡部筐体６０には、後側固定ガイド７５が、後側可動ガイド７３の根元部の一面の平坦な部分を垂直にした場合に、当該根元部の一面の平坦な部分と後側固定ガイド７５の腕部の一面の平坦な部分とを面一にするように固定されている。
【０２６４】
そして前側可動ガイド７２は、先端部及び根元部の一面全体において、一対の前側ローラ６５と対向する位置にそれぞれ孔部が穿設されている。
【０２６５】
また前側固定ガイド７４は、腕部及び本体部において、一対の前側ローラ６５と対向する位置にそれぞれ切欠部が形成されている。
【０２６６】
これにより前側可動ガイド７２及び前側固定ガイド７４は、一対の前側ローラ６５の周側面の後側の部分を、対応する孔部及び切欠部を介して当該前側可動ガイド７２の根元部の一面及び前側固定ガイド７４の腕部の一面から後側に突出させている。
【０２６７】
さらに後側可動ガイド７３は、先端部及び根元部の一面全体において、一対の後側ローラ６７、６８と対向する位置にそれぞれ孔部が穿設されている。
【０２６８】
さらにまた後側固定ガイド７５は、腕部及び本体部において、一対の後側ローラ６７、６８と対向する位置にそれぞれ切欠部が形成されている。
【０２６９】
これにより後側可動ガイド７３及び後側固定ガイド７５は、一対の後側ローラ６７、６８の周側面の後側の部分を、対応する孔部及び切欠部を介して当該後側可動ガイド７３の根元部の一面及び後側固定ガイド７５の腕部の一面から前側に突出させている。
【０２７０】
これに加えて受渡部筐体６０は、左側板６０Ｄ及び右側板６０Ｅの上端中央部に所定の同一深さの左切欠部６０ＤＸ及び右切欠部６０ＥＸが形成されている。
【０２７１】
そして前側ガイド保持部７０は、左板部７０Ｂの外面において、前側可動ガイド７２の根元部の一面の平坦な部分を垂直にした（すなわち、装置上下方向と平行にした）場合に前側ローラ軸６３の真上となる縁部に円柱状の左前側連結ピン７７が植設されている。
【０２７２】
また前側ガイド保持部７０は、右板部７０Ｃの外面において、前側可動ガイド７２の根元部の一面の平坦な部分を垂直にした（すなわち、装置上下方向と平行にした）場合に前側ローラ軸６３の真上となる縁部にも円柱状の右前側連結ピン７８が植設されている。
【０２７３】
さらに後側ガイド保持部７１は、左板部７１Ｂの外面において、後側可動ガイド７３の根元部の一面の平坦な部分を垂直にした（すなわち、装置上下方向と平行にした）場合に後側ローラ軸６４の真上となる縁部に円柱状の左後側連結ピン７９が植設されている。
【０２７４】
さらにまた後側ガイド保持部７１は、右板部７１Ｃの外面において、後側可動ガイド７３の根元部の一面の平坦な部分を垂直にした（すなわち、装置上下方向と平行にした）場合に後側ローラ軸６４の真上となる縁部にも円柱状の右後側連結ピン８０が植設されている。
【０２７５】
そして前側ガイド保持部７０及び後側ガイド保持部７１の左前側連結ピン７７及び左後側連結ピン７９は、略短冊状の左側連結板８１の一端部及び他端部に穿設された孔部に挿入されている。
【０２７６】
また前側ガイド保持部７０及び後側ガイド保持部７１の右前側連結ピン７８及び右後側連結ピン８０は、略短冊状の右側連結板８２の一端部及び他端部に穿設された孔部に挿入されている。
【０２７７】
これにより前側ガイド保持部７０及び後側ガイド保持部７１は、左側連結板８１及び右側連結板８２を介して連結されている。
【０２７８】
ところで、左側連結板８１及び右側連結板８２は、前側ローラ軸６３及び後側ローラ軸６４の中心間距離よりも僅かに長い所定長さに選定されると共に、一端部及び他端部の孔部の中心間距離が当該前側ローラ軸６３及び後側ローラ軸６４の中心間距離と等しく選定されている。
【０２７９】
従って左側連結板８１及び右側連結板８２は、前側ガイド保持部７０及び後側ガイド保持部７１を介して前側可動ガイド７２及び後側可動ガイド７３を互いの根元部を平行にした状態で連結している。
【０２８０】
すなわち、左側連結板８１及び右側連結板８２は、前側可動ガイド７２及び後側可動ガイド７３を互いの根元部を、前側固定ガイド７４及び後側固定ガイド７５の腕部の間隔と等しい間隔で平行にした状態で連結している。
【０２８１】
これにより図１３（Ａ）及び（Ｂ）に示すように、前側可動ガイド７２及び後側可動ガイド７３は、左側連結板８１及び右側連結板８２と共に、前側ローラ軸６３及び後側ローラ軸６４を回動中心とする平行リンクを形成している。
【０２８２】
よって前側可動ガイド７２及び後側可動ガイド７３は、左側連結板８１及び右側連結板８２の連結により、互いの根元部を、前側固定ガイド７４及び後側固定ガイド７５の腕部の間隔と等しい間隔で平行にしたまま、前側ローラ軸６３及び後側ローラ軸６４を回動中心として一回転方向及び他回転方向へ回動することができる。
【０２８３】
このようにして双方向受渡部４１は、前側可動ガイド７２及び後側可動ガイド７３並びに前側固定ガイド７４及び後側固定ガイド７５と、一対の前側ローラ６５及び一対の後側ローラ６７、６８とにより、前側可動ガイド７２及び後側可動ガイド７３の間並びに前側固定ガイド７４及び後側固定ガイド７５の間に、紙幣を一対の前側ローラ６５及び一対の後側ローラ６７、６８を介して搬送する双方向受渡路４１Ａを形成している。
【０２８４】
すなわち、双方向受渡部４１は、前側可動ガイド７２及び後側可動ガイド７３の間並びに前側固定ガイド７４及び後側固定ガイド７５の間に、当該前側可動ガイド７２及び後側可動ガイド７３（前側固定ガイド７４及び後側固定ガイド７５）の装置左右方向の長さを受渡路横幅とし、かつ、これらの間隔を受渡路縦幅とする双方向受渡路４１Ａを形成している。
【０２８５】
そして双方向受渡部４１では、上述のように前側可動ガイド７２及び後側可動ガイド７３の根元部の一面の下縁部分が、互いの間隔を徐々に広げるように弓形状に形成されている。
【０２８６】
また双方向受渡部４１では、前側固定ガイド７４及び後側固定ガイド７５の腕部の上端部も、互いの間隔を徐々に広げるように弓形状に形成されている。
【０２８７】
そのうえで双方向受渡部４１では、前側可動ガイド７２及び後側可動ガイド７３の根元部と前側固定ガイド７４及び後側固定ガイド７５の腕部とを櫛歯状の部分を噛み合わせるように嵌合させている。
【０２８８】
さらに双方向受渡部４１は、前側可動ガイド７２及び後側可動ガイド７３を、前側固定ガイド７４及び後側固定ガイド７５の間隔と等しい間隔で平行にしたまま回動可能にしている。
【０２８９】
よって双方向受渡部４１は、前側可動ガイド７２及び後側可動ガイド７３を垂直な姿勢から前側や後側へ傾けた場合でも、当該前側可動ガイド７２及び後側可動ガイド７３と前側固定ガイド７４及び後側固定ガイド７５との嵌合部分で、双方向受渡路４１Ａ内に、これらの根元部や腕部が突出することを防止している。
【０２９０】
ところで、受渡部筐体６０は、例えば、後板６０Ｃの内面に、左右に長い短冊状のばね係止板８３が、その上端部を後側凹部６０ＣＹの縁から僅かに上に突出させるようにして（すなわち、後側凹部６０ＣＹの縁よりも上で、かつ前側可動ガイド７２及び後側可動ガイド７３の先端部よりも下に位置させるようにして）取り付けられている。
【０２９１】
そして受渡部筐体６０は、例えば、ばね係止板８４の前面において後側ローラ軸６４よりも上側の所定位置に、圧縮コイルばね（又はトーションばね）のような一対のばね８４Ａ、８４Ｂの一端が係止されると共に、後側ガイド保持部７１の背板部７１Ａの所定位置（すなわち、後側ローラ軸６４よりも上側の所定位置）に当該ばね８４Ａ、８４Ｂの他端が係止されている。
【０２９２】
これにより受渡部筐体６０は、ばね８４Ａ、８４Ｂにより後側ガイド保持部７１において後側ローラ軸６４よりも上側の所定位置を前側に押すようにしている。
【０２９３】
よって受渡部筐体６０は、ばね８４Ａ、８４Ｂにより後側ガイド保持部７１を、後側ローラ軸６４を中心にして一回転方向へ回転させるように付勢すると共に、これに伴い、当該後側ガイド保持部７１に連結された前側ガイド保持部７０も前側ローラ軸６３を中心にして一回転方向へ回転させるように付勢している。
【０２９４】
そして受渡部筐体６０は、後述するように装置筐体２から上部ユニット１０が引き出された状態では、ばね８４Ａ、８４Ｂの付勢により後側ガイド保持部７１と共に前側ガイド保持部７０を一回転方向へ回転させて、前側可動ガイド７２及び後側可動ガイド７３を垂直な姿勢から前側に傾斜させている。
【０２９５】
また受渡部筐体６０は、例えば、右側板６０Ｅの後端部にレバー挿入孔部が穿設されている。さらに後側ガイド保持部７１の背板部７１Ａには、双方向受渡部４１に対応する後側搬送部１８の搬送路接続部分の位置に応じて当該後側ガイド保持部７１を回転させるための回転制御レバー８５が取り付けられている。
【０２９６】
この場合、回転制御レバー８５は、所定長さの短冊板状の腕部の根元部分が後側ガイド保持部７１の背板部７１Ａに接合され、当該腕部の先端部分を受渡部筐体６０の右側板６０Ｅのレバー挿入孔部に通して右側に突出させている。
【０２９７】
また回転制御レバー８５は、腕部の先端に略Ｌ字板状の受部が、当該腕部から上側に立ち上がり、その受突起を前側に向けるようにして設けられている。そして回転制御レバー８５は、受部の形状及び寸法が適宜選定されている。
【０２９８】
これにより回転制御レバー８５は、後側ガイド保持部７１に対し例えば、受突起の先端を、前側可動ガイド７２及び後側可動ガイド７３の受渡路縦幅の方向と垂直で、かつ当該前側可動ガイド７２及び後側可動ガイド７３の受渡路縦幅のセンターに位置するような仮想平面と面一にして取り付けられている。
【０２９９】
また受渡部筐体６０は、左右に長いピン保持部８６を有している。ピン保持部８６は、略コ字状の胴体板の下端部に短冊状のピン取付板が後側に突出するように設けられている。
【０３００】
そしてピン保持部８６は、ピン取付板の下面の左寄り及び右寄りの所定位置にそれぞれ円柱状の左側位置決めピン８７及び右側位置決めピン８８が下側に突出するように植設されている。
【０３０１】
この場合、左側位置決めピン８７及び右側位置決めピン８８は、それぞれ先端部が、先端にかけて徐々に径を細くするようにテーパ状に形成されている。
【０３０２】
またピン保持部８６は、ピン取付板の左端及び右端にそれぞれ短冊状の左側軸取付板及び右側軸取付板が後側に突出するように設けられている。
【０３０３】
そしてピン保持部８６は、左側軸取付部の外面に例えば、直径の等しい２本の左上ガイド軸（図示せず）及び左下ガイド軸９０が、装置下方向に沿って所定の間隔で植設されている。
【０３０４】
またピン保持部８６は、右側軸取付部の外面にも、例えば、直径の等しい２本の右上ガイド軸及び右下ガイド軸（何れも図示せず）が、装置下方向に沿って所定の間隔で植設されている。
【０３０５】
そして受渡部筐体６０は、左側板６０Ｄ及び右側板６０Ｅの前端部に上下に長い左側昇降ガイド孔部及び右側昇降ガイド孔部が対向させて穿設されている。
【０３０６】
よってピン保持部８６は、前側ガイド保持部７０と受渡部筐体６０の前板６０Ｂとの間にピン取付板を介在させた状態で左上ガイド軸及び左下ガイド軸９０を左側板６０Ｄの左側昇降ガイド孔部に通して左側に突出させると共に、右上ガイド軸及び右下ガイド軸を右側板６０Ｅの右側昇降ガイド孔部に通して右側に突出させている。
【０３０７】
そのうえでピン保持部８６は、左上ガイド軸及び左下ガイド軸９０に、それぞれ直径の等しいガイドローラ９１、９２が、当該左上ガイド軸及び左下ガイド軸９０を中心にして回動可能に取り付けられて受渡部筐体６０の左側板６０Ｄの左側昇降ガイド孔部に係合されている。
【０３０８】
またピン保持部８６は、右上ガイド軸及び右下ガイド軸にも、それぞれ直径の等しいガイドローラ（何れも図示せず）が、当該右上ガイド軸及び右下ガイド軸を中心にして回動可能に取り付けられて受渡部筐体６０の右側板６０Ｅの右側昇降ガイド孔部に係合されている。
【０３０９】
これにより受渡部筐体６０は、ピン保持部８６を上下に昇降可能に保持して、当該ピン保持部８６を下降させて左側位置決めピン８７及び右側位置決めピン８８を枠部６０Ａの下側に突き出し、また上昇させて当該左側位置決めピン８７及び右側位置決めピン８８を枠部６０Ａ内に収納することができる。
【０３１０】
因みに、ピン保持部８６は、上昇して左側位置決めピン８７及び右側位置決めピン８８を受渡部筐体６０の枠部６０Ａ内に収納した状態では、胴体板が当該受渡部筐体６０の前側凹部６０ＢＹの底縁よりも上側に突出しないように当該本体部の高さが適宜選定されている。
【０３１１】
また受渡部筐体６０は、左側板６０Ｄ及び右側板６０Ｅの外面において一対の左後軸受部６２及び右後軸受部の後斜下に左側軸挿入孔部及び右側軸挿入孔部が対向させて穿設されている。
【０３１２】
そして受渡部筐体６０は、レバー回動軸９４が左側板６０Ｄの左側軸挿入孔部から右側板６０Ｅの右側軸挿入孔部にかけて挿入されている。
【０３１３】
これにより受渡部筐体６０は、レバー回動軸９４の一端部を左側軸挿入孔部から左側に突出させると共に、他端部を右側軸挿入孔部から右側に突出させて、当該レバー回動軸９４を左側軸挿入孔部及び右側軸挿入孔部を介して一回転方向及び他回転方向へ回動可能に支持している。
【０３１４】
また受渡部筐体６０は、ピン保持部８６と共に左側位置決めピン８７及び右側位置決めピン８８の昇降を制御するための略アングル状の一対の左側昇降制御レバー９５及び右側昇降制御レバー９６を有している。
【０３１５】
この場合、左側昇降制御レバー９５は、略コ字平板状の筐体取付部の下端に略Ｌ字平板状の連結部が左側に突出するように設けられている。
【０３１６】
左側昇降制御レバー９５は、筐体取付部の後端部に左側及び前側へと順に折り返すようにして形成された略コ字状の軸係止部が設けられている。
【０３１７】
そして左側昇降制御レバー９５は、軸係止部の左板及び右板に一対の軸係止孔部が対向させて穿設され、当該一対の軸係止孔部にレバー回動軸９４の一端部が右から順に差し込まれて係止されている。
【０３１８】
これにより受渡部筐体６０は、左側昇降制御レバー９５を、レバー回動軸９４を中心にして一回転方向及び他回転方向へ回動可能に支持している。
【０３１９】
また左側昇降制御レバー９５は、筐体取付部の前端部に軸係合孔部が穿設され、当該軸係合孔部にピン保持部８６の左下ガイド軸９０が挿入されて係合されている。
【０３２０】
さらに受渡部筐体６０は、左側板６０Ｄの上端前寄り（すなわち、左側昇降ガイド孔部の真上）に左側ばね係止部６０ＤＹが左側に突出するように設けられている。
【０３２１】
そして左側昇降制御レバー９５は、コイルばね９７の一端部が、左下ガイド軸９０において筐体取付部の左側に突出した部分に係止されると共に、当該コイルばね９７の他端部が受渡部筐体６０の左側ばね係止部６０ＤＹに係止されている。
【０３２２】
これにより左側昇降制御レバー９５は、コイルばね９７により左下ガイド軸９０と共に筐体取付部を上側に引き上げるようにして他回転方向へ回転するように付勢されている。
【０３２３】
さらに左側昇降制御レバー９５は、連結部の左側突出部の先端にピン取付部が下側に突出するように設けられ、当該ピン取付部の左側を向く外面に円柱状の連結ピン９８が、左側へ突出するように植設されている。
【０３２４】
一方、右側昇降制御レバー９６は、左側昇降制御レバー９５を左右反転させたような構成と基本的には同様に構成されている。
【０３２５】
すなわち、右側昇降制御レバー９６は、略コ字平板状の筐体取付部の下端に略Ｌ字平板状の連結部が右側に突出するように設けられている。
【０３２６】
右側昇降制御レバー９６は、筐体取付部の後端部に右側及び前側へと順に折り返すようにして形成された略コ字状の軸係止部が設けられている。
【０３２７】
そして右側昇降制御レバー９６は、軸係止部の左板及び右板に一対の軸係止孔部が対向させて穿設され、左側昇降制御レバー９５と姿勢を合わせた状態で当該一対の軸係止孔部にレバー回動軸９４の他端部が左から順に差し込まれて係止されている。
【０３２８】
これにより受渡部筐体６０は、左側昇降制御レバー９５と共に右側昇降制御レバー９６も互いの姿勢を合わせた状態でレバー回動軸９４を中心にして一回転方向及び他回転方向へ回動可能に支持している。
【０３２９】
また右側昇降制御レバー９６は、筐体取付部の前端部に軸係合孔部が穿設され、当該軸係合孔部にピン保持部８６の右下ガイド軸が挿入されて係合されている。
【０３３０】
さらに受渡部筐体６０は、右側板６０Ｅの上端前寄り（すなわち、右側昇降ガイド孔部の真上）に右側ばね係止部６０ＥＹが右側に突出するように設けられている。
【０３３１】
そして右側昇降制御レバー９６は、上述のコイルばね９７と同様な弾性力を有するコイルばね９９の一端部が、右下ガイド軸において筐体取付部の右側に突出した部分に係止されると共に、当該コイルばね９９の他端部が受渡部筐体６０の右側ばね係止部６０ＥＹに係止されている。
【０３３２】
これにより右側昇降制御レバー９６は、コイルばね９９により右下ガイド軸と共に筐体取付部を上側に引き上げるようにして他回転方向へ回転するように付勢されている。
【０３３３】
因みに、右側昇降制御レバー９６は、左側昇降制御レバー９５とは異なり、連結部の右側突出部の長さが短く、かつピン取付部及び連結ピンが設けられずに構成されている。
【０３３４】
受渡部筐体６０は、係る構成により、左側昇降制御レバー９５及び右側昇降制御レバー９６を互いの姿勢を合わせた状態で一回転方向及び他回転方向へ回転させる。
【０３３５】
よって受渡部筐体６０は、左側昇降制御レバー９５及び右側昇降制御レバー９６の回転に連動させてピン保持部８６を、当該ピン保持部８６の長手方向を装置左右方向とほぼ平行にしたまま（すなわち、左側位置決めピン８７及び右側位置決めピン８８の長手方向を装置上下方向とほぼ平行にしたまま）上昇及び下降させることができる。
【０３３６】
そして図１４に示すように、受渡部筐体６０は、左側昇降制御レバー９５及び右側昇降制御レバー９６が共に他回転方向へ回転すると、これに連動させてピン保持部８６を押し上げるようにして上昇させて、左側位置決めピン８７及び右側位置決めピン８８を枠部６０Ａ内に収納することができる。
【０３３７】
また図１５に示すように、受渡部筐体６０は、左側昇降制御レバー９５及び右側昇降制御レバー９６が共に一回転方向へ回転すると、これに連動させてピン保持部８６を引き下げるようにして下降させて、左側位置決めピン８７及び右側位置決めピン８８を枠部６０Ａから突き出させることができる。
【０３３８】
さらに受渡部筐体６０は、例えば、左側板６０Ｄの外面において後側ローラ軸６４よりも下側で、かつ当該後側ローラ軸６４よりも前側及び後側のそれぞれ等距離の位置に前側プーリ支持軸１００及び後側プーリ支持軸１０１が植設されている。
【０３３９】
そして双方向受渡部４１の受渡部筐体６０は、図３について上述したように前側取付部６０ＢＸ及び後側取付部６０ＣＸを介して連結筐体３６に取り付けられ、前側可動ガイド７２及び後側可動ガイド７３の先端部を金庫天板２６Ａの上側に突出させると共に、前側固定ガイド７４及び後側固定ガイド７５の腕部の下端部を当該金庫天板２６Ａの下側に突出させている。
【０３４０】
ところで、複数の双方向受渡部４０乃至４４のうち、前から３番目及び４番目に位置する双方向受渡部４２及び４３は、前から２番目に位置する上述の双方向受渡部４１と同様に構成されている。
【０３４１】
また最も前に位置する１個の双方向受渡部４０は、受渡部筐体に前側プーリ支持軸１００が設けられていない点を除いて、前から２番目に位置する上述の双方向受渡部４１と同様に構成されている。
【０３４２】
さらに最も後に位置する１個の双方向受渡部４４は、受渡部筐体に後側プーリ支持軸１０１が設けられていない点を除いて、前から２番目に位置する上述の双方向受渡部４１と同様に構成されている。
【０３４３】
すなわち、図３及び図１６に示すように、複数の双方向受渡部４０乃至４４は、後側ローラ軸６４において受渡部筐体６０の左側板６０Ｄから左側に突出している部分に左右に２本の駆動ベルト１０５をかけることが可能な駆動プーリ１０７が取り付けられている。
【０３４４】
また複数の双方向受渡部４０乃至４４は、前側プーリ支持軸１００及び後側プーリ支持軸１０１にそれぞれ１本の駆動ベルトにテンションをかけるためのテンションプーリ１０８が一回転方向及び他回転方向に回動可能に取り付けられている。
【０３４５】
これにより複数の双方向受渡部４０乃至４４は、例えば、１個前の双方向受渡部４０乃至４３との間で共に駆動プーリ１０７の右側に駆動ベルト１０５がかけられた場合、１個後の双方向受渡部４１乃至４４との間では共に駆動プーリ１０７の左側に駆動ベルト１０５がかけられている。
【０３４６】
また複数の双方向受渡部４０乃至４４は、駆動プーリ１０７にかけられた駆動ベルト１０５の下側をテンションプーリ１０８で押し上げるようにして、当該駆動ベルト１０５に所定のテンションをかけている。
【０３４７】
そして複数の双方向受渡部４０乃至４４のうち例えば、最も前に位置する１個の双方向受渡部４０には、受渡部筐体６０の左側にギアや駆動プーリ、駆動ベルト等を有する駆動伝達部１１０が配置されている。
【０３４８】
よって最も前に位置する１個の双方向受渡部４０は、装置筐体２に上部ユニット１０が収納された場合、例えば、切換搬送部１４に設けられた駆動伝達ギアを駆動伝達部１１０のギアと連結する。
【０３４９】
これにより最も前に位置する１個の双方向受渡部４０は、入金時や出金時、切換搬送部１４から駆動伝達ギアを介して伝達される駆動モータの駆動力を、駆動伝達部１１０においてギアで受けると共に駆動プーリ及び駆動ベルトを介して、当該ギアの回転を自己の受渡部筐体６０の駆動プーリ１０７から他の受渡部筐体６０の駆動プーリ１０７へと順に伝達する。
【０３５０】
このようにして複数の双方向受渡部４０乃至４４は、駆動モータが特には設けられていないものの、入金時や出金時、双方向受渡路４０Ａ乃至４４Ａを駆動して紙幣を搬送することができる。
【０３５１】
ここで、図７及び図１６に示すように、複数の双方向受渡部４０乃至４４は、それぞれ上述のように受渡部筐体６０の後側ガイド保持部７１に回転制御レバー８５が取り付けられている。
【０３５２】
ただし、複数の双方向受渡部４０乃至４４は、それぞれの受渡部筐体６０の後側ガイド保持部７１に対し回転制御レバー８５が、装置後方向に沿って当該回転制御レバー８５の受部を順に右側に所定間隔でずらして位置させるように取り付けられている。
【０３５３】
また切換搬送部１４及び後側搬送部１８は、複数の双方向受渡部４０乃至４４に対応する複数の搬送路接続部分に、それぞれ一対の平行な搬送ガイドが、互いの一面を垂直にし、かつ前後に位置させるようにして配置されると共に搬送ローラや搬送ベルト等も配置されている。
【０３５４】
因みに、以下の説明では、切換搬送部１４及び後側搬送部１８の複数の搬送路接続部分にそれぞれ配置された一対の搬送ガイドにおいて前側に位置する一方の搬送ガイドを、接続部分前ガイドとも呼び、後側に位置する他方の搬送ガイドを、接続部分後ガイドとも呼ぶ。
【０３５５】
これにより切換搬送部１４及び後側搬送部１８は、複数の搬送路接続部分においてそれぞれ接続部分前ガイド及び接続部分後ガイドの間に切換搬送路１４Ａ及び後側搬送路１８Ａの接続用分岐部分の下端部を、複数の双方向受渡部４０乃至４４の受渡路横幅及び受渡路縦幅と等しい搬送路横幅及び搬送路縦幅を有し、紙幣を装置上下方向と平行な搬送方向に沿って上側や下側へ搬送可能なように形成している。
【０３５６】
すなわち、切換搬送部１４及び後側搬送部１８は、複数の搬送路接続部分においてそれぞれ接続部分前ガイド及び接続部分後ガイドの間に、当該接続部分前ガイド及び接続部分後ガイドの装置左右方向の長さを受渡路横幅と等しい搬送路横幅とし、かつ、これらの間隔を受渡路縦幅と等しい搬送路縦幅とする、切換搬送路１４Ａ及び後側搬送路１８Ａの接続用分岐部分の下端部を形成している。
【０３５７】
なお、搬送路接続部分毎の一対の接続部分前ガイド及び接続部分後ガイドは、それぞれ下端部が装置左方向に沿って櫛歯状に形成されると共に、当該下端部の一面が上から下にかけて互いの間隔を徐々に広げるように弓形状に形成されている。
【０３５８】
そして切換搬送部１４及び後側搬送部１８の複数の搬送路接続部分では、それぞれ一対の接続部分前ガイド及び接続部分後ガイドのうち例えば、接続部分前ガイドに、回転制御レバー８５に対応する押付アーム１１５が取り付けられている。
【０３５９】
この場合、押付アーム１１５は、それぞれ所定長さの短冊板状の腕部の根元部分が接続部分前ガイドの所定位置に接合され、当該腕部の先端部分を、その接続部分前ガイドよりも右側に位置させている。
【０３６０】
また押付アーム１１５は、腕部の先端に例えば、縦長な略ブロック状の押付部が、当該腕部の先端から下側に突出し、かつ押付面を後側に向けるようにして設けられている。そして押付アーム１１５は、押付部の形状及び寸法が適宜選定されている。
【０３６１】
これにより押付アーム１１５は、接続部分前ガイドに対し例えば、押付部の押付面を、一対の接続部分前ガイド及び接続部分後ガイドの搬送路縦幅の方向と垂直で、かつ当該一対の接続部分前ガイド及び接続部分後ガイドの搬送路縦幅のセンターに位置するような仮想平面と面一にして取り付けられている。
【０３６２】
ただし、切換搬送部１４及び後側搬送部１８は、複数の搬送路接続部分それぞれの接続部分前ガイドに対し押付アーム１１５が、装置後方向に沿って当該押付アーム１１５の押付部を順に右側に所定間隔でずらして、回転制御レバー８５の受突起に対向させて位置させるように取り付けられている。
【０３６３】
ところで、複数の双方向受渡部４０乃至４３と切換搬送部１４及び後側搬送部１８とに設けられた回転制御レバー８５と押付アーム１１５とは、装置筐体２に上部ユニット１０が収納されたときに複数の双方向受渡路４０Ａ乃至４３Ａの上端部と切換搬送路１４Ａ及び後側搬送路１８Ａの接続用分岐部分の下端部とを接続用に位置決めするように機能する位置決め部１１６（図７）である。
【０３６４】
因みに、以下の説明では、複数の双方向受渡部４０乃至４３と切換搬送部１４及び後側搬送部１８とに設けられた回転制御レバー８５と押付アーム１１５とからなる位置決め部１１６を、上側位置決め部１１６とも呼ぶ。
【０３６５】
複数の双方向受渡部４０乃至４４は、係る構成のもと、上述のように装置筐体２から上部ユニット１０が引き出された場合、受渡部筐体６０において後側ガイド保持部７１及び前側ガイド保持部７０を一回転方向へ回転させて、前側可動ガイド７２及び後側可動ガイド７３を垂直な姿勢から前側に傾斜させている。
【０３６６】
この状態で切換搬送部１４及び後側搬送部１８は、上部ユニット１０が装置筐体２の前側の所定のユニット引出位置から当該装置筐体２内の所定のユニット収納位置まで装置後方向へ移動するようにして装置筐体２内に収納される場合、その収納に伴い上部ユニット１０の一部として装置後方向へ移動する。
【０３６７】
この際、切換搬送部１４及び後側搬送部１８は、上部ユニット１０がユニット収納位置に到達する手前で、複数の搬送路接続部分各々の押付アーム１１５の押付部を、複数の双方向受渡部４０乃至４４の対応する回転制御レバー８５の受部の受突起に押し当てるようにして後側可動ガイド７３と共に前側可動ガイド７２を他回転方向へ回転させ始める。
【０３６８】
すなわち、切換搬送部１４及び後側搬送部１８は、上部ユニット１０がユニット収納位置の手前まで移動すると、搬送路接続部分毎に押付アーム１１５の押付部を、当該搬送路接続部分と、対応する双方向受渡部４０乃至４４との調整位置に応じた個別のタイミングで、その対応する双方向受渡部４０乃至４４の回転制御レバー８５の受部の受突起に押し当てるようにして後側可動ガイド７３と共に前側可動ガイド７２を他回転方向へ回転させ始める。
【０３６９】
また切換搬送部１４及び後側搬送部１８は、上部ユニット１０がユニット収納位置側へ引き続き移動することで、双方向受渡部４０乃至４４毎の前側可動ガイド７２及び後側可動ガイド７３をそれぞれ他回転方向へ回転させながら、当該前側可動ガイド７２及び後側可動ガイド７３の先端部に、対応する接続部分前ガイド及び接続部分後ガイドの下端部を噛み合わせるように嵌合させる。
【０３７０】
そして切換搬送部１４及び後側搬送部１８は、上部ユニット１０がユニット収納位置に到達して移動が停止したとき、双方向受渡部４０乃至４４毎の前側可動ガイド７２及び後側可動ガイド７３を、接続部分前ガイド及び接続部分後ガイドと嵌合させたまま、当該搬送路接続部分との調整位置に応じた所定角度まで回転させたうえで、その回転を停止させる。
【０３７１】
これにより図１７に示すように、切換搬送部１４及び後側搬送部１８は、装置筐体２内に上部ユニット１０が収納された状態で、双方向受渡部４０乃至４４の真上に、対応する搬送路接続部分が位置する場合、前側可動ガイド７２及び後側可動ガイド７３を垂直な姿勢にして、これらの先端部に、接続部分前ガイド１２０及び接続部分後ガイド１２１の先端部を嵌合させる。
【０３７２】
すなわち、切換搬送部１４及び後側搬送部１８は、この場合、前側可動ガイド７２及び後側可動ガイド７３を垂直な姿勢にして、当該前側可動ガイド７２の根元部の一面を接続部分前ガイド１２０の一面と面一にすると共に、後側可動ガイド７３の根元部の一面を接続部分後ガイド１２１の一面と面一にして双方向受渡路４０Ａ乃至４４Ａの上端部を切換搬送路１４Ａ及び後側搬送路１８Ａの接続用分岐部分の下端部と接続する。
【０３７３】
また図１８に示すように、切換搬送部１４及び後側搬送部１８は、装置筐体２内に上部ユニット１０が収納された状態で、双方向受渡部４０乃至４４の真上よりも後側に、対応する搬送路接続部分が位置する場合、前側可動ガイド７２及び後側可動ガイド７３を後側に傾けた姿勢にして、これらの先端部に、接続部分前ガイド１２０及び接続部分後ガイド１２１の先端部を嵌合させる。
【０３７４】
すなわち、切換搬送部１４及び後側搬送部１８は、この場合、前側可動ガイド７２及び後側可動ガイド７３を後側に傾けた姿勢にして、当該前側可動ガイド７２の根元部の一面と接続部分前ガイド１２０の一面とをくの字状に交差させると共に、後側可動ガイド７３の根元部の一面と接続部分後ガイド１２１の一面とをくの字状に交差させて双方向受渡路４０Ａ乃至４４Ａの上端部を切換搬送路１４Ａ及び後側搬送路１８Ａの接続用分岐部分の下端部と接続する。
【０３７５】
さらに図１９に示すように、切換搬送部１４及び後側搬送部１８は、装置筐体２内に上部ユニット１０が収納された状態で、双方向受渡部４０乃至４４の真上よりも前側に、対応する搬送路接続部分が位置する場合、前側可動ガイド７２及び後側可動ガイド７３を前側に傾けた姿勢にして、これらの先端部に、接続部分前ガイド１２０及び接続部分後ガイド１２１の先端部を嵌合させる。
【０３７６】
すなわち、切換搬送部１４及び後側搬送部１８は、この場合、前側可動ガイド７２及び後側可動ガイド７３を前側に傾けた姿勢にして、当該前側可動ガイド７２の根元部の一面と接続部分前ガイド１２０の一面とを逆くの字状に交差させると共に、後側可動ガイド７３の根元部の一面と接続部分後ガイド１２１の一面とを逆くの字状に交差させて双方向受渡路４０Ａ乃至４４Ａの上端部を切換搬送路１４Ａ及び後側搬送路１８Ａの接続用分岐部分の下端部と接続する。
【０３７７】
このようにして切換搬送部１４及び後側搬送部１８は、上部ユニット１０の装置前後方向に対する位置の調整が不十分な場合でも、上部ユニット１０の収納時、作業者に当該上部ユニット１０を装置筐体２内に押し込ませるだけで、その押し込みによる装置後方向への移動により、切換搬送路１４Ａ及び後側搬送路１８Ａの複数の接続用分岐部分の下端部に対して、それぞれ対応する双方向受渡路４０Ａ乃至４４Ａの上端部を精度良く位置決めして接続することができる。
【０３７８】
そして複数の双方向受渡部４０乃至４４は、この際、上述のように前側可動ガイド７２及び後側可動ガイド７３を平行にしたまま回転させている。
【０３７９】
よって双方向受渡部４０乃至４４は、前側可動ガイド７２及び後側可動ガイド７３を前側や後側へ傾けた姿勢で接続部分前ガイド１２０及び接続部分後ガイド１２１と嵌合させて双方向受渡路４０Ａ乃至４４Ａの上端部と切換搬送路１４Ａ及び後側搬送路１８Ａの接続用分岐部分の下端部とを接続しても、これらの接続部分内に先端部や下端部が入り込んで段差や凹みが形成されることを確実に防止することができる。
【０３８０】
ところで、図７及び図２０並びに図２１に示すように、連結部３５は、連結筐体３６においてケース左前支持部３６ＢＸ及びケース左後支持部の右面に、複数の双方向受渡部４０乃至４４の左側位置決めピン８７及び右側位置決めピン８８を、紙幣収納庫２９乃至３３の位置決め孔部に対して差し込み、また引き抜くための差込引抜部１２５が設けられている。
【０３８１】
差込引抜部１２５は、所定長さの角柱状のアーム支持部１２６（図２０及び図２１には図示せず）と、金庫筐体２６の奥行よりも僅かに短い所内長さの角柱状の可動アーム１２７とを有している。
【０３８２】
この場合、アーム支持部１２６は、装置前後方向と平行にしてケース左前支持部３６ＢＸ及びケース左後支持部の右面の所定位置に固定されている。
【０３８３】
また可動アーム１２７は、アーム支持部１２６と平行にした状態で、当該アーム支持部１２６に上下の複数の連結ピン及び複数の連結板（図２０及び図２１には図示せず）を介して連結されている。
【０３８４】
これにより差込引抜部１２５は、複数の連結ピン及び複数の連結板と共に可動アーム１２７により平行リンクを形成し、当該可動アーム１２７をアーム支持部１２６と平行にしたまま、左右に変位させながら前後に移動させ得るようにしている。
【０３８５】
そして差込引抜部１２５は、可動アーム１２７の後端と金庫筐体２６の後板の内面との間に圧縮コイルばね１２８が配置され、当該圧縮コイルはね１２８により可動アーム１２７を装置前方向へ移動させるように付勢している。
【０３８６】
これにより差込引抜部１２５は、金庫筐体２６に対し金庫扉２６Ｂが閉じられた場合、圧縮コイルばね１２８により可動アーム１２７を前側へ移動させるように付勢しながら、当該可動アーム１２７の前端を金庫扉２６Ｂの内面左端部（すなわち、金庫扉２６Ｂを開閉可能に支持するヒンジ側）に押し付けている。
【０３８７】
そして差込引抜部１２５は、金庫筐体２６に対し金庫扉２６Ｂが開かれた場合、圧縮コイルばね１２８により可動アーム１２７を前側に移動させて、当該可動アーム１２７の先端部を金庫筐体２６内から前側に突出させる。
【０３８８】
因みに、金庫扉２６Ｂの前面には、当該金庫扉２６Ｂを開閉する際に手で把持して回転操作させる開閉ハンドル１２９（図２）が取り付けられている。
【０３８９】
また開閉ハンドル１２９には、その回転操作に連動して変位する閂（図示せず）が取り付けられている。
【０３９０】
よって金庫筐体２６は、金庫扉２６Ｂが閉じられて開閉ハンドル１２９が回転操作されると、閂を金庫筐体２６内の所定の係合位置に係合させて当該金庫扉２６Ｂの閉じた状態を維持することができる。
【０３９１】
また金庫扉２６Ｂの前面には、例えば、係合位置に係合した閂を一時的に変位させ得ないように固定して、金庫筐体２６に対し当該金庫扉２６Ｂを閉じた状態にロックするための錠（すなわち、シリンダ錠やダイヤル錠）も取り付けられている。
【０３９２】
これにより金庫筐体２６は、金庫扉２６Ｂが閉じられて係合位置に閂が係合している間は、金庫扉２６Ｂのロックの有無に関わらずに、可動アーム１２７を内部に留めておくことができる。
【０３９３】
そして金庫筐体２６は、金庫扉２６Ｂが閉じられているものの、ロックが解除された状態（すなわち、閂を金庫筐体２６内の所定の係合位置に係合させている状態）で開閉ハンドル１２９が回転操作されると、係合位置から閂を退避させて、当該金庫扉２６Ｂを開かせることができる。
【０３９４】
これにより金庫筐体２６は、金庫扉２６Ｂが開かれている間は、圧縮コイルばね１２８の作用により可動アーム１２７を前側に移動させて当該可動アーム１２７の先端部を金庫筐体２６内から前側に突出させている。
【０３９５】
また可動アーム１２７は、右面において複数の双方向受渡部４０乃至４４の左側昇降制御レバー９５に設けられた連結ピン９８とそれぞれ対向する位置に、当該連結ピン９８の直径よりも長い横幅及び縦幅を有する四角形状のピン挿入孔部が穿設されている。
【０３９６】
そして可動アーム１２７は、複数のピン挿入孔部にそれぞれ対応する連結ピン９８の先端部が右面側から挿入されて左面から突出させている。
【０３９７】
さらに可動アーム１２７は、左面において複数のピン挿入孔部それぞれの上側及び前側にばね押付部及びばね係止部が突設されている。
【０３９８】
そして可動アーム１２７は、左面において複数のピン挿入孔部の前側にそれぞれトーションばね１３０がある程度縮められた状態で、一端部をばね係止部に係止すると共に、他端部をばね押付部に前側から押し付けるようにして設けられている。
【０３９９】
ここで、図２２を用いて複数の紙幣収納庫２９乃至３３の構成について説明する。ただし、複数の紙幣収納庫２９乃至３３は、それぞれ同様に構成されている。
【０４００】
このため、以下には、１個の紙幣収納庫２９の構成について説明し、他の複数の紙幣収納庫３０乃至３３の構成については説明を省略する。
【０４０１】
紙幣収納庫２９は、例えば、上下に長い略直方体状に形成された外装ケース１４０を有し、当該外装ケース１４０の正面に扉（以下、これを収納庫扉とも呼ぶ）１４１が開閉可能に設けられている。
【０４０２】
因みに、以下の説明では、紙幣収納庫２９を、外装ケース１４０の正面と対峙して見た場合の図中に矢印ａ２で示す左の方向を、収納庫左方向とも呼び、当該収納庫左方向とは逆の方向を、収納庫右方向とも呼ぶ。
【０４０３】
そして、以下の説明では、収納庫左方向及び収納庫右方向を特に区別する必要がない場合、これらをまとめて収納庫左右方向とも呼ぶ。
【０４０４】
また、以下の説明では、紙幣収納庫２９を、外装ケース１４０の正面と対峙して見た場合の図中に矢印ｂ２で示す上の方向を、収納庫上方向とも呼び、当該収納庫上方向とは逆の方向を、収納庫下方向とも呼ぶ。
【０４０５】
そして、以下の説明では、収納庫上方向及び収納庫下方向を特に区別する必要がない場合、これらをまとめて収納庫上下方向とも呼ぶ。
【０４０６】
さらに、以下の説明では、紙幣収納庫２９を、外装ケース１４０の正面と対峙して見た場合の図中に矢印ｃ２で示す手前の方向を、収納庫前方向とも呼び、当該収納庫前方向とは逆の方向を、収納庫後方向とも呼ぶ。
【０４０７】
そして、以下の説明では、収納庫前方向及び収納庫後方向を特に区別する必要がない場合、これらをまとめて収納庫前後方向とも呼ぶ。
【０４０８】
この場合、外装ケース１４０の上面には、後端部に、平行な一対の搬送ガイド１４０Ａ、１４０Ｂが、互いの一面を垂直にし、かつ前後に位置させるようにして一体に形成されている。
【０４０９】
因みに、以下の説明では、外装ケース１４０の上面に一体に形成された一対の搬送ガイド１４０Ａ、１４０Ｂのうち、前側に位置する一方の搬送ガイド１４０Ａを、収納庫前ガイド１４０Ａとも呼び、後側に位置する他方の搬送ガイド１４０Ｂを、収納庫後ガイド１４０Ｂとも呼ぶ。
【０４１０】
また外装ケース１４０内には、収納庫前ガイド１４０Ａ及び収納庫後ガイド１４０Ｂに対応させて複数の搬送ローラも配置されている。
【０４１１】
これにより紙幣収納庫２９は、収納庫前ガイド１４０Ａ及び収納庫後ガイド１４０Ｂの間に取込繰出搬送路２９ＡＸの上端部を、複数の双方向受渡部４０乃至４４の受渡路横幅及び受渡路縦幅と等しい搬送路横幅及び搬送路縦幅を有し、紙幣を収納庫上下方向と平行な搬送方向に沿って上側や下側へ搬送可能なように形成している。
【０４１２】
すなわち、紙幣収納庫２９は、収納庫前ガイド１４０Ａ及び収納庫後ガイド１４０Ｂの間に、当該収納庫前ガイド１４０Ａ及び収納庫後ガイド１４０Ｂの装置左右方向の長さを受渡路横幅と等しい搬送路横幅とし、かつ、これらの間隔を受渡路縦幅と等しい搬送路縦幅とする取込繰出搬送路２９ＡＸの上端部を形成している。
【０４１３】
なお、収納庫前ガイド１４０Ａ及び収納庫後ガイド１４０Ｂは、それぞれ上端部が収納庫左方向に沿って櫛歯状に形成されると共に、当該上端部の一面が下から上にかけて互いの間隔を徐々に広げるように弓形状に形成されている。
【０４１４】
また外装ケース１４０の上面には、収納庫前ガイド１４０Ａの前側左寄りに、双方向受渡部４０の左側位置決めピン８７に対応させて所定深さの例えば、円形の左側位置決め孔部１４０Ｃが形成されている。
【０４１５】
左側位置決め孔部１４０Ｃは、底部分の内径が左側位置決めピン８７の直径とほぼ等しい長さに選定されている。
【０４１６】
また左側位置決め孔部１４０Ｃは、ピン差込口が一周に亘り、底部分よりも内径を広げるように漏斗状に形成されている。
【０４１７】
さらに外装ケース１４０の上面には、収納庫前ガイド１４０Ａの前側右寄りに、双方向受渡部４０の右側位置決めピン８８に対応させて所定深さのレーストラック状の右側位置決め孔部１４０Ｄが、その長手方向を収納庫左右方向と平行にして形成されている。
【０４１８】
右側位置決め孔部１４０Ｄは、底部分の前後の幅が右側位置決めピン８８の直径とほぼ等しい長さに選定されると共に、当該底部分の左右の幅が当該右側位置決めピン８８の直径よりも長い所定長さに選定されている。
【０４１９】
また右側位置決め孔部１４０Ｄは、ピン差込口が一周に亘り、底部分よりも前後左右の幅を広げるように略漏斗状に形成されている。
【０４２０】
そして紙幣収納庫２９、及び同様構成の他の紙幣収納庫３０乃至３３は、収納庫装填ケース２７に対し例えば、外装ケース１４０の正面を前側に向けた状態で装填されている。
【０４２１】
ところで、複数の双方向受渡部４０乃至４３と複数の紙幣収納庫２９乃至３３とに設けられた左側位置決めピン８７及び右側位置決めピン８８と左側位置決め孔部１４０Ｃ及び左側位置決め孔部１４０Ｃとは、金庫筐体２６内に収納庫装填ケース２７と共に複数の紙幣収納庫２９乃至３３が収納されたときに複数の双方向受渡路４０Ａ乃至４３Ａの下端部と複数の取込繰出搬送路２９ＡＸ乃至３３ＡＸの上端部とを接続用に位置決めするように機能する位置決め部１４５（図２０及び図２１）である。
【０４２２】
因みに、以下の説明では、複数の双方向受渡部４０乃至４３と複数の紙幣収納庫２９乃至３３とに設けられた左側位置決めピン８７及び右側位置決めピン８８と左側位置決め孔部１４０Ｃ及び左側位置決め孔部１４０Ｃとからなる位置決め部１４５を、下側位置決め部１４５とも呼ぶ。
【０４２３】
複数の双方向受渡部４０乃至４４（図２０及び図２１）は、係る構成のもと、金庫筐体２６に対し金庫扉２６Ｂが開かれた場合、後述するように左側昇降制御レバー９５及び右側昇降制御レバー９６を他回転方向へ回転させて左側位置決めピン８７及び右側位置決めピン８８を受渡部筐体６０の枠部６０Ａ内に収納している。
【０４２４】
この状態で双方向受渡部４０乃至４４は、金庫筐体２６内に、複数の紙幣収納庫２９乃至３３が装填された収納庫装填ケース２７が所定のケース収納位置まで収納されると、前側固定ガイド７４及び後側固定ガイド７５の下端部を、対応する紙幣収納庫２９乃至３３の収納庫前ガイド１４０Ａ及び収納庫後ガイド１４０Ｂの上端部と噛み合わせるように嵌合させる。
【０４２５】
この際、複数の双方向受渡部４０乃至４４は、収納庫装填ケース２７の装置前後方向に対する位置が高精度に調節されていると、図１７に示しているように、前側固定ガイド７４の腕部の一面を対応する紙幣収納庫２９乃至３３の収納庫前ガイド１４０Ａの一面と面一にすると共に、後側固定ガイド７５の腕部の一面を当該紙幣収納庫２９乃至３３の収納庫後ガイド１４０Ｂの一面と面一にして双方向受渡路４０Ａ乃至４４Ａの下端部を取込繰出搬送路２９ＡＸ乃至３３ＡＸの上端部と接続部分内に何ら段差のない状態で接続する。
【０４２６】
ただし複数の双方向受渡部４０乃至４４は、収納庫装填ケース２７の装置前後方向に対する位置の調節が不十分であると、前側固定ガイド７４及び後側固定ガイド７５に対し、紙幣収納庫２９乃至３３の収納庫前ガイド１４０Ａ及び収納庫後ガイド１４０Ｂが前側や後側にずれて位置するため、双方向受渡路４０Ａ乃至４４Ａの下端部を取込繰出搬送路２９ＡＸ乃至３３ＡＸの上端部と接続部分内に段差を形成するように接続することになる。
【０４２７】
このため差込引抜部１２５は、金庫筐体２６内に、複数の紙幣収納庫２９乃至３３が装填された収納庫装填ケース２７が装填された状態で、それまで金庫筐体２６に対して開かれていた金庫扉２６Ｂが閉じられると、金庫扉２６Ｂの内面で可動アーム１２７の前端が押されることで、当該可動アーム１２７を装置後方向へ移動させる。
【０４２８】
この際、差込引抜部１２５は、可動アーム１２７を移動させながら、当該可動アーム１２７の左面側で、複数の双方向受渡部４０乃至４４の連結ピン９８の先端部にそれぞれ対応するトーションばね１３０の他端部を押し付ける。
【０４２９】
よって差込引抜部１２５は、複数の双方向受渡部４０乃至４４において、それぞれ連結ピン９８を後側へ変位させながら左側昇降制御レバー９５及び右側昇降制御レバー９６を一回転方向へ回転させて、左側位置決めピン８７及び右側位置決めピン８８を下降させる。
【０４３０】
これにより差込引抜部１２５は、複数の双方向受渡部４０乃至４４の左側位置決めピン８７及び右側位置決めピン８８をそれぞれ対応する紙幣収納庫２９乃至３３の左側位置決め孔部１４０Ｃ及び右側位置決め孔部１４０Ｄに一括して差し込む。
【０４３１】
この際、収納庫装填ケース２７の装置前後方向に対する位置が高精度に調節されていると、複数の双方向受渡部４０乃至４４の左側位置決めピン８７の中心の真下及び右側位置決めピン８８の中心の真下に、対応する紙幣収納庫２９乃至３３の左側位置決め孔部１４０Ｃの中心及び右側位置決め孔部１４０Ｄの中心が位置している。
【０４３２】
このため差込引抜部１２５は、このような場合、複数の双方向受渡部４０乃至４４の左側位置決めピン８７及び右側位置決めピン８８を、対応する紙幣収納庫２９乃至３３を特には位置決めすることなく左側位置決め孔部１４０Ｃ及び右側位置決め孔部１４０Ｄに差し込むことができる。
【０４３３】
ただし、収納庫装填ケース２７の装置前後方向に対する位置の調節が不十分であると、複数の双方向受渡部４０乃至４４の左側位置決めピン８７の中心の真下及び右側位置決めピン８８の中心の真下から、対応する紙幣収納庫２９乃至３３の左側位置決め孔部１４０Ｃの中心及び右側位置決め孔部１４０Ｄの中心が前側や後側にずれることになる。
【０４３４】
しかしながら、左側位置決めピン８７及び右側位置決めピン８８は、それぞれ上述のように先端部がテーパ状に形成されている。
【０４３５】
また左側位置決め孔部１４０Ｃ及び右側位置決め孔部１４０Ｄは、それぞれ上述のように、ピン差込口が漏斗状に形成されている。
【０４３６】
このため差込引抜部１２５は、複数の双方向受渡部４０乃至４４の左側位置決めピン８７の中心の真下から、対応する紙幣収納庫２９乃至３３の左側位置決め孔部１４０Ｃの中心が前側や後側にずれていても、左側位置決めピン８７の中心の真下に左側位置決め孔部１４０Ｃの中心を引き込むように紙幣収納庫２９乃至３３の位置や姿勢を変化させながら当該左側位置決めピン８７を左側位置決め孔部１４０Ｃに差し込むことができる。
【０４３７】
また差込引抜部１２５は、複数の双方向受渡部４０乃至４４の右側位置決めピン８８の中心の真下から、対応する紙幣収納庫２９乃至３３の右側位置決め孔部１４０Ｄの中心が前側や後側にずれている場合も、同様に右側位置決めピン８８の中心の真下に右側位置決め孔部１４０Ｄの中心を引き込むように紙幣収納庫２９乃至３３の位置や姿勢を変化させながら当該右側位置決めピン８８を右側位置決め孔部１４０Ｄに差し込むことができる。
【０４３８】
これにより差込引抜部１２５は、複数の双方向受渡部４０乃至４４に対し、対応する紙幣収納庫２９乃至３３を位置決めすることができる。
【０４３９】
そして差込引抜部１２５は、このように複数の双方向受渡部４０乃至４４に対し、対応する紙幣収納庫２９乃至３３を位置や姿勢を変化させて位置決めすると、これに応じて前側固定ガイド７４及び後側固定ガイド７５に対する収納庫前ガイド１４０Ａ及び収納庫後ガイド１４０Ｂの位置ずれを修正することができる。
【０４４０】
すなわち、差込引抜部１２５は、前側固定ガイド７４の腕部の一面と収納庫前ガイド１４０Ａの一面とを面一にすると共に、後側固定ガイド７５の腕部の一面と収納庫後ガイド１４０Ｂの一面とを面一にするように位置ずれを修正して、双方向受渡路４０Ａ乃至４４Ａの下端部と取込繰出搬送路２９ＡＸ乃至３３ＡＸの上端部との接続部分内を段差のない状態に変化させることができる。
【０４４１】
このようにして差込引抜部１２５は、収納庫装填ケース２７の装置前後方向に対する位置の調整が不十分な場合でも、収納庫装填ケース２７の収納時、作業者に金庫筐体２６の金庫扉２６Ｂを閉じさせるだけで、複数の双方向受渡部４０乃至４４の双方向受渡路４０Ａ乃至４４Ａの下端部に対して、対応する紙幣収納庫２９乃至３３の取込繰出搬送路２９ＡＸ乃至３３ＡＸの上端部を精度良く位置決めして接続することができる。
【０４４２】
一方、差込引抜部１２５は、収納庫装填ケース２７の引出時、金庫筐体２６の金庫扉２６Ｂが開かれると、これに応じて圧縮コイルばね１２８の作用により可動アーム１２７を装置前方向へ移動させる。
【０４４３】
この際、差込引抜部１２５は、可動アーム１２７を移動させながら、当該可動アーム１２７の複数のピン挿入孔部内の後面を、それぞれ当該ピン挿入孔部に挿入されている連結ピン９８に押し付ける。
【０４４４】
よって差込引抜部１２５は、複数の双方向受渡部４０乃至４４においてそれぞれ連結ピン９８を前側へ変位させながら左側昇降制御レバー９５及び右側昇降制御レバー９６を他回転方向へ回転させて、左側位置決めピン８７及び右側位置決めピン８８を上昇させる。
【０４４５】
これにより差込引抜部１２５は、複数の双方向受渡部４０乃至４４の左側位置決めピン８７及び右側位置決めピン８８をそれぞれ対応する紙幣収納庫２９乃至３３の左側位置決め孔部１４０Ｃ及び右側位置決め孔部１４０Ｄから一括して引き抜く。
【０４４６】
そして差込引抜部１２５は、このようにして左側位置決め孔部１４０Ｃ及び右側位置決め孔部１４０Ｄから左側位置決めピン８７及び右側位置決めピン８８を引き抜くと、その引抜時点からは引き続き複数の双方向受渡部４０乃至４４に対しそれぞれ一対のコイルばね９７、９９の作用により左側昇降制御レバー９５及び右側昇降制御レバー９６を、さらに他回転方向へ回転させて左側位置決めピン８７及び右側位置決めピン８８を上昇させ受渡部筐体６０の枠部６０Ａ内に収納させる。
【０４４７】
このようにして差込引抜部１２５は、収納庫装填ケース２７の引出時、作業者に対し、複数の紙幣収納庫２９乃至３３の左側位置決め孔部１４０Ｃ及び右側位置決め孔部１４０Ｄから複数の双方向受渡部４０乃至４４の左側位置決めピン８７及び右側位置決めピン８８をそれぞれ引き抜かせるための特別な操作を何ら行わせることなく、収納庫装填ケース２７の引き出しのために金庫筐体２６の金庫扉２６Ｂを開かせるだけで、当該複数の紙幣収納庫２９乃至３３の左側位置決め孔部１４０Ｃ及び右側位置決め孔部１４０Ｄから、対応する双方向受渡部４０乃至４４の左側位置決めピン８７及び右側位置決めピン８８を一括して引き抜くことができる。
【０４４８】
ところで、金庫筐体２６の金庫扉２６Ｂは、比較的厚い金属板によって形成され比較的重いため、開閉には、ある程度の力が必要になる。
【０４４９】
ただし、差込引抜部１２５には、可動アーム１２７を前側に付勢するために、比較的弾性力の大きい圧縮コイルばね１２８が設けられている。
【０４５０】
このため差込引抜部１２５は、収納庫装填ケース２７の引出時に、金庫筐体２６の金庫扉２６Ｂを開くために開閉ハンドル１２９が回転操作され当該金庫筐体２６内の係合位置から閂が退避すると、その時点で圧縮コイルばね１２８の作用により可動アーム１２７で金庫扉２６Ｂを前側に押して僅かに開く（すなわち、金庫筐体２６から金庫扉２６Ｂを僅かにうかせる）ことができる。
【０４５１】
これにより差込引抜部１２５は、作業者が金庫筐体２６に対して金庫扉２６Ｂを開く際の負担を軽減させることができる。
【０４５２】
また差込引抜部１２５には、上述のように可動アーム１２７が平行リンクの機構を利用して前後に移動するように設けられている。
【０４５３】
このため差込引抜部１２５は、金庫筐体２６に対し金庫扉２６Ｂが閉じられるとき、ヒンジを介して回転する金庫扉２６Ｂの内面で可動アーム１２７が押されても、当該可動アーム１２７が金庫扉２６Ｂによって加えられる回転方向の押圧力によって変形し、また破損することを防止することができる。
【０４５４】
ところで、複数の双方向受渡路４０Ａ乃至４４Ａと、これに対応する切換搬送路１４Ａ及び後側搬送路１８Ａの複数の接続用分岐部分の下端部、及び複数の取込繰出搬送路２９ＡＸ乃至３３ＡＸとについては、紙幣を装置下方向及び装置上方向のように双方向に搬送するため、互いを精度良く位置決めして接続する必要がある。
【０４５５】
このため複数の双方向受渡路４０Ａ乃至４４Ａと、これに対応する切換搬送路１４Ａ及び後側搬送路１８Ａの複数の接続用分岐部分の下端部、及び複数の取込繰出搬送路２９ＡＸ乃至３３ＡＸとについては、上述の構成により接続時の高精度な位置決めを実現している。
【０４５６】
これに対し一方向受渡路３９Ａと、これに対応する切換搬送路１４Ａの１箇所の接続用分岐部分の下端部、及び取込搬送路２８ＡＸとについては、リジェクト紙幣を装置下方向のように一方向へのみ搬送するため、紙幣を双方向へ搬送する場合のように高精度に位置決めせずに接続しても、リジェクト紙幣を問題なく搬送することができる。
【０４５７】
このため切換搬送部１４は、一方向受渡部３９に対応する１箇所の搬送路接続部分に、他の搬送路接続部分と同様に接続用分岐部分の下端部を形成しているものの、一方向受渡部３９は、複数の双方向受渡部４０乃至４４と異なるように構成されている。
【０４５８】
すなわち、図３及び図７に示すように、一方向受渡部３９は、例えば、受渡部筐体１５０内に、紙幣の長辺の長さ以上の所定の長さを有する断面略コ字状の一対の受渡ガイド１５１、１５２が、一方は前側に位置させ、他方は後側に位置させるようにして互いの一面を対向させて固定されている。
【０４５９】
因みに、以下の説明では、一方向受渡部３９において前側に位置する一方の受渡ガイド１５１を、一方向用前側ガイド１５１とも呼び、後側に位置する他方の受渡ガイド１５２を、一方向用後側ガイド１５２とも呼ぶ。
【０４６０】
この場合、一方向用前側ガイド１５１及び一方向用後側ガイド１５２は、互いに一面が傾斜しており、互いの間隔が上から下へ徐々に狭まるように配置されている。
【０４６１】
また一方向用前側ガイド１５１及び一方向用後側ガイド１５２は、上端部及び下端部がそれぞれ装置左方向に沿って櫛歯状に形成されている。
【０４６２】
さらに一方向受渡部３９は、一方向用前側ガイド１５１ド内に装置左右方向と平行なローラ軸を介して一対の搬送ローラが回動可能に配置され、当該一対の搬送ローラの周側面の一部を一方向用前側ガイド１５１に穿設された対応する孔部を介して後側に突出させている。
【０４６３】
さらにまた一方向受渡部３９は、一方向用後側ガイド１５２内にも装置左右方向と平行なローラ軸を介して一対の搬送ローラが回動可能に配置され、当該一対の搬送ローラの周側面の一部を一方向用後側ガイド１５２に穿設された対応する孔部を介して前側に突出させている。
【０４６４】
よって一方向受渡部３９は、一方向用前側ガイド１５１の一対の搬送ローラの周側面の後側と、一方向用後側ガイド１５２の一対の搬送ローラの周側面の前側とを、当該一方向用前側ガイド１５１及び一方向用後側ガイド１５２の間で押し付けている。
【０４６５】
これにより一方向受渡部３９は、一方向用前側ガイド１５１及び一方向用後側ガイド１５２の間に、複数の双方向受渡部４０乃至４４の場合と同様な受渡路横幅を有するものの、受渡路縦幅が上から下へ徐々に狭まる一方向受渡路３９Ａを形成している。
【０４６６】
そして一方向受渡部３９には、受渡部筐体１５０の左側にギアや駆動プーリ、駆動ベルト等を有する左側駆動伝達部１５５が配置されている。
【０４６７】
よって一方向受渡部３９は、装置筐体２に上部ユニット１０が収納された場合、切換搬送部１４に設けられた駆動伝達ギアを左側駆動伝達部１５５のギアと連結する。
【０４６８】
これにより一方向受渡部３９は、入金時や出金時、切換搬送部１４から駆動伝達ギアを介して伝達される駆動モータの駆動力を、左側駆動伝達部１５５においてギアで受けると共に駆動プーリ及び駆動ベルトを介して、当該ギアの回転を自己の受渡部筐体１５０の駆動プーリに伝達してローラ軸を回転させる。
【０４６９】
このようにして一方向受渡部３９は、駆動モータが特には設けられていないものの、入金時や出金時、一方向受渡路３９Ａを駆動してリジェクト紙幣を搬送することができる。
【０４７０】
一方向受渡部３９は、係る構成のもと、装置筐体２内に上部ユニット１０が収納されると、一方向用前側ガイド１５１及び一方向用後側ガイド１５２の上端部を、切換搬送部１４の対応する搬送路接続部分の接続部分前ガイド及び接続部分後ガイドの下端部と嵌合させて、一方向受渡路３９Ａの上端部を切換搬送路１４Ａの対応する接続用分岐部分の下端部と接続する。
【０４７１】
ただし、一方向受渡部３９では、一方向用前側ガイド１５１及び一方向用後側ガイド１５２の上端部の間隔（すなわち、一方向受渡路３９Ａの上端部の受渡路縦幅）が、切換搬送部１４の接続部分前ガイド及び接続部分後ガイドの間隔（すなわち、切換搬送路１４Ａの対応する接続用分岐部分の下端部の搬送路縦幅）よりも広く選定されている。
【０４７２】
よって一方向受渡部３９は、一方向受渡路３９Ａの上端部の受渡路縦幅の中心と、切換搬送路１４Ａの対応する接続用分岐部分の下端部の搬送路縦幅の中心とが前後にずれていても、当該切換搬送路１４Ａの接続用分岐部分の下端部から繰り出されるリジェクト紙幣を、一方向受渡路３９Ａの上端部で受け取って引き続き搬送することができる。
【０４７３】
一方、リジェクト庫２８は、外装ケース１５７を有し、当該外装ケース１５７の上面の後端部に、一対の搬送ガイド１５７Ａ（一方のみ図示し、他方は図示せず）が、互いの一面を対向させて前後に位置させるようにして一体に形成されている。
【０４７４】
因みに、以下の説明では、外装ケース１５７の上面に一体に形成された一対の搬送ガイド１５７Ａのうち、前側に位置する一方の搬送ガイド１５７Ａを、リジェクト庫前ガイド１５７Ａとも呼び、後側に位置する他方の搬送ガイドを、リジェクト庫後ガイドとも呼ぶ。
【０４７５】
この場合、リジェクト庫前ガイド１５７Ａ及びリジェクト庫後ガイドは、例えば、互いの間隔を上から下へ徐々に狭めるように一面が形成されている。
【０４７６】
またリジェクト庫前ガイド１５７Ａ及びリジェクト庫後ガイドは、上端部がそれぞれ装置左方向に沿って櫛歯状に形成されている。
【０４７７】
また外装ケース１５７内には、リジェクト庫前ガイド１５７Ａ及びリジェクト庫後ガイドに対応させて複数の搬送ローラや、当該搬送ローラに連結されたギア１５８等も配置されている。
【０４７８】
これによりリジェクト庫２８は、リジェクト庫前ガイド１５７Ａ及びリジェクト庫後ガイドの間に、複数の双方向受渡部４０乃至４４の受渡路横幅と等しい搬送路横幅を有するものの、搬送路縦幅が上から下へ徐々に狭まる取込搬送路２８ＡＸの上端部を形成している。
【０４７９】
すなわち、リジェクト庫２８は、リジェクト庫前ガイド１５７Ａ及びリジェクト庫後ガイドの間に、当該リジェクト庫前ガイド１５７Ａ及びリジェクト庫後ガイドの装置左右方向の長さを受渡路横幅と等しい搬送路横幅とするものの、これらの間隔を受渡路縦幅とは異なり上から下へ徐々に狭まる搬送路縦幅とする、取込搬送路２８ＡＸの上端部を形成している。
【０４８０】
因みに、リジェクト庫２８は、内部に駆動モータが設けられずに構成されている。このため一方向受渡部３９には、受渡部筐体１５０の右側にギアや駆動プーリ、駆動ベルト等を有する右側駆動伝達部１５９が配置され、当該右側駆動伝達部１５９がローラ軸を介して左側駆動伝達部１５５に連結されている。
【０４８１】
またリジェクト庫２８は、外装ケース１５７の上面の右端部に、内部のギア１５８を露出させるための切欠部が形成されている。
【０４８２】
そして一方向受渡部３９は、収納庫装填ケース２７の引出時及び収納時、所定の操作に応じて右側駆動伝達部１５９のギアを持ち上げることで、当該収納庫装填ケース２７の引出及び収納の妨げになることを回避する。
【０４８３】
また一方向受渡部３９は、金庫筐体２６内に収納庫装填ケース２７が収納された状態では、所定の操作に応じて右側駆動伝達部１５９のギアを下げてリジェクト庫２８のギア１５８に歯合させる。
【０４８４】
これにより一方向受渡部３９は、入金時や出金時、右側駆動伝達部１５９のギアの回転をリジェクト庫２８に伝達して、当該リジェクト庫２８においてリジェクト紙幣の取込用に搬送ローラを回転させることができる。
【０４８５】
一方向受渡部３９は、係る構成のもと、金庫筐体２６内に、複数の紙幣収納庫２９乃至３３及びリジェクト庫２８が装填された収納庫装填ケース２７が装填されると、一方向用前側ガイド１５１及び一方向用後側ガイド１５２の下端部を、リジェクト庫２８のリジェクト庫前ガイド１５７Ａ及びリジェクト庫後ガイドの上端部と嵌合させて、一方向受渡路３９Ａの下端部を取込搬送路２８ＡＸの下端部と接続する。
【０４８６】
ただし、リジェクト庫２８は、リジェクト庫前ガイド１５７Ａ及びリジェクト庫後ガイドの上端部の間隔（すなわち、取込搬送路２８ＡＸの上端部の搬送路縦幅）が、一方向用前側ガイド１５１及び一方向用後側ガイド１５２の下端部の間隔（すなわち、一方向受渡路３９Ａの下端部の受渡路縦幅）よりも広く選定されている。
【０４８７】
よって一方向受渡部３９は、一方向受渡路３９Ａの下端部の受渡路縦幅の中心と、取込搬送路２８ＡＸの上端部の搬送路縦幅の中心とが前後にずれていても、当該一方向受渡路３９Ａの下端部から繰り出すリジェクト紙幣を取込搬送路２８ＡＸの上端部に引き渡すように搬送することができる。
【０４８８】
このようにして一方向受渡部３９は、上部ユニット１０及び又は収納庫装填ケース２７の装置前後方向に対する位置の調整が不十分な場合に、一方向受渡路３９Ａの上端部及び下端部をそれぞれ切換搬送路１４Ａの対応する接続用分岐部分の下端部及び取込搬送路２８ＡＸの上端部と特には位置決めせずに接続しても、当該切換搬送路１４Ａを介して搬送されるリジェクト紙幣を取込搬送路２８ＡＸへと受け渡すことができる。
【０４８９】
ところで、連結部３５は、上述したように一方向受渡部３９及び複数の双方向受渡部４０乃至４４を介して切換搬送部１４及び後側搬送部１８と、リジェクト庫搬送部２８Ａ及び複数の収納庫搬送部２９Ａ乃至３３Ａとを連結する。
【０４９０】
すなわち、連結部３５は、複数の双方向受渡部４０乃至４４については、切換搬送部１４及び後側搬送部１８の対応する搬送路接続部分に対して位置決めしたうえで、双方向受渡路４０Ａ乃至４４Ａの上端部を、切換搬送路１４Ａ及び後側搬送路１８Ａの対応する接続用分岐部分の下端部と段差が無いように接続している。
【０４９１】
また連結部３５は、複数の双方向受渡部４０乃至４４については、当該複数の双方向受渡部４０乃至４４に対して複数の紙幣収納庫２９乃至３３の収納庫搬送部２９Ａ乃至３３Ａを位置決めしたうえで、双方向受渡路４０Ａ乃至４４Ａの下端部を、対応する取込繰出搬送路２９ＡＸ乃至３３ＡＸの上端部と段差が無いように接続している。
【０４９２】
さらに連結部３５は、一方向受渡部３９については、切換搬送部１４の対応する搬送路接続部分との位置ずれを吸収可能な構造として（すなわち、一方向受渡路３９Ａの上端部の受渡路縦幅を上から下へ徐々に狭くして）、一方向受渡路３９Ａの上端部を切換搬送路１４Ａの対応する接続用分岐部分の下端部と接続している。
【０４９３】
さらにまたリジェクト庫２８は、リジェクト庫搬送部２８Ａを一方向受渡部３９との位置ずれを吸収可能な構造として（すなわち、取込搬送路２８ＡＸの上端部の搬送路縦幅を上から下へ徐々に狭くして）いる。
【０４９４】
そして連結部３５は、係る構成のもと、一方向受渡路３９Ａの下端部を取込搬送路２８ＡＸの上端部と接続している。
【０４９５】
これにより連結部３５は、一方向受渡部３９及び複数の双方向受渡部４０乃至４４により、切換搬送部１４及び後側搬送部１８とリジェクト庫搬送部２８Ａ及び複数の収納庫搬送部２９Ａ乃至３３Ａとの間でリジェクト紙幣及び入出金用の紙幣を受け渡すように搬送する場合にジャム（すなわち、紙幣の詰まり）が発生することを防止している。
【０４９６】
（１−４）上部ユニットの構成
次いで、上部ユニット１０の構成について説明する。図２３及び図２４に示すように、上部ユニット１０は、例えば、略枠状の上部フレーム１７０を有している。
【０４９７】
上部フレーム１７０は、装置前後方向に長い略長方形枠板状の底板１７０Ａを有し、当該底板１７０Ａの左端及び右端に、それぞれ前端から後端に亘る略短冊状の左側板１７０Ｂ及び右側板１７０Ｃが垂設されている。
【０４９８】
そして上部フレーム１７０は、一時保持部１３、切換搬送部１４、鑑別搬送ユニット１５及び入出金搬送ユニット１６が底板に載せるようにして設けられている。
【０４９９】
因みに、上部フレーム１７０は、左側板１７０Ｂ及び右側板１７０Ｃの高さ（すなわち、装置上下方向の長さ）が比較的低く選定されている。
【０５００】
よって上部フレーム１７０は、一時保持部１３、切換搬送部１４及び鑑別搬送ユニット１５各々の下端部を左側板１７０Ｂ及び右側板１７０Ｃの間に位置させ、当該一時保持部１３、切換搬送部１４及び鑑別搬送ユニット１５各々の中央部及び上端部を左側板１７０Ｂ及び右側板１７０Ｃの上側に突出させている。
【０５０１】
一時保持部１３は、装置左右方向に沿って所定の間隔で対向配置される略長方形状の一対の左側板１７２及び右側板１７３を有している。
【０５０２】
左側板１７２及び右側板１７３は、それぞれ後下隅部が切り欠かれており、下後端部よりも下前端部が下側へ僅かに張り出している。
【０５０３】
そして一時保持部１３は、その左側板１７２及び右側板１７３の間に、上述した複数のローラや複数の搬送ベルト、１個の回転ドラム、一対又は複数対のテープリールがそれぞれ装置左右方向と平行な回動軸を中心にして一回転方向及び他回転方向へ回動可能に設けられている。
【０５０４】
入出金搬送ユニット１６は、装置左右方向に沿って一時保持部１３の左側板１７２及び右側板１７３の間隔よりも広い所定の間隔で対向配置される略Ｌ字状の一対の左側板１７５及び右側板１７６を有している。
【０５０５】
左側板１７５及び右側板１７６は、それぞれ略短冊状の脚部１７５Ａ、１７６Ａの長さ（すなわち、装置上下方向の長さ）が一時保持部１３の左側板１７２及び右側板１７３の高さ（すなわち、装置上下方向の長さ）以上の所定長さに選定されている。
【０５０６】
また左側板１７５及び右側板１７６は、それぞれ脚部１７５Ａ、１７６Ａを前側に位置させ、略長方形状の胴体部１７５Ｂ、１７６Ｂを当該脚部１７５Ａ、１７６Ａの後斜め上側に位置させている。
【０５０７】
そして入出金搬送ユニット１６は、その左側板１７５の胴体部１７５Ｂ及び右側板１７６の胴体部１７６Ｂの間に、入出金部１９の構成部品である上述した１個の紙幣受取部２１、２個の紙幣引渡部２２、２３が例えば、僅かに傾斜させて設けられている。
【０５０８】
因みに、入出金搬送ユニット１６は、左側板１７５の胴体部１７５Ｂ及び右側板１７６の胴体部１７６Ｂの間に例えば、２個の紙幣引渡部２２、２３が、それぞれ出金用の紙幣を取り込む際と、その出金用の紙幣を行員又は顧客へ引き渡す際とで傾斜角度を可変可能に設けられている。
【０５０９】
また入出金搬送ユニット１６は、左側板１７５の胴体部１７５Ｂ及び右側板１７６の胴体部１７６Ｂの間に、入出金部１９の構成部品である上述した紙幣の繰出用及び取込用の複数のローラもそれぞれ装置左右方向と平行な回動軸を中心にして一回転方向及び他回転方向へ回動可能に設けられている。
【０５１０】
さらに入出金搬送ユニット１６は、左側板１７５の胴体部１７５Ｂ及び右側板１７６の胴体部１７６Ｂの間に、上側搬送部２０の構成部品である上述した複数の搬送ローラや複数の搬送ベルト、複数の搬送方向切換ブレードがそれぞれ装置左右方向と平行な回動軸を中心にして一回転方向及び他回転方向へ回動可能に設けられると共に、複数の搬送ガイドが固設されている。
【０５１１】
これにより入出金搬送ユニット１６は、左側板１７５の胴体部１７５Ｂ及び右側板１７６の胴体部１７６Ｂの間に、上述した上側繰出搬送路２０Ａ及び上側取込搬送路２０Ｂを形成している。
【０５１２】
因みに、以下の説明では、入出金搬送ユニット１６において左側板１７５の胴体部１７５Ｂ及び右側板１７６の胴体部１７６Ｂを基に構成される略直方体状の部分１６Ａを、特に入出金ユニット本体部１６Ａとも呼ぶ。
【０５１３】
切換搬送部１４は、装置左右方向に沿って入出金搬送ユニット１６の左側板１７５及び右側板１７６の間隔よりも広い所定の間隔で対向配置される略四角形状の一対の左側板１７８及び右側板１７９を有している。
【０５１４】
そして切換搬送部１４は、その左側板１７８及び右側板１７９の間に、上述した外径が比較的大きな１個の搬送ローラや、これよりも外径の小さい複数の搬送ローラがそれぞれ装置左右方向と平行な回動軸を中心にして一回転方向及び他回転方向へ回動可能に設けられている。
【０５１５】
また切換搬送部１４は、左側板１７８及び右側板１７９の間に、上述した複数の搬送ベルトや複数の搬送方向切換ブレードがそれぞれ装置左右方向と平行な回動軸を中心にして一回転方向及び他回転方向へ回動可能に設けられると共に、複数の搬送ガイドが固設されている。
【０５１６】
これに加えて切換搬送部１４は、例えば、上部フレーム１７０の左側板１７０Ｂ及び右側板１７０Ｃの間において一時保持部１３の下後端部（すなわち、一時保持部１３の左側板１７２及び右側板１７３の切欠部分の間）と対向する部分にも、切換搬送部１４の構成部品の一部である複数の搬送ローラや複数の搬送ベルトが装置左右方向と平行な回動軸を中心にして一回転方向及び他回転方向へ回動可能に設けられると共に、１又は複数の搬送ガイドが固設されている。
【０５１７】
また切換搬送部１４は、一時保持部１３の左側板１７２及び右側板１７３の間において切欠部分に沿った部分に、切換搬送部１４の構成部品の一部である複数の搬送ローラや複数の搬送ベルトが装置左右方向と平行な回動軸を中心にして一回転方向及び他回転方向へ回動可能に設けられると共に、１又は複数の搬送ガイドが固設されている。
【０５１８】
因みに、以下の説明では、切換搬送部１４において左側板１７８及び右側板１７９を基に構成される部分１４Ｘを、特に切換搬送本体部１４Ｘとも呼ぶ。
【０５１９】
また、以下の説明では、切換搬送部１４において上部フレーム１７０の左側板１７０Ｂ及び右側板１７０Ｃを基に構成される略偏平矩形状の部分１４Ｙを、特にフレーム側切換搬送部１４Ｙとも呼ぶ。
【０５２０】
また、以下の説明では、切換搬送部１４において一時保持部１３の左側板１７２及び右側板１７３を基に構成される略Ｌ字状の部分１４Ｚを、特に一時保持側切換搬送部１４Ｚとも呼ぶ。
【０５２１】
これにより切換搬送部１４は、切換搬送本体部１４Ｘに、上述した切換搬送路１４Ａの上部分、円弧部分及び下部分を形成している。
【０５２２】
また切換搬送部１４は、切換搬送本体部１４Ｘに切換搬送路１４Ａの複数の接続用分岐部分のうち、リジェクト庫２８の取込搬送路２８ＡＸに対応する接続用分岐部分（以下、これを特にリジェクト用分岐部分とも呼ぶ）を除く接続用分岐部分を形成している。
【０５２３】
さらに切換搬送部１４は、フレーム側切換搬送部１４Ｙと一時保持側切換搬送部１４Ｚとの間に切換搬送路１４Ａのリジェクト用分岐部分を形成している。
【０５２４】
鑑別搬送ユニット１５は、装置左右方向に沿って所定の間隔で対向配置される略Ｌ字状の一対の第１左側板１８１及び第１右側板１８２を有している。
【０５２５】
また鑑別搬送ユニット１５は、置左右方向に沿って第１左側板１８１及び第１右側板１８２の間隔よりも狭い所定の間隔で対向配置される略Ｌ字状の一対の第２左側板１８３及び第２右側板１８４も有している。
【０５２６】
第１左側板１８１及び第１右側板１８２は、それぞれ胴体部１８１Ａ、１８２Ａの長さ（すなわち、装置前後方向の長さ）が比較的長い所定長さに選定されている。
【０５２７】
また第１左側板１８１及び第１右側板１８２は、それぞれ脚部１８１Ｂ、１８２Ｂの長さ（すなわち、装置上下方向の長さ）が比較的短い所定長さに選定されている。
【０５２８】
さらに第１左側板１８１及び第１右側板１８２は、それぞれ脚部１８１Ｂ、１８２Ｂの幅（すなわち、装置前後方向の長さ）が胴体部１８１Ａ、１８２Ａの長さよりも格段的に短い所定長さに選定されている。
【０５２９】
そして第１左側板１８１及び第１右側板１８２は、それぞれ脚部１８１Ｂ、１８２Ｂを後側に位置させ、胴体部１８１Ａ、１８２Ａを当該脚部１８１Ｂ、１８２Ｂの前斜め上側に位置させている。
【０５３０】
一方、第２左側板１８３及び第２右側板１８４は、それぞれ胴体部１８３Ａ、１８４Ａの長さ（すなわち、装置前後方向の長さ）が、第１左側板１８１及び第１右側板１８２の胴体部１８１Ａ、１８２Ａの長さ（すなわち、装置前後方向の長さ）よりも短い所定長さに選定されている。
【０５３１】
また第２左側板１８３及び第２右側板１８４は、それぞれ脚部１８３Ｂ、１８４Ｂの長さ（すなわち、装置上下方向の長さ）が、第１左側板１８１及び第１右側板１８２の脚部１８１Ｂ、１８２Ｂの長さ（すなわち、装置上下方向の長さ）よりも長い所定長さに選定されている。
【０５３２】
さらに第２左側板１８３及び第２右側板１８４は、それぞれ脚部１８３Ｂ、１８４Ｂの幅（すなわち、装置前後方向の長さ）が、第１左側板１８１及び第１右側板１８２の脚部１８１Ｂ、１８２Ｂの長さ（すなわち、装置前後方向の長さ）よりも短い所定長さに選定されている。
【０５３３】
そして第２左側板１８３及び第２右側板１８４は、第１左側板１８１の後端部及び第１右側板１８２の後端部の間で、それぞれ脚部１８３Ｂ、１８４Ｂを後側に位置させ、胴体部１８３Ａ、１８４Ａを当該脚部１８３Ｂ、１８４Ｂの前斜め上側に位置させている。
【０５３４】
鑑別搬送ユニット１５は、第１左側板１８１の胴体部１８１Ａ及び第１右側板１８２の胴体部１８２Ａの中央部の間に、鑑別部１７が設けられている。
【０５３５】
因みに、鑑別部１７は、第１左側板１８１の胴体部１８１Ａ及び第１右側板１８２の胴体部１８２Ａの中央部の間に設けられる、各種センサ、及びそれぞれ装置左右方向と平行な回動軸を中心にして一回転方向及び他回転方向へ回動可能な複数のローラ等から構成されている。
【０５３６】
また鑑別搬送ユニット１５は、第１左側板１８１及び第１右側板１８２の間に、後側搬送部１８の構成部品である上述した複数の搬送ローラや複数の搬送ベルト、複数の搬送方向切換ブレードが装置左右方向と平行な回動軸を中心にして一回転方向及び他回転方向へ回動可能に設けられると共に、複数の搬送ガイドが固設されている。
【０５３７】
さらに鑑別搬送ユニット１５は、第２左側板１８３及び第２右側板１８４の間にも、後側搬送部１８の構成部品である上述した複数の搬送ローラや複数の搬送ベルト、複数の搬送方向切換ブレードが装置左右方向と平行な回動軸を中心にして一回転方向及び他回転方向へ回動可能に設けられると共に、複数の搬送ガイドが固設されている。
【０５３８】
これに加えて鑑別搬送ユニット１５は、例えば、上部フレーム１７０の左側板１７０Ｂ及び右側板１７０Ｃの間において第１左側板１８１の胴体部１８１Ａ及び第１右側板１８２の胴体部１８２Ａの間と対向する部分に、後側搬送部１８の構成部品の一部である複数の搬送ローラや複数の搬送ベルト、複数の搬送方向切換ブレードが装置左右方向と平行な回動軸を中心にして一回転方向及び他回転方向へ回動可能に設けられると共に、複数の搬送ガイドが固設されている。
【０５３９】
因みに、以下の説明では、鑑別搬送ユニット１５において第１左側板１８１及び第１右側板１８２を基に構成される略Ｌ字状の部分１５Ａを、特に搬送ユニット本体部１５Ａとも呼ぶ。
【０５４０】
また、以下の説明では、鑑別搬送ユニット１５において第２左側板１８３及び第２右側板１８４を基に構成される部分１５Ｂを、特に搬送ユニットガイド部１５Ｂとも呼ぶ。
【０５４１】
さらに、以下の説明では、鑑別搬送ユニット１５において上部フレーム１７０の左側板１７０Ｂ及び右側板１７０Ｃを基に構成される略偏平矩形状の部分１５Ｃを、特に搬送ユニット固定部１５Ｃとも呼ぶ。
【０５４２】
これにより鑑別搬送ユニット１５は、搬送ユニット本体部１５Ａの前端部（すなわち、第１左側板１８１の胴体部１８１Ａ及び第１右側板１８２の胴体部１８２Ａの間において鑑別部１７の前側）に、上述した後側搬送路１８Ａの鑑別側部分の一部を形成している。
【０５４３】
また鑑別搬送ユニット１５は、搬送ユニットガイド部１５Ｂの略Ｌ字状の内面と、搬送ユニット本体部１５Ａ内の対向部分との間（すなわち、第１左側板１８１及び第１右側板１８２の間において鑑別部１７の後側）に、後側搬送路１８Ａの鑑別側部分において残りの部分を形成すると共に、当該後側搬送路１８Ａの折返部分を形成している。
【０５４４】
さらに鑑別搬送ユニット１５は、搬送ユニット本体部１５Ａの下前端部（すなわち、第１左側板１８１の胴体部１８１Ａ及び第１右側板１８２の胴体部１８２Ａの間の部分）と、搬送ユニット固定部１５Ｃの上端部との間に、後側搬送路１８Ａの鑑別下部分を形成している。
【０５４５】
さらにまた鑑別搬送ユニット１５は、搬送ユニット固定部１５Ｃ内に、後側搬送路１８Ａの複数の接続用分岐部分（すなわち、複数の紙幣収納庫３０乃至３３の取込繰出搬送路３０ＡＸ乃至３３ＡＸに対応する複数の接続用分岐部分）を形成している。
【０５４６】
ところで、上述のように紙幣処理装置１において下部ユニット１１の金庫筐体２６内には、リジェクト庫２８及び複数の紙幣収納庫２９乃至３３に対しリジェクト紙幣及び入出金用の紙幣を、搬送方向を適宜変えて搬送するような搬送路を形成する搬送部は何ら設けられていない。
【０５４７】
また紙幣処理装置１では、上述のように一方向受渡路３９Ａ及び複数の双方向受渡路４０Ａ乃至４４Ａを、切換搬送路１４Ａ及び後側搬送路１８Ａと、取込搬送路２８ＡＸ及び複数の取込繰出搬送路２９ＡＸ乃至３３ＡＸとに、紙幣を詰まらせずに（すなわち、ジャムを発生させずに）受け渡しが可能なように接続している。
【０５４８】
よって紙幣処理装置１では、入金時や出金時の紙幣の搬送中にジャムが発生するとしても、そのジャムの発生箇所を、切換搬送路１４Ａ、後側搬送路１８Ａ、上側繰出搬送路２０Ａ及び上側取込搬送路２０Ｂが形成された上部ユニット１０に制限することができる。
【０５４９】
このため上部ユニット１０は、切換搬送路１４Ａ、後側搬送路１８Ａ、上側繰出搬送路２０Ａ及び上側取込搬送路２０Ｂを介して紙幣を搬送している途中でジャムが発生しても、そのジャムとなった（すなわち、詰まった）紙幣（以下、これをジャム紙幣とも呼ぶ）を取り除くことができるように構成されている。
【０５５０】
すなわち、上部ユニット１０は、上部フレーム１７０に切換搬送部１４（すなわち、切換搬送本体部１４Ｘ及びフレーム側切換搬送部１４Ｙ）は固設されるものの、一時保持部１３、鑑別搬送ユニット１５（すなわち、搬送ユニット本体部１５Ａ及び搬送ユニットガイド部１５Ｂ）及び入出金搬送ユニット１６はそれぞれ開閉可能に設けられている。
【０５５１】
一時保持部１３は、左側板１７２の下前隅部及び右側板１７３の下前隅部（すなわち、互いに下側に張り出している部分の前隅部）の所定の対向位置に軸挿入孔部が穿設されている。
【０５５２】
そして一時保持部１３は、左側板１７２及び右側板１７３の一対の軸挿入孔部に、例えば、上部フレーム１７０の横幅（すなわち、装置左右方向の長さ）以上の所定の長さを有する開閉用の回動軸（以下、これを前側開閉軸とも呼ぶ）１９０が挿入されている。これにより一時保持部１３は、一対の軸挿入孔部を介して前側開閉軸１９０を回動可能に支持している。
【０５５３】
また入出金搬送ユニット１６は、左側板１７５の脚部１７５Ａ及び右側板１７６の脚部１７６Ａの先端付近の所定の対向位置に軸挿入孔部が穿設されている。
【０５５４】
そして入出金搬送ユニット１６は、前側開閉軸１９０において一時保持部１３の左側板１７２の軸挿入孔部から左側に突出している一端部が、左側板１７５の脚部１７５Ａの軸挿入孔部に挿入されている。
【０５５５】
また入出金搬送ユニット１６は、前側開閉軸１９０において一時保持部１３の右側板１７３の軸挿入孔部から右側に突出している他端部が、右側板１７６の脚部１７６Ａの軸挿入孔部に挿入されている。
【０５５６】
これにより入出金搬送ユニット１６は、左側板１７５の脚部１７５Ａ及び右側板１７６の脚部１７６Ａの間に一時保持部１３の前端部を入り込ませた状態で、一対の軸挿入孔部を介して前側開閉軸１９０を回動可能に支持している。
【０５５７】
さらに上部フレーム１７０は、左側板１７０Ｂの前端付近及び右側板１７０Ｃの前端付近の所定の対向位置に軸固定用孔部（以下、これらをそれぞれ前側軸固定用孔部とも呼ぶ）が穿設されている。
【０５５８】
そして上部フレーム１７０は、前側開閉軸１９０において入出金搬送ユニット１６の左側板１７５の軸挿入孔部から左側に突出している一端部が、当該上部フレーム１７０の左側板１７０Ｂの前側軸固定用孔部に挿入されて固定されている。
【０５５９】
また上部フレーム１７０は、前側開閉軸１９０において入出金搬送ユニット１６の右側板１７６の軸挿入孔部から右側に突出している他端部が、当該上部フレーム１７０の右側板１７０Ｃの前側軸固定用孔部に挿入されて固定されている。
【０５６０】
これにより上部フレーム１７０は、一時保持部１３及び入出金搬送ユニット１６を、前側開閉軸１９０を中心にして一回転方向及び他回転方向へ個別に回動可能なように支持している。
【０５６１】
因みに、上部フレーム１７０は、例えば、左側板１７０Ｂの前端部及び右側板１７０Ｃの前端部において上述した一対の前側軸固定用孔部の穿設位置よりも前（すなわち、前側開閉軸１９０よりも前）の所定の対向位置に軸挿入孔部（図示せず）が穿設されている。
【０５６２】
また上述したユニットカバー４は、例えば、下端部に当該ユニットカバー４を開閉するための図示しない回動軸（以下、これをカバー開閉軸とも呼ぶ）が固設されている。
【０５６３】
そして上部フレーム１７０は、一対の軸挿入孔部を介してカバー開閉軸を、装置左右方向と平行にした姿勢で一回転方向及び他回転方向へ回動可能に支持している。
【０５６４】
これにより上部ユニット１０は、一時保持部１３及び入出金搬送ユニット１６に対しユニットカバー４を開閉させることができる。
【０５６５】
すなわち、上部ユニット１０は、ユニットカバー４を、入出金搬送ユニット１６の上端部及び一時保持部１３の前端部から離隔させて前側へ待避させるように開かせ、また当該入出金搬送ユニット１６の上端部及び一時保持部１３の前端部に近接させるように閉じさせることができる。
【０５６６】
よって上部ユニット１０は、作業者により装置筐体２から引き出されてユニットカバー４が開かれると、その状態でさらに入出金搬送ユニット１６及び一時保持部１３をそれぞれ開閉させることができる。
【０５６７】
すなわち、上部ユニット１０は、一時保持部１３及び切換搬送部１４に対し入出金搬送ユニット１６を開閉させることができる。また上部ユニット１０は、上部フレーム１７０に対し一時保持部１３を開閉させることができる。
【０５６８】
一方、鑑別搬送ユニット１５において搬送ユニットガイド部１５Ｂは、第２左側板１８３の脚部１８３Ｂ及び第２右側板１８４の脚部１８４Ｂの先端付近の所定の対向位置に軸挿入孔部が穿設されている。
【０５６９】
そして搬送ユニットガイド部１５Ｂは、第２左側板１８３及び第２右側板１８４の一対の軸挿入孔部に、例えば、上部フレーム１７０の横幅（すなわち、装置左右方向の長さ）以上の所定の長さを有する開閉用の回動軸（以下、これを後側開閉軸とも呼ぶ）１９１が挿入されている。
【０５７０】
これにより搬送ユニットガイド部１５Ｂは、第２左側板１８３及び第２右側板１８４の一対の軸挿入孔部を介して後側開閉軸１９１を回動可能に支持している。
【０５７１】
また鑑別搬送ユニット１５において搬送ユニット本体部１５Ａは、第１左側板１８１の脚部１８１Ｂ及び第１右側板１８２の脚部１８２Ｂの先端付近の所定の対向位置に軸挿入孔部が穿設されている。
【０５７２】
そして搬送ユニット本体部１５Ａは、後側開閉軸１９１において搬送ユニットガイド部１５Ｂの第２左側板１８３の軸挿入孔部から左側に突出している一端部が、第１左側板１８１の軸挿入孔部に回動可能に挿入されている。
【０５７３】
また搬送ユニット本体部１５Ａは、後側開閉軸１９１において搬送ユニットガイド部１５Ｂの第２右側板１８４の軸挿入孔部から右側に突出している他端部が、第１右側板１８２の軸挿入孔部に回動可能に挿入されている。
【０５７４】
これにより搬送ユニット本体部１５Ａは、第１左側板１８１の後端部及び第１右側板１８２の後端部の間に搬送ユニットガイド部１５Ｂを入り込ませた状態で、当該第１左側板１８１及び第１右側板１８２の一対の軸挿入孔部を介して後側開閉軸１９１を回動可能に支持している。
【０５７５】
さらに上部フレーム１７０は、左側板１７０Ｂの後端付近及び右側板１７０Ｃの後端付近の所定の対向位置に軸固定用孔部（以下、これらをそれぞれ後側軸固定用孔部とも呼ぶ）が穿設されている。
【０５７６】
そして上部フレーム１７０は、後側開閉軸１９１において搬送ユニット本体部１５Ａの第１左側板１８１の軸挿入孔部から左側に突出している一端部が、当該上部フレーム１７０の左側板１７０Ｂの後側軸固定用孔部に挿入されて固定されている。
【０５７７】
また上部フレーム１７０は、後側開閉軸１９１において搬送ユニット本体部１５Ａの第１右側板１８２の軸挿入孔部から右側に突出している他端部が、当該上部フレーム１７０の右側板１７０Ｃの後側軸固定用孔部に挿入されて固定されている。
【０５７８】
これにより上部フレーム１７０は、鑑別搬送ユニット１５の搬送ユニット本体部１５Ａ及び搬送ユニットガイド部１５Ｂを、後側開閉軸１９１を中心にして一回転方向及び他回転方向へ個別に回動可能なように支持している。
【０５７９】
よって上部ユニット１０は、作業者により装置筐体２から引き出されると、鑑別搬送ユニット１５も開閉させることができる。
【０５８０】
すなわち、上部ユニット１０は、鑑別搬送ユニット１５において搬送ユニット固定部１５Ｃに対し搬送ユニット本体部１５Ａを開閉させることができる。
【０５８１】
また上部ユニット１０は、鑑別搬送ユニット１５において搬送ユニット本体部１５Ａに対し搬送ユニットガイド部１５Ｂを開閉させることができる。
【０５８２】
これに加えて上部ユニット１０は、鑑別搬送ユニット１５において搬送ユニット本体部１５Ａが開かれた際、その開角度を規制して、当該搬送ユニット本体部１５Ａが所定の開角度（以下、これを搬送ユニット開角度とも呼ぶ）で開いた状態を維持するための開角度規制部（以下、これを搬送ユニット角度規制部とも呼ぶ）２００を有している。
【０５８３】
また上部ユニット１０は、入出金搬送ユニット１６が開かれた際、その開角度を規制して、当該入出金搬送ユニット１６が所定の開角度（以下、これを入出金ユニット開角度とも呼ぶ）で開いた状態を維持するための開角度規制部（以下、これを入出金ユニット角度規制部とも呼ぶ）２０１も有している。
【０５８４】
さらに上部ユニット１０は、一時保持部１３の開閉を制御するための開閉制御部２０２も有している。
【０５８５】
搬送ユニット角度規制部２００は、搬送ユニット本体部１５Ａの開角度を規制するための棒状のステー（以下、これを搬送ユニットステーとも呼ぶ）２０５を有している。
【０５８６】
搬送ユニットステー２０５は、一端部に軸係合孔部が穿設されると共に、他端部に係合突起（図示せず）が垂設されている。
【０５８７】
また搬送ユニット本体部１５Ａは、第１左側板１８１の左面において例えば、前端部の所定位置にステー支持軸２０６が垂設されている。
【０５８８】
そして搬送ユニット本体部１５Ａは、ステー支持軸２０６を搬送ユニットステー２０５の軸係合孔部に挿入するようにして、当該搬送ユニットステー２０５を、そのステー支持軸２０６を中心にして一回転方向及び他回転方向へ回動可能に支持している。
【０５８９】
さらに上部フレーム１７０は、左側板１７０Ｂの例えば、中央部に、搬送ユニットステー２０５用の前後に長い長孔でなる係合孔部（以下、これを搬送ユニット用係合孔部とも呼ぶ）１７０ＢＸが形成されている。
【０５９０】
そして上部フレーム１７０は、搬送ユニット用係合孔部１７０ＢＸに搬送ユニットステー２０５の係合突起を挿入するようにして、当該搬送ユニット用係合孔部１７０ＢＸに搬送ユニットステー２０５の係合突起を装置前方向及び装置後方向へ摺動可能で、かつ外れないように係合している。
【０５９１】
因みに、上部フレーム１７０は、搬送ユニット用係合孔部１７０ＢＸの前端寄りの所定位置及び後端寄りの所定位置にそれぞれ幅を僅かに狭めて、搬送ユニットステー２０５の係合突起を当該搬送ユニット用係合孔部１７０ＢＸの前端部及び後端部に一時的に留めるための前側絞り部及び後側絞り部が形成されている。
【０５９２】
入出金ユニット角度規制部２０１は、入出金搬送ユニット１６の開角度を規制するための棒状のステー（以下、これを入出金ユニットステーとも呼ぶ）２０７を有している。
【０５９３】
入出金ユニットステー２０７も、搬送ユニットステー２０５と同様に、一端部に軸係合孔部が穿設されると共に、他端部に係合突起（図示せず）が垂設されている。
【０５９４】
また入出金搬送ユニット１６は、左側板１７５の左面において例えば、胴体部１７５Ｂの前下端部の所定位置にステー支持軸２０８が垂設されている。
【０５９５】
そして入出金搬送ユニット１６は、ステー支持軸２０８を入出金ユニットステー２０７の軸係合孔部に挿入するようにして、当該入出金ユニットステー２０７を、そのステー支持軸２０８を中心にして一回転方向及び他回転方向へ回動可能に支持している。
【０５９６】
さらに上部フレーム１７０は、左側板１７０Ｂにおいて例えば、搬送ユニット用係合孔部１７０ＢＸよりも前側に、入出金ユニットステー２０７用の前後に長い長孔でなる係合孔部（以下、これを入出金ユニット用係合孔部とも呼ぶ）１７０ＢＹが形成されている。
【０５９７】
そして上部フレーム１７０は、入出金ユニット用係合孔部１７０ＢＹに入出金ユニットステー２０７の係合突起を挿入するようにして、当該入出金ユニット用係合孔部１７０ＢＹに入出金ユニットステー２０７の係合突起を装置前方向及び装置後方向へ摺動可能で、かつ外れないように係合している。
【０５９８】
因みに、上部フレーム１７０は、入出金ユニット用係合孔部１７０ＢＹの前端寄りの所定位置及び後端寄りの所定位置にもそれぞれ幅を僅かに狭めて、入出金ユニットステー２０７の係合突起を当該入出金ユニット用係合孔部１７０ＢＹの前端部及び後端部に一時的に留めるための前側絞り部及び後側絞り部が形成されている。
【０５９９】
開閉制御部２０２は、一時保持部１３の開閉を制御するための略短冊状のステー（以下、これを開閉制御ステーとも呼ぶ）２０９を有している。
【０６００】
開閉制御ステー２０９は、一端部に軸係合孔部が穿設されると共に、他端部に、当該開閉制御ステー２０９の長手方向と平行な長孔でなる係合孔部（以下、これを開閉用係合孔部とも呼ぶ）２０９Ａが形成されている。
【０６０１】
また入出金搬送ユニット１６は、左側板１７５の左面において例えば、脚部１７５Ａの根元部の所定位置に円柱状のステー支持軸２１０が垂設されている。
【０６０２】
そして入出金搬送ユニット１６は、ステー支持軸２１０を開閉制御ステー２０９の軸係合孔部に挿入するようにして、当該開閉制御ステー２０９を、そのステー支持軸２１０を中心にして一回転方向及び他回転方向へ回動可能に支持している。
【０６０３】
さらに一時保持部１３は、左側板１７２の左面において例えば、上端部の所定位置に、係合突起２１１が垂設されている。
【０６０４】
そして一時保持部１３は、係合突起２１１を開閉制御ステー２０９の開閉用係合孔部２０９Ａに挿入するようにして、当該開閉制御ステー２０９の開閉用係合孔部２０９Ａに係合突起２１１を摺動可能で、かつ外れないように係合させている。
【０６０５】
図２５に示すように、上部ユニット１０は、係る構成のもと、装置筐体２から引き出された状態で、作業者によりユニットカバー４が開かれた後、さらに入出金ユニット本体部１６Ａの後端部が前斜め上側へ持ち上げられると、入出金搬送ユニット１６を、前側開閉軸１９０を中心にして一回転方向へ回転させる。
【０６０６】
この際、上部ユニット１０は、入出金搬送ユニット１６の一回転方向への回転に伴い、その入出金搬送ユニット１６により入出金ユニットステー２０７を前斜め上側へ引っ張るようにして変位させると共に、開閉制御ステー２０９を前側へ引っ張るようにして変位させる。
【０６０７】
ただし、上部ユニット１０は、上述のように、入出金ユニットステー２０７の係合突起が入出金ユニット用係合孔部１７０ＢＹに係合していると共に、開閉制御ステー２０９の開閉用係合孔部２０９Ａに係合突起２１１が係合している。
【０６０８】
このため上部ユニット１０は、入出金ユニットステー２０７を、その前斜め上側への変位に応じてステー支持軸２０８を中心にして他回転方向へ回転させながら、入出金ユニット用係合孔部１７０ＢＹ内で当該入出金ユニットステー２０７の係合突起を前側へ摺動（すなわち、移動）させる。
【０６０９】
また上部ユニット１０は、開閉制御ステー２０９を、その前側への変位に応じてステー支持軸２１０を中心にして他回転方向へ回転させながら、当該開閉制御ステー２０９の開閉用係合孔部２０９Ａ内で係合突起２１１を相対的に後側へ摺動（すなわち、移動）させる。
【０６１０】
これにより上部ユニット１０は、開閉制御ステー２０９の開閉用係合孔部２０９Ａの後端が係合突起２１１に突き当たるまでは、入出金搬送ユニット１６のみを一回転方向へ回転させる。
【０６１１】
そして上部ユニット１０は、入出金搬送ユニット１６が一回転方向へある程度回転すると、開閉制御ステー２０９の開閉用係合孔部２０９Ａの後端を係合突起２１１に突き当てる。
【０６１２】
上部ユニット１０は、この状態から入出金搬送ユニット１６が一回転方向へさらに回転すると、その回転に伴い開閉制御ステー２０９の開閉用係合孔部２０９Ａの後端を係合突起２１１に突き当てたまま、当該開閉制御ステー２０９を前側に引っ張るようにして変位させる。
【０６１３】
これにより上部ユニット１０は、入出金搬送ユニット１６の一回転方向への回転に連動させて一時保持部１３も、その後端部を前斜め上側へ持ち上げるようにして一回転方向へ回転させる。
【０６１４】
そして上部ユニット１０は、入出金搬送ユニット１６が入出金ユニット開角度まで回転すると、入出金ユニット用係合孔部１７０ＢＹの前端に入出金ユニットステー２０７の係合突起を突き当てる。
【０６１５】
これにより上部ユニット１０は、入出金搬送ユニット１６の一回転方向への回転を停止させると共に、一時保持部１３の一回転方向への回転も停止させる。
【０６１６】
因みに、上部ユニット１０は、この際、入出金ユニット用係合孔部１７０ＢＹの前端部において入出金ユニットステー２０７の係合突起を前側絞り部の前に位置させることにより、入出金搬送ユニット１６が入出金ユニット開角度で開いた状態を維持することができる。
【０６１７】
このようにして上部ユニット１０は、入出金搬送ユニット１６に対する開操作に応じて、当該入出金搬送ユニット１６を入出金ユニット開角度まで開くと共に、入出金ユニット本体部１６Ａと上部フレーム１７０の底板１７０Ａとの間で一時保持部１３を所定の開角度（以下、これを一時保持部開角度とも呼ぶ）まで開くことができる。
【０６１８】
そして上部ユニット１０は、このように入出金搬送ユニット１６及び一時保持部１３を開いた場合、切換搬送路１４Ａから上側繰出搬送路２０Ａ、上側取込搬送路２０Ｂ及び一時保持部１３の紙幣の取込繰出部分を切り離すことができる。
【０６１９】
また上部ユニット１０は、このように入出金搬送ユニット１６及び一時保持部１３を開いた場合、切換搬送路１４Ａのリジェクト用分岐部分を開放することができる。
【０６２０】
そして上部ユニット１０は、入出金搬送ユニット１６と共に一時保持部１３を開いた状態から、作業者により入出金ユニット本体部１６Ａの後端部が後斜め下側へ押し下げられると、当該入出金搬送ユニット１６を、前側開閉軸１９０を中心にして他回転方向へ回転させる。
【０６２１】
この際、上部ユニット１０は、入出金搬送ユニット１６の他回転方向への回転に伴い、その入出金搬送ユニット１６により入出金ユニットステー２０７を後斜め下側へ押すようにして変位させると共に、開閉制御ステー２０９を後側へ押すようにして変位させる。
【０６２２】
すなわち、上部ユニット１０は、入出金ユニットステー２０７を、その後斜め下側への変位に応じてステー支持軸２０８を中心にして一回転方向へ回転させながら、入出金ユニット用係合孔部１７０ＢＹ内で入出金ユニットステー２０７の係合突起を後側へ摺動（すなわち、移動）させる。
【０６２３】
また上部ユニット１０は、開閉制御ステー２０９を、その後側への変位に応じてステー支持軸２１０を中心にして一回転方向へ回転させながら、開閉制御ステー２０９の開閉用係合孔部２０９Ａ内で係合突起２１１を相対的に前側へ摺動（すなわち、移動）させる。
【０６２４】
これにより上部ユニット１０は、開閉制御ステー２０９の開閉用係合孔部２０９Ａの前端が係合突起２１１に突き当たるまでは、入出金搬送ユニット１６のみを他回転方向へ回転させる。
【０６２５】
そして上部ユニット１０は、入出金搬送ユニット１６が他回転方向へある程度回転すると、開閉制御ステー２０９の開閉用係合孔部２０９Ａの前端を係合突起２１１に突き当てる。
【０６２６】
上部ユニット１０は、この状態から入出金搬送ユニット１６が他回転方向へさらに回転すると、その回転に伴い開閉制御ステー２０９の開閉用係合孔部２０９Ａの前端を係合突起２１１に突き当てたまま、当該開閉制御ステー２０９を後側へ押すようにして変位させる。
【０６２７】
これにより上部ユニット１０は、入出金搬送ユニット１６の他回転方向への回転に連動させて一時保持部１３も、その後端部を後斜め下側へ押し下げるようにして他回転方向へ回転させる。
【０６２８】
そして上部ユニット１０は、例えば、入出金ユニット用係合孔部１７０ＢＹの後端に入出金ユニットステー２０７の係合突起が突き当たり又は近接すると、入出金搬送ユニット１６の他回転方向への回転を停止させると共に、一時保持部１３の他回転方向への回転も停止させる。
【０６２９】
このようにして上部ユニット１０は、入出金搬送ユニット１６に対する閉操作に応じて、当該入出金搬送ユニット１６を、入出金ユニット本体部１６Ａをほぼ水平にして閉じると共に、その入出金ユニット本体部１６Ａと上部フレーム１７０の底板１７０Ａとの間で一時保持部１３をほぼ水平にして閉じることができる。
【０６３０】
因みに、上部ユニット１０は、この際、入出金ユニット用係合孔部１７０ＢＹの後端部において入出金ユニットステー２０７の係合突起を後側絞り部の後に位置させることにより、入出金搬送ユニット１６が閉じた状態を維持することができる。
【０６３１】
そして上部ユニット１０は、このように入出金搬送ユニット１６及び一時保持部１３を閉じた場合、切換搬送路１４Ａに上側繰出搬送路２０Ａ、上側取込搬送路２０Ｂ及び一時保持部１３の紙幣の取込繰出部分を接続することができる。
【０６３２】
また上部ユニット１０は、このように入出金搬送ユニット１６及び一時保持部１３を閉じた場合、切換搬送路１４Ａのリジェクト用分岐部分を紙幣（すなわち、リジェクト紙幣）の搬送が可能な状態に戻すことができる。
【０６３３】
一方、図２６に示すように、上部ユニット１０は、装置筐体２から引き出された状態（すなわち、鑑別搬送ユニット１５を閉じている状態）で、作業者により搬送ユニットガイド部１５Ｂの前端部が後斜め上側へ持ち上げられると、当該搬送ユニットガイド部１５Ｂを、後側開閉軸１９１を中心にして他回転方向へ回転させる。
【０６３４】
これにより上部ユニット１０は、搬送ユニット本体部１５Ａを閉じたまま、搬送ユニットガイド部１５Ｂのみを所定の開角度（以下、これをガイド開角度とも呼ぶ）まで開かせることができる。
【０６３５】
そして上部ユニット１０は、このように搬送ユニット本体部１５Ａに対し搬送ユニットガイド部１５Ｂを開いた場合、後側搬送路１８Ａの鑑別側部分の後側と、当該後側搬送路１８Ａの折返部分とを開放することができる。
【０６３６】
上部ユニット１０は、このようにして搬送ユニット本体部１５Ａに対し搬送ユニットガイド部１５Ｂを開いた状態から、作業者により当該搬送ユニットガイド部１５Ｂの前端部が前斜め下側へ押し下げられると、その搬送ユニットガイド部１５Ｂを、後側開閉軸１９１を中心にして一回転方向へ回転させる。
【０６３７】
これにより上部ユニット１０は、搬送ユニット本体部１５Ａに対し搬送ユニットガイド部１５Ｂを閉じて一体化することができる。
【０６３８】
そして上部ユニット１０は、このように搬送ユニット本体部１５Ａに対し搬送ユニットガイド部１５Ｂを閉じた場合、後側搬送路１８Ａの鑑別側部分の後側と、当該後側搬送路１８Ａの折返部分とをそれぞれ紙幣の搬送が可能な状態に戻すことができる。
【０６３９】
さらに図２７に示すように、上部ユニット１０は、装置筐体２から引き出された状態（すなわち、鑑別搬送ユニット１５を閉じている状態）で、作業者により搬送ユニット本体部１５Ａの前端部が後斜め上側へ持ち上げられると、当該搬送ユニット本体部１５Ａを搬送ユニットガイド部１５Ｂと一体化したまま、後側開閉軸１９１を中心にして他回転方向へ回転させる。
【０６４０】
この際、上部ユニット１０は、搬送ユニット本体部１５Ａの他回転方向への回転に伴い、その搬送ユニット本体部１５Ａにより搬送ユニットステー２０５を後斜め上側へ引っ張るようにして変位させる。
【０６４１】
ただし、上部ユニット１０は、上述のように、搬送ユニットステー２０５の係合突起が搬送ユニット用係合孔部１７０ＢＸに係合している。
【０６４２】
このため上部ユニット１０は、搬送ユニットステー２０５を、その後斜め上側への変位に応じてステー支持軸２０６を中心にして一回転方向へ回転させながら、搬送ユニット用係合孔部１７０ＢＸ内で当該搬送ユニットステー２０５の係合突起を後側へ摺動（すなわち、移動）させる。
【０６４３】
これにより上部ユニット１０は、搬送ユニット用係合孔部１７０ＢＸの後端に搬送ユニットステー２０５の係合突起が突き当たるまで、搬送ユニット本体部１５Ａを搬送ユニットガイド部１５Ｂと一体化したまま他回転方向へ回転させる。
【０６４４】
そして上部ユニット１０は、搬送ユニット本体部１５Ａが搬送ユニットガイド部１５Ｂと一体化したまま搬送ユニット開角度まで回転すると、搬送ユニット用係合孔部１７０ＢＸの後端に搬送ユニットステー２０５の係合突起を突き当てる。
【０６４５】
これにより上部ユニット１０は、搬送ユニット本体部１５Ａの他回転方向への回転を停止させる。このようにして上部ユニット１０は、搬送ユニット本体部１５Ａに対する開操作に応じて、当該搬送ユニット本体部１５Ａを搬送ユニットガイド部１５Ｂと一体化したまま搬送ユニット開角度まで開くことができる。
【０６４６】
因みに、上部ユニット１０は、この際、搬送ユニット用係合孔部１７０ＢＸの後端部において搬送ユニットステー２０５の係合突起を後側絞り部の後に位置させることにより、搬送ユニット本体部１５Ａが搬送ユニット開角度で開いた状態を維持することができる。
【０６４７】
そして上部ユニット１０は、このように搬送ユニット本体部１５Ａを搬送ユニットガイド部１５Ｂと一体化したまま開いた場合、切換搬送路１４Ａから後側搬送路１８Ａを切り離すことができる。
【０６４８】
また上部ユニット１０は、このように搬送ユニット本体部１５Ａを搬送ユニットガイド部１５Ｂと一体化したまま開いた場合、後側搬送路１８Ａの鑑別下部分を開放することができる。
【０６４９】
上部ユニット１０は、このようにして搬送ユニット本体部１５Ａを搬送ユニットガイド部１５Ｂと一体化したまま開いた状態から、作業者により当該搬送ユニット本体部１５Ａの前端部が前斜め下側へ押し下げられると、当該搬送ユニット本体部１５Ａを搬送ユニットガイド部１５Ｂと一体化したまま、後側開閉軸１９１を中心にして一回転方向へ回転させる。
【０６５０】
この際、上部ユニット１０は、搬送ユニット本体部１５Ａの一回転方向への回転に伴い、その搬送ユニット本体部１５Ａにより搬送ユニットステー２０５を前斜め下側へ押すようにして変位させる。
【０６５１】
すなわち、上部ユニット１０は、搬送ユニットステー２０５を、その前斜め下側への変位に応じてステー支持軸２０６を中心にして他回転方向へ回転させながら、搬送ユニット用係合孔部１７０ＢＸ内で搬送ユニットステー２０５の係合突起を前側へ摺動（すなわち、移動）させる。
【０６５２】
そして上部ユニット１０は、例えば、搬送ユニット用係合孔部１７０ＢＸの前端に搬送ユニットステー２０５の係合突起が突き当たり又は近接すると、搬送ユニット本体部１５Ａの一回転方向への回転を停止させる。
【０６５３】
このようにして上部ユニット１０は、搬送ユニット本体部１５Ａに対する閉操作に応じて、当該搬送ユニット本体部１５Ａを搬送ユニットガイド部１５Ｂと一体化したままほぼ水平にして閉じることができる。
【０６５４】
因みに、上部ユニット１０は、この際、搬送ユニット用係合孔部１７０ＢＸの前端部において搬送ユニットステー２０５の係合突起を前側絞り部の前に位置させることにより、搬送ユニット本体部１５Ａが閉じた状態を維持することができる。
【０６５５】
そして上部ユニット１０は、このように搬送ユニット本体部１５Ａを搬送ユニットガイド部１５Ｂと一体化したまま閉じた場合、切換搬送路１４Ａに後側搬送路１８Ａを接続することができる。
【０６５６】
また上部ユニット１０は、このように搬送ユニット本体部１５Ａを搬送ユニットガイド部１５Ｂと一体化したまま閉じた場合、後側搬送路１８Ａの鑑別下部分を紙幣の搬送が可能な状態に戻すことができる。
【０６５７】
そして上部ユニット１０は、装置筐体２から引き出された場合、作業者に入出金搬送ユニット１６及び一時保持部１３と、鑑別搬送ユニット１５（すなわち、搬送ユニット本体部１５Ａ）を個別に開かせることもできるが、図２８に示すように入出金搬送ユニット１６及び一時保持部１３と鑑別搬送ユニット１５（すなわち、搬送ユニット本体部１５Ａ）とを共に開かせることもできる。
【０６５８】
また上部ユニット１０は、特に図示はしないが、作業者に搬送ユニット本体部１５Ａを搬送ユニットガイド部１５Ｂと一体化したまま開かせるのみならず、搬送ユニット本体部１５Ａを開いた状態で搬送ユニットガイド部１５Ｂも開かせることができる。
【０６５９】
因みに、上部ユニット１０は、作業者に搬送ユニット本体部１５Ａ及び搬送ユニットガイド部１５Ｂを、何れの順番でも開かせることができる。
【０６６０】
すなわち、上部ユニット１０は、作業者に搬送ユニット本体部１５Ａに対し搬送ユニットガイド部１５Ｂを開かせた後、当該搬送ユニット本体部１５Ａを開かせることができる。
【０６６１】
また上部ユニット１０は、作業者に搬送ユニット本体部１５Ａを搬送ユニットガイド部１５Ｂと一体化したまま開かせた後、さらに搬送ユニット本体部１５Ａに対し搬送ユニットガイド部１５Ｂを開かせることもできる。
【０６６２】
実際に上部ユニット１０は、切換搬送路１４Ａ、後側搬送路１８Ａ、上側繰出搬送路２０Ａ及び上側取込搬送路２０Ｂの何れかでジャムが発生した場合、作業者に装置筐体２から当該上部ユニット１０を引き出させる。
【０６６３】
そして上部ユニット１０は、切換搬送路１４Ａ、上側繰出搬送路２０Ａ、上側取込搬送路２０Ｂ及び一時保持部１３の何れかでジャムが発生している場合、作業者に上述のように入出金搬送ユニット１６及び一時保持部１３を開かせる。
【０６６４】
これにより上部ユニット１０は、入出金搬送ユニット１６と一時保持部１３との間や、一時保持側切換搬送部１４Ｚとフレーム側切換搬送部１４Ｙとの間、切換搬送本体部１４Ｘと入出金搬送ユニット１６及び一時保持部１３との間にそれぞれジャム紙幣を取り除くためのジャム紙幣取除空間を形成する。
【０６６５】
よって上部ユニット１０は、作業者に、そのジャム紙幣取除空間に左側や右側、後側等から手を差し入れさせてジャム紙幣を取り除かせることができる。
【０６６６】
また上部ユニット１０は、切換搬送路１４Ａ及び後側搬送路１８Ａの何れかでジャムが発生している場合、作業者に上述のように搬送ユニット本体部１５Ａや搬送ユニットガイド部１５Ｂを開かせる。
【０６６７】
これにより上部ユニット１０は、搬送ユニット本体部１５Ａが搬送ユニットガイド部１５Ｂと一体化したまま開かれた場合、搬送ユニット本体部１５Ａと搬送ユニット固定部１５Ｃとの間や、当該搬送ユニット本体部１５Ａと切換搬送本体部１４Ｘとの間にそれぞれジャム紙幣を取り除くためのジャム紙幣取除空間を形成する。
【０６６８】
また上部ユニット１０は、搬送ユニット本体部１５Ａに対し搬送ユニットガイド部１５Ｂが開かれた場合、その搬送ユニット本体部１５Ａの後端部と搬送ユニットガイド部１５Ｂとの間にジャム紙幣を取り除くためのジャム紙幣取除空間を形成する。
【０６６９】
よって上部ユニット１０は、作業者に、そのジャム紙幣取除空間に左側や右側、前側等から手を差し入れさせてジャム紙幣を取り除かせることができる。
【０６７０】
そして上部ユニット１０は、上述のように入出金搬送ユニット１６及び一時保持部１３と、搬送ユニット本体部１５Ａと、搬送ユニットガイド部１５Ｂとをそれぞれ個別に開閉させることができる。
【０６７１】
このため上部ユニット１０は、作業者にジャム紙幣を取り除く際、入出金搬送ユニット１６及び一時保持部１３と、搬送ユニット本体部１５Ａと、搬送ユニットガイド部１５Ｂとを開閉の順番を気にせずに自由に開閉させることができ、ジャム紙幣を取り除く際の作業効率を向上させることができる。
【０６７２】
また上部ユニット１０は、入出金搬送ユニット１６及び一時保持部１３と、搬送ユニット本体部１５Ａ及び搬送ユニットガイド部１５Ｂとを切換搬送部１４（すなわち、切換搬送本体部１４Ｘ）を境にして観音開きのような関係となるように開かせることができる。
【０６７３】
すなわち、上部ユニット１０は、切換搬送部１４（すなわち、切換搬送本体部１４Ｘ）を境にして入出金搬送ユニット１６及び一時保持部１３を前側に開かせ、搬送ユニット本体部１５Ａ及び搬送ユニットガイド部１５Ｂを後側へ開かせている。
【０６７４】
よって上部ユニット１０は、作業者がジャム紙幣を取り除く際の移動範囲を極力狭くすることができ、作業効率をさらに向上させることができる。
【０６７５】
これに加えて上部ユニット１０は、入出金搬送ユニット１６及び一時保持部１３と、搬送ユニット本体部１５Ａと、搬送ユニットガイド部１５Ｂとを開くために必要なスペースを極力小さくすることができ、ジャム紙幣の取除作業も考慮した紙幣処理装置１の設置スペースを極力小さくすることができる。
【０６７６】
因みに、上部ユニット１０は、一時保持部１３、切換搬送部１４、鑑別搬送ユニット１５及び入出金搬送ユニット１６にそれぞれ手動で搬送ローラや搬送ベルトを回転させるための操作ノブが設けられている。
【０６７７】
よって上部ユニット１０は、入出金搬送ユニット１６及び一時保持部１３や搬送ユニット本体部１５Ａ、搬送ユニットガイド部１５Ｂを開いただけではジャム紙幣を容易には取り除くことができないような場所でジャムが発生した場合でも、作業者に操作ノブを操作させてジャム紙幣を搬送路の切離部分のような取除可能な場所まで手動で搬送させたうえで取り除かせることができる。
【０６７８】
（１−５）第１の実施の形態の動作及び効果
以上の構成において、紙幣処理装置１は、複数の紙幣収納庫２９乃至３３が収納される金庫筐体２６内には、紙幣を搬送するための搬送路を形成する搬送部を設けずに、装置筐体２に引出及び収納可能に設けられる上部ユニット１０に紙幣を搬送するための切換搬送路１４Ａ及び後側搬送路１８Ａを形成する切換搬送部１４及び後側搬送部１８を設けるようにした。
【０６７９】
また紙幣処理装置１は、金庫筐体２６の金庫天板２６Ａに、複数の紙幣収納庫２９乃至３３の取込繰出搬送路２９ＡＸ乃至３３ＡＸと切換搬送路１４Ａ及び後側搬送路１８Ａとの間で紙幣を受け渡すための双方向受渡路４０Ａ乃至４４Ａを設けるようにした。
【０６８０】
さらに紙幣処理装置１は、装置筐体２に上部ユニット１０が収納される際、複数の双方向受渡路４０Ａ乃至４４Ａの上端部と切換搬送路１４Ａ及び後側搬送路１８Ａの対応する接続用分岐部分の下端部とを接続用に位置決めする上側位置決め部１１６を設けるようにした。
【０６８１】
従って紙幣処理装置１は、装置筐体２に上部ユニット１０が収納される際、複数の双方向受渡路４０Ａ乃至４４Ａの上端部と切換搬送路１４Ａ及び後側搬送路１８Ａの対応する接続用分岐部分の下端部とを、紙幣を詰まらせずに受け渡しが可能なように接続することができる。
【０６８２】
このため紙幣処理装置１は、入金時や出金時に搬送中の紙幣が詰まってジャムが発生するとしても、そのジャムの発生箇所を上部ユニット１０の切換搬送路１４Ａ及び後側搬送路１８Ａに制限することができる。
【０６８３】
その結果、紙幣処理装置１は、入金時や出金時に搬送中の紙幣が詰まってジャムが発生しても、装置筐体２から上部ユニット１０のみを引き出させて、切換搬送路１４Ａ及び後側搬送路１８Ａからジャム紙幣を取り除かせることができる。
【０６８４】
特に紙幣処理装置１は、金融機関の運用形態により、金庫筐体２６の金庫扉２６Ｂの開閉が許可された行員のような人物（以下、これを扉開閉許可者とも呼ぶ）と、上部ユニット１０を引き出してジャム紙幣を取り除く作業者とが異なる場合、ジャムの発生時にわざわざ扉開閉許可者を呼ぶようなことをせずに、作業者にジャム紙幣を取り除かせることができる。
【０６８５】
よって紙幣処理装置１は、ジャムの発生時、上部ユニット１０の切換搬送路１４Ａ及び後側搬送路１８Ａからのジャム紙幣の除去に迅速に対処させることができる。
【０６８６】
また紙幣処理装置１は、ジャム紙幣の除去時、金庫筐体２６の金庫扉２６Ｂを開く必要がないため、その金庫扉２６Ｂを閉じたままにして、金庫筐体２６内のリジェクト庫２８及び複数の紙幣収納庫２９乃至３３を誰にも触れさせずにセキュリティーを高めることができる。
【０６８７】
以上の構成によれば、紙幣処理装置１は、上部ユニット１０に紙幣を搬送するための切換搬送路１４Ａ及び後側搬送路１８Ａを形成する切換搬送部１４及び後側搬送部１８を設けると共に、金庫筐体２６の金庫天板２６Ａに、切換搬送路１４Ａ及び後側搬送路１８Ａと当該金庫筐体２６内の複数の紙幣収納庫２９乃至３３の取込繰出搬送路２９ＡＸ乃至３３ＡＸとの間で紙幣を受け渡すための双方向受渡路４０Ａ乃至４４Ａを形成する複数の双方向受渡部４０乃至４４を設け、さらに装置筐体２に上部ユニット１０が収納される際、複数の双方向受渡路４０Ａ乃至４３Ａの上端部と切換搬送路１４Ａ及び後側搬送路１８Ａの対応する接続用分岐部分の下端部とを接続用に位置決めする上側位置決め部１１６とを設けるようにした。
【０６８８】
これにより紙幣処理装置１は、装置筐体２に上部ユニット１０が収納される際、双方向受渡路４０Ａ乃至４４Ａの上端部と切換搬送路１４Ａ及び後側搬送路１８Ａの対応する接続用分岐部分の下端部とをジャムを発生させずに紙幣の受け渡しが可能なように接続して、搬送中の紙幣が詰まってジャムが発生するとしても、その発生箇所を上部ユニット１０の切換搬送路１４Ａ及び後側搬送路１８Ａに制限することができる。
【０６８９】
よって紙幣処理装置１は、搬送中の紙幣が詰まってジャムが発生しても、装置筐体２から上部ユニット１０のみを引き出させて、当該上部ユニット１０の切換搬送路１４Ａ及び後側搬送路１８Ａからジャム紙幣を取り除かせることができ、かくしてジャム紙幣の取除作業を簡易化することができる。
【０６９０】
また紙幣処理装置１は、上部ユニット１０に、上側繰出搬送路２０Ａ及び上側取込搬送路２０Ｂを形成する上側搬送部２０を有する入出金搬送ユニット１６を開閉可能に設けると共に、一時保持部１３を当該入出金搬送ユニット１６の開閉に連動して開閉するように設けるようにした。
【０６９１】
従って紙幣処理装置１は、切換搬送路１４Ａ、上側繰出搬送路２０Ａ及び上側取込搬送路２０Ｂと一時保持部１３で紙幣が詰まってジャムが発生した場合、作業者にジャム紙幣の取除作業において入出金搬送ユニット１６を開かせるだけで一時保持部１３も合わせて開いてジャム紙幣を取り除かせることができ、ジャム紙幣を取り除いた後には、入出金搬送ユニット１６を閉じさせるだけで一時保持部１３も合わせて閉じることができる。
【０６９２】
よって紙幣処理装置１は、切換搬送路１４Ａ、上側繰出搬送路２０Ａ、上側取込搬送路２０Ｂ及び一時保持部１３で紙幣が詰まってジャムが発生した場合のジャム紙幣の取除作業を簡易化することがきる。
【０６９３】
また紙幣処理装置１は、上部ユニット１０に切換搬送部１４及び後側搬送部１８により切換搬送路１４Ａ及び後側搬送路１８Ａ全体で装置前後方向に長いループ状の搬送路を形成するようにした。
【０６９４】
そして紙幣処理装置１では、そのループ状の搬送路のほとんどの部分となる後側搬送路１８Ａを形成する後側搬送部１８が設けられた鑑別搬送ユニット１５を搬送ユニット本体部１５Ａと、これよりも小さく、かつ軽量な搬送ユニットガイド部１５Ｂと、搬送ユニット固定部１５Ｃとから構成し、搬送ユニット本体部１５Ａ及び搬送ユニットガイド部１５Ｂを個別に開閉可能なように設けるようにした。
【０６９５】
従って紙幣処理装置１は、切換搬送路１４Ａ及び後側搬送路１８Ａで紙幣が詰まってジャムが発生した場合、そのジャムが発生した箇所によっては、作業者にわざわざ搬送ユニット本体部１５Ａを開かせることなく、搬送ユニットガイド部１５Ｂのみを開かせてジャム紙幣を取り除かせることができ、作業者の負担を極力減らすことができる。
【０６９６】
さらに紙幣処理装置１は、上部ユニット１０において入出金搬送ユニット１６及び一時保持部１３と、搬送ユニット本体部１５Ａと、搬送ユニットガイド部１５Ｂとを個別に開閉可能なように設けるようにした。
【０６９７】
従って紙幣処理装置１は、ジャムが発生した場合、作業者に入出金搬送ユニット１６及び一時保持部１３と、搬送ユニット本体部１５Ａと、搬送ユニットガイド部１５Ｂとを開閉の順番を気にせずに自由に開閉させることができ、ジャム紙幣を取り除く際の作業効率をさらに向上させることができる。
【０６９８】
さらにまた紙幣処理装置１は、上部ユニット１０において切換搬送部（すなわち、切換搬送本体部１４Ｘ）を境にして入出金搬送ユニット１６及び一時保持部１３と、搬送ユニット本体部１５Ａ及び搬送ユニットガイド部１５Ｂとを観音開きのような関係となるように開閉可能に設けるようにした。
【０６９９】
よって紙幣処理装置１は、上部ユニット１０において作業者がジャム紙幣を取り除く際の移動範囲を極力狭くすることができ、作業効率をさらに向上させることができる。
【０７００】
また紙幣処理装置１は、係る構成により、入出金搬送ユニット１６及び一時保持部１３と、搬送ユニット本体部１５Ａと、搬送ユニットガイド部１５Ｂとを開くために必要なスペースを極力小さくすることができ、ジャム紙幣の取除作業も考慮した当該紙幣処理装置１の設置スペースを極力小さくすることもできる。
【０７０１】
さらに紙幣処理装置１は、上部ユニット１０に、搬送ユニット本体部１５Ａの開角度を規制して、当該搬送ユニット本体部１５Ａが搬送ユニット開角度で開いた状態を維持するための搬送ユニット角度規制部２００を設けるようにした。
【０７０２】
また紙幣処理装置１は、上部ユニット１０に、入出金搬送ユニット１６の開角度を規制して、当該入出金搬送ユニット１６が入出金ユニット開角度で開いた状態を維持するための入出金ユニット角度規制部２０１も設けるようにした。
【０７０３】
さらに紙幣処理装置１は、上部ユニット１０に、入出金搬送ユニット１６と共に一時保持部１３が開かれた際、当該入出金搬送ユニット１６により、その一時保持部１３が一時保持部開角度で開いた状態を維持するように支えるための開閉制御部２０２を設けるようにした。
【０７０４】
従って紙幣処理装置１は、作業者により切換搬送路１４Ａ、後側搬送路１８Ａ、上側繰出搬送路２０Ａ、上側取込搬送路２０Ｂ及び一時保持部１３からジャム紙幣が取り除かれる際、入出金搬送ユニット１６及び一時保持部１３と、搬送ユニット本体部１５Ａとを手で支えなくても開いた状態を維持することができ、作業効率を格段的に向上させ得ると共に、作業者の負担を軽減させることもできる。
【０７０５】
さらに紙幣処理装置１は、複数の双方向受渡部４０乃至４４に前側可動ガイド７２及び後側可動ガイド７３を互いの根元部の一面を対向させて回動可能に設けると共に、当該前側可動ガイド７２及び後側可動ガイド７３を左側連結板８１及び右側連結板８２を介して連結して互いの一面を平行にしたまま回動可能にした。
【０７０６】
そして紙幣処理装置１は、装置筐体２内に上部ユニット１０が収納されたとき、複数の双方向受渡部４０乃至４４の前側可動ガイド７２及び後側可動ガイド７３を、それぞれ切換搬送部１４及び後側搬送部１８の対応する搬送路接続部分の接続部分前ガイド１２０及び接続部分後ガイド１２１の位置に応じて回転させるようにして位置決めしたうえで、当該接続部分前ガイド１２０及び接続部分後ガイド１２１と嵌合させて、複数の双方向受渡路４０Ａ乃至４４Ａの上端部を切換搬送路１４Ａ及び後側搬送路１８Ａの対応する接続用分岐部分の下端部と接続するようにした。
【０７０７】
従って紙幣処理装置１は、複数の双方向受渡部４０乃至４４の前側可動ガイド７２及び後側可動ガイド７３を前側や後側へ傾けた姿勢で切換搬送部１４及び後側搬送部１８の対応する接続部分前ガイド１２０及び接続部分後ガイド１２１と嵌合させても、複数の双方向受渡路４０Ａ乃至４４Ａの上端部と切換搬送路１４Ａ及び後側搬送路１８Ａの対応する接続用分岐部分の下端部とを搬送路縦幅を変化させずに接続することができる。
【０７０８】
すなわち、紙幣処理装置１は、複数の双方向受渡路４０Ａ乃至４４Ａの上端部と切換搬送路１４Ａ及び後側搬送路１８Ａの対応する接続用分岐部分の下端部とを、位置ずれの有無に関わらずに、これらの接続部分内に、当該前側可動ガイド７２及び後側可動ガイド７３の先端部や接続部分前ガイド１２０及び接続部分後ガイド１２１の下端部が入り込んで段差や凹みが形成されることを防止して的確に接続することができる。
【０７０９】
これにより紙幣処理装置１は、実際に複数の双方向受渡路４０Ａ乃至４４Ａを介して、切換搬送路１４Ａ及び後側搬送路１８Ａと複数の紙幣収納庫２９乃至３３の取込繰出搬送路２９ＡＸ乃至３３ＡＸとの間で紙幣を受け渡すときに、双方向受渡路４０Ａ乃至４４Ａの上端部と切換搬送路１４Ａ及び後側搬送路１８Ａの対応する接続用分岐部分の下端部との接続部分で紙幣が詰まってジャムが発生し、また紙幣が破損することをほぼ確実に防止することができる。
【０７１０】
さらに紙幣処理装置１は、複数の双方向受渡部４０乃至４４の後側ガイド保持部７１に上側位置決め部１１６として回転制御レバー８５を、装置後方向に沿って当該回転制御レバー８５の受部を順に右側に所定間隔でずらして取り付けるようにした。
【０７１１】
さらにまた紙幣処理装置１は、切換搬送部１４及び後側搬送部１８の複数の搬送路接続部分それぞれの接続部分前ガイド１２０に上側位置決め部１１６として押付アーム１１５を、装置後方向に沿って当該押付アーム１１５の押付部を順に右側に所定間隔でずらして、回転制御レバー８５の受突起に対向させて取り付けるようにした。
【０７１２】
従って紙幣処理装置１は、上部ユニット１０の収納時、作業者に上部ユニット１０を装置筐体２内に押し込ませるだけで、その押し込みによる切換搬送部１４及び後側搬送部１８の移動により、当該切換搬送部１４及び後側搬送部１８の複数の搬送路接続部分の押付アーム１１５の押付部を、それぞれ対応する双方向受渡部４０乃至４４の回転制御レバー８５の受部に押し付けて前側可動ガイド７２及び後側可動ガイド７３を、接続部分前ガイド１２０及び接続部分後ガイド１２１の位置に応じた角度まで一括して回転させることができる。
【０７１３】
これにより紙幣処理装置１は、上部ユニット１０の収納時、切換搬送路１４Ａ及び後側搬送路１８Ａの複数の接続用分岐部分の下端部に対して、それぞれ対応する双方向受渡路４０Ａ乃至４４Ａの上端部を容易に、かつ精度良く位置決めして接続することができる。
【０７１４】
そして紙幣処理装置１は、切換搬送部１４及び後側搬送部１８の複数の搬送路接続部分の接続部分前ガイド１２０にそれぞれ押付アーム１１５を取り付けると共に、複数の双方向受渡部４０乃至４４の後側ガイド保持部７１にそれぞれ回転制御レバー８５を取り付けることで、切換搬送路１４Ａ及び後側搬送路１８Ａの複数の接続用分岐部分の下端部と、それぞれ対応する双方向受渡路４０Ａ乃至４４Ａの上端部との位置ずれの量や方向にばらつきがあっても、切換搬送路１４Ａ及び後側搬送路１８Ａの複数の接続用分岐部分の下端部に、それぞれ対応する双方向受渡路４０Ａ乃至４４Ａの上端部を個別に精度良く位置決めして接続することができる。
【０７１５】
また紙幣処理装置１は、このように切換搬送路１４Ａ及び後側搬送路１８Ａの複数の接続用分岐部分の下端部に対して、それぞれ対応する双方向受渡路４０Ａ乃至４４Ａの上端部を個別に精度良く位置決めして接続することができるため、当該紙幣処理装置１が工場で組み立てられる際や設置場所での上部ユニット１０の交換の際に、当該上部ユニット１０の装置前後方向に対する位置の調整の要求精度を、押付アーム１１５及び回転制御レバー８５を利用した前側可動ガイド７２及び後側可動ガイド７３の回転による位置決めでカバーできる程度まで下げることもできる。
【０７１６】
そして紙幣処理装置１は、当該紙幣処理装置１が工場で組み立てられる際や設置場所での上部ユニット１０の交換の際に、当該上部ユニット１０の装置前後方向に対する位置の調整の要求精度を下げれば、その分、上部ユニット１０の装置前後方向に対する位置を調整するための作業を簡略化することができる。
【０７１７】
さらに紙幣処理装置１は、複数の双方向受渡部４０乃至４４にそれぞれ下側位置決め部１４５として左側位置決めピン８７及び右側位置決めピン８８を昇降可能に設けると共に、複数の紙幣収納庫２９乃至３３にそれぞれ下側位置決め部１４５として左側位置決め孔部１４０Ｃ及び右側位置決め孔部１４０Ｄを設けるようにした。
【０７１８】
そして紙幣処理装置１は、金庫筐体２６内に金庫扉２６Ｂの開閉に応じて、複数の双方向受渡部４０乃至４４の左側位置決めピン８７及び右側位置決めピン８８を上昇させて、対応する紙幣収納庫２９乃至３３の左側位置決め孔部１４０Ｃ及び右側位置決め孔部１４０Ｄから一括して引き抜き、また当該左側位置決めピン８７及び右側位置決めピン８８を下降させて、対応する紙幣収納庫２９乃至３３の左側位置決め孔部１４０Ｃ及び右側位置決め孔部１４０Ｄに一括して差し込むための差込引抜部１２５を設けるようにした。
【０７１９】
従って紙幣処理装置１は、金庫筐体２６内への収納庫装填ケース２７の収納時、金庫筐体２６の金庫扉２６Ｂを閉じさせるだけで、複数の双方向受渡部４０乃至４４の双方向受渡路４０Ａ乃至４４Ａの下端部に対して、対応する紙幣収納庫２９乃至３３の取込繰出搬送路２９ＡＸ乃至３３ＡＸの上端部を精度良く位置決めして接続することができる。
【０７２０】
また紙幣処理装置１は、金庫筐体２６内からの収納庫装填ケース２７の引出時、金庫筐体２６の金庫扉２６Ｂを開かせるだけで、複数の紙幣収納庫２９乃至３３の左側位置決め孔部１４０Ｃ及び右側位置決め孔部１４０Ｄから、対応する双方向受渡部４０乃至４４の左側位置決めピン８７及び右側位置決めピン８８を一括して引き抜くことができる。
【０７２１】
よって紙幣処理装置１は、金庫筐体２６内からの収納庫装填ケース２７の引出時、金庫筐体２６の金庫扉２６Ｂを開かせると、複数の紙幣収納庫２９乃至３３の左側位置決め孔部１４０Ｃ及び右側位置決め孔部１４０Ｄから複数の双方向受渡部４０乃至４４の左側位置決めピン８７及び右側位置決めピン８８をそれぞれ引き抜かせるための特別な操作を何ら行わせることなく、引き続き金庫筐体２６内から収納庫装填ケース２７を引き出させることができる。
【０７２２】
（２）第２の実施の形態
（２−１）紙幣処理装置の外観構成
次いで、第２の実施の形態による紙幣処理装置２５０（図１）について説明する。ただし、第２の実施の形態による紙幣処理装置２５０は、第１の実施の形態による紙幣処理装置１（図１）と同様の外観構成を有している。
【０７２３】
よって、第２の実施の形態による紙幣処理装置２５０の外観構成については、図１を用いた上述の説明を参照することとして、ここでの説明は省略する。
【０７２４】
（２−２）紙幣処理装置の内部構成
次いで、図２との対応部分に同一符号を付した図２９を用いて、第２の実施の形態による紙幣処理装置２５０の内部構成について説明する。
【０７２５】
図２９に示すように、第２の実施の形態による紙幣処理装置２５０は、上部ユニット２５１の一部構成を除いて上述した第１の実施の形態による紙幣処理装置１と同様に構成されている。
【０７２６】
具体的に上部ユニット２５１は、後述するように一時保持部２５２の開角度を規制して、当該一時保持部２５２が一時保持部開角度で開いた状態を維持するための開角度規制部（以下、これを一時保持角度規制部とも呼ぶ）が設けられた点を除いて、上述した第１の実施の形態による上部ユニット１０と同様に構成されている。
【０７２７】
よって以下には、上部ユニット２５１の構成について、上述した第１の実施の形態による上部ユニット１０の構成とは異なる部分のみを説明し、他の同一部分については、図２３及び図２４を用いた上述の説明を参照することとして、ここでの説明は省略する。
の説明は省略する。
【０７２８】
（２−３）上部ユニットの構成
図２３及び図２４の対応部分に同一符号を付した図３０に示すように、上部ユニット２５１は、上述した一時保持角度規制部２５５を有している。
【０７２９】
一時保持角度規制部２５５は、一時保持部２５２の開角度を規制するための棒状のステー（以下、これを一時保持部ステーとも呼ぶ）２５６を有している。
【０７３０】
一時保持部ステー２５６は、一端部に軸係合孔部が穿設されると共に、他端部に係合突起（図示せず）が垂設されている。
【０７３１】
また一時保持部２５２は、左側板２５７の左面において例えば、前端部の中央寄りの所定位置にステー支持軸２５８が突設されている。
【０７３２】
そして一時保持部２５２は、ステー支持軸２５８を一時保持部ステー２５６の軸係合孔部に挿入するようにして、当該一時保持部ステー２５６を、そのステー支持軸２５８を中心にして一回転方向及び他回転方向へ回動可能に支持している。
【０７３３】
さらに上部フレーム２６０は、基本的には上述した第１の実施の形態による上部ユニット１０の上部フレーム１７０と同様に形成されているものの、左側板２６０Ａにおいて例えば、入出金ユニット用係合孔部１７０ＢＹよりも前側に、一時保持部ステー２５６用の前後に長い長孔でなる係合孔部（以下、これを一時保持用係合孔部とも呼ぶ）２６０ＡＸが形成されている。
【０７３４】
そして上部フレーム２６０は、一時保持用係合孔部２６０ＡＸに一時保持部ステー２５６の係合突起を挿入するようにして、当該一時保持用係合孔部２６０ＡＸに一時保持部ステー２５６の係合突起を装置前方向及び装置後方向へ摺動可能で、かつ外れないように係合している。
【０７３５】
因みに、上部フレーム２６０は、一時保持用係合孔部２６０ＡＸの前端寄りの所定位置及び後端寄りの所定位置にそれぞれ幅を僅かに狭めて、一時保持部ステー２５６の係合突起を当該一時保持用係合孔部２６０ＡＸの前端部及び後端部に一時的に留めるための前側絞り部及び後側絞り部が形成されている。
【０７３６】
図２５との対応部分に同一符号を付した図３１に示すように、上部ユニット２５１は、係る構成のもと、装置筐体２から引き出された状態で、作業者によりユニットカバー４が開かれた後、さらに入出金ユニット本体部１６Ａの後端部が前斜め上側へ持ち上げられると、入出金搬送ユニット１６を、前側開閉軸１９０を中心にして一回転方向へ回転させる。
【０７３７】
この際、上部ユニット２５１は、入出金搬送ユニット１６の一回転方向への回転に伴い、その入出金搬送ユニット１６により入出金ユニットステー２０７を前斜め上側へ引っ張るようにして変位させると共に、開閉制御ステー２０９を前側へ引っ張るようにして変位させる。
【０７３８】
よって上部ユニット２５１は、入出金ユニットステー２０７を、その前斜め上側への変位に応じてステー支持軸２０８を中心にして他回転方向へ回転させながら、入出金ユニット用係合孔部１７０ＢＹ内で当該入出金ユニットステー２０７の係合突起を前側へ摺動（すなわち、移動）させる。
【０７３９】
また上部ユニット２５１は、開閉制御ステー２０９を、その前側への変位に応じてステー支持軸２１０を中心にして他回転方向へ回転させながら、当該開閉制御ステー２０９の開閉用係合孔部２０９Ａ内で係合突起２１１を相対的に後側へ摺動（すなわち、移動）させる。
【０７４０】
これにより上部ユニット２５１は、開閉制御ステー２０９の開閉用係合孔部２０９Ａの後端が係合突起２１１に突き当たるまでは、入出金搬送ユニット１６のみを一回転方向へ回転させる。
【０７４１】
そして上部ユニット２５１では、入出金搬送ユニット１６が一回転方向へある程度回転すると、開閉制御ステー２０９の開閉用係合孔部２０９Ａの後端を係合突起２１１に突き当てる。
【０７４２】
上部ユニット２５１は、この状態から入出金搬送ユニット１６が一回転方向へさらに回転すると、その回転に伴い開閉制御ステー２０９の開閉用係合孔部２０９Ａの後端を係合突起２１１に突き当てたまま、当該開閉制御ステー２０９を前側に引っ張るようにして変位させる。
【０７４３】
これにより上部ユニット２５１は、入出金搬送ユニット１６の一回転方向への回転に連動させて一時保持部２５２も、その後端部を前斜め上側へ持ち上げるようにして一回転方向へ回転させる。
【０７４４】
ただし、上部ユニット２５１は、この際、一時保持部２５２の一回転方向への回転に伴い、その一時保持部２５２により一時保持部ステー２５６を前斜め上側へ引っ張るようにして変位させる。
【０７４５】
そして上部ユニット２５１は、上述のように一時保持部ステー２５６の係合突起が一時保持用係合孔部２６０ＡＸに係合している。
【０７４６】
このため上部ユニット２５１は、一時保持部ステー２５６を、その前斜め上側への変位に応じてステー支持軸２５８を中心にして他回転方向へ回転させながら、一時保持用係合孔部２６０ＡＸ内で当該一時保持部ステー２５６の係合突起を前側へ摺動（すなわち、移動）させる。
【０７４７】
そして上部ユニット２５１は、入出金搬送ユニット１６が入出金ユニット開角度まで回転し、かつ一時保持部２５２が一時保持部開角度まで回転すると、入出金ユニット用係合孔部１７０ＢＹの前端に入出金ユニットステー２０７の係合突起を突き当てると共に、一時保持用係合孔部２６０ＡＸの前端に一時保持部ステー２５６の係合突起を突き当てる。
【０７４８】
これにより上部ユニット２５１は、入出金搬送ユニット１６の一回転方向への回転を停止させると共に、一時保持部２５２の一回転方向への回転も停止させる。
【０７４９】
因みに、上部ユニット２５１は、この際、入出金ユニット用係合孔部１７０ＢＹの前端部において入出金ユニットステー２０７の係合突起を前側絞り部の前に位置させることにより、入出金搬送ユニット１６が入出金ユニット開角度で開いた状態を維持することができる。
【０７５０】
また上部ユニット２５１は、この際、一時保持用係合孔部２６０ＡＸの前端部において一時保持部ステー２５６の係合突起を前側絞り部の前に位置させることにより、一時保持部２５２が一時保持部開角度で開いた状態を維持することができる。
【０７５１】
このようにして上部ユニット２５１は、入出金搬送ユニット１６に対する開操作に応じて、当該入出金搬送ユニット１６を入出金ユニット開角度まで開くと共に、入出金ユニット本体部１６Ａと上部フレーム２６０の底板２６０Ｂとの間で一時保持部２５２を一時保持部開角度まで開くことができる。
【０７５２】
そして上部ユニット２５１は、このように入出金搬送ユニット１６及び一時保持部２５２を開いた場合、切換搬送路１４Ａから上側繰出搬送路２０Ａ、上側取込搬送路２０Ｂ及び一時保持部２５２の紙幣の取込繰出部分を切り離すことができる。
【０７５３】
また上部ユニット２５１は、このように入出金搬送ユニット１６及び一時保持部２５２を開いた場合、切換搬送路１４Ａのリジェクト用分岐部分を開放することができる。
【０７５４】
そして上部ユニット２５１は、入出金搬送ユニット１６と共に一時保持部２５２を開いた状態から、作業者により入出金ユニット本体部１６Ａの後端部が後斜め下側へ押し下げられると、当該入出金搬送ユニット１６を、前側開閉軸１９０を中心にして他回転方向へ回転させる。
【０７５５】
この際、上部ユニット２５１は、入出金搬送ユニット１６の他回転方向への回転に伴い、その入出金搬送ユニット１６により入出金ユニットステー２０７を後斜め下側へ押すようにして変位させると共に、開閉制御ステー２０９を後側へ押すようにして変位させる。
【０７５６】
すなわち、上部ユニット２５１は、入出金ユニットステー２０７を、その後斜め下側への変位に応じてステー支持軸２０８を中心にして一回転方向へ回転させながら、入出金ユニット用係合孔部１７０ＢＹ内で入出金ユニットステー２０７の係合突起を後側へ摺動（すなわち、移動）させる。
【０７５７】
また上部ユニット２５１は、開閉制御ステー２０９を、その後側への変位に応じてステー支持軸２１０を中心にして一回転方向へ回転させながら、当該開閉制御ステー２０９の開閉用係合孔部２０９Ａ内で係合突起２１１を相対的に前側へ摺動（すなわち、移動）させる。
【０７５８】
これにより上部ユニット２５１は、開閉制御ステー２０９の開閉用係合孔部２０９Ａの前端を係合突起２１１に突き当てるまでは、入出金搬送ユニット１６のみを他回転方向へ回転させる。
【０７５９】
そして上部ユニット２５１は、入出金搬送ユニット１６が他回転方向へある程度回転すると、開閉制御ステー２０９の開閉用係合孔部２０９Ａの前端を係合突起２１１に突き当てる。
【０７６０】
上部ユニット２５１は、この状態から入出金搬送ユニット１６が他回転方向へさらに回転すると、その回転に伴い開閉制御ステー２０９の開閉用係合孔部２０９Ａの前端を係合突起２１１に突き当てたまま、当該開閉制御ステー２０９を後側へ押すようにして変位させる。
【０７６１】
これにより上部ユニット２５１は、入出金搬送ユニット１６の他回転方向への回転に連動させて一時保持部２５２も、その後端部を後斜め下側へ押し下げるようにして他回転方向へ回転させる。
【０７６２】
また上部ユニット２５１は、この際、一時保持部２５２の他回転方向への回転に伴い、その一時保持部２５２により一時保持部ステー２５６を後斜め下側へ押すようにして変位させる。
【０７６３】
よって上部ユニット２５１は、一時保持部ステー２５６を、その後斜め下側への変位に応じてステー支持軸２５８を中心にして一回転方向へ回転させながら、一時保持用係合孔部２６０ＡＸ内で当該一時保持部ステー２５６の係合突起を後側へ摺動（すなわち、移動）させる。
【０７６４】
そして上部ユニット２５１は、例えば、入出金ユニット用係合孔部１７０ＢＹの後端に入出金ユニットステー２０７の係合突起が突き当たり又は近接すると共に、一時保持用係合孔部２６０ＡＸの後端に一時保持部ステー２５６の係合突起が突き当たり又は近接すると、入出金搬送ユニット１６の他回転方向への回転を停止させると共に、一時保持部２５２の他回転方向への回転も停止させる。
【０７６５】
このようにして上部ユニット２５１は、入出金搬送ユニット１６に対する閉操作に応じて、当該入出金搬送ユニット１６を、入出金ユニット本体部１６Ａをほぼ水平にして閉じると共に、その入出金ユニット本体部１６Ａと上部フレーム２６０の底板２６０Ｂとの間で一時保持部２５２をほぼ水平にして閉じることができる。
【０７６６】
因みに、上部ユニット２５１は、この際、入出金ユニット用係合孔部１７０ＢＹの後端部において入出金ユニットステー２０７の係合突起を後側絞り部の後に位置させることにより、入出金搬送ユニット１６が閉じた状態を維持することができる。
【０７６７】
また上部ユニット２５１は、この際、一時保持用係合孔部２６０ＡＸの後端部において一時保持部ステー２５６の係合突起を後側絞り部の後に位置させることにより、一時保持部２５２が閉じた状態を維持することができる。
【０７６８】
そして上部ユニット２５１は、このように入出金搬送ユニット１６及び一時保持部２５２を閉じた場合、切換搬送路１４Ａに上側繰出搬送路２０Ａ、上側取込搬送路２０Ｂ及び一時保持部２５２の紙幣の取込繰出部分を接続することができる。
【０７６９】
また上部ユニット２５１は、このように入出金搬送ユニット１６及び一時保持部２５２を閉じた場合、切換搬送路１４Ａのリジェクト用分岐部分を紙幣（すなわち、リジェクト紙幣）の搬送が可能な状態に戻すことができる。
【０７７０】
（２−４）第２の実施の形態の動作及び効果
以上の構成において、紙幣処理装置２５０では、上述した第１の実施の形態による紙幣処理装置１（図１乃至図２８）の構成に加えて、上部ユニット２５１に一時保持部２５２の開角度を規制して、当該一時保持部２５２が一時保持部開角度で開いた状態を維持するための一時保持角度規制部２５５を設けるようにした。
【０７７１】
従って紙幣処理装置２５０は、作業者により切換搬送路１４Ａ、上側繰出搬送路２０Ａ、上側取込搬送路２０Ｂ及び一時保持部１３からジャム紙幣が取り除かれる際、入出金搬送ユニット１６及び一時保持部１３を手で支えなくても開いた状態をより確実に維持することができる。
【０７７２】
以上の構成によれば、紙幣処理装置２５０は、上述した第１の実施の形態による紙幣処理装置１の構成に加えて、上部ユニット２５１に一時保持部２５２用の一時保持角度規制部２５５を設けるようにした。
【０７７３】
これにより紙幣処理装置２５０は、上述した第１の実施の形態によって得られる効果と同様の効果を得ることができると共に、これに加えて、作業者により切換搬送路１４Ａ、上側繰出搬送路２０Ａ、上側取込搬送路２０Ｂ及び一時保持部１３からジャム紙幣が取り除かれる際、入出金搬送ユニット１６及び一時保持部１３を手で支えなくても開いた状態をより確実に維持することができる。
【０７７４】
よって紙幣処理装置２５０は、作業者に切換搬送路１４Ａ、上側繰出搬送路２０Ａ、上側取込搬送路２０Ｂ及び一時保持部１３から、より安全にジャム紙幣を取り除かせることができる。
【０７７５】
（３）他の実施の形態
（３−１）他の実施の形態１
なお上述した第１及び第２の実施の形態においては、複数の双方向受渡部４０乃至４４に一対の前側可動ガイド７２及び後側可動ガイド７３をそれぞれ回動可能に設けると共に、当該前側可動ガイド７２及び後側可動ガイド７３を左側連結板８１及び右側連結板８２を介して連結して互いの一面を平行にしたまま回動させるようにした場合について述べた。
【０７７６】
しかしながら本発明は、これに限らず、例えば、図３２（Ａ）及び（Ｂ）に示すように、一対の受渡ガイド２９０、２９１の一方に他方を互いの一面を平行にしたまま固定し、当該一対の受渡ガイド２９０、２９１を１本の回動軸２９２を中心にして回動可能に設けるようにしても良い。
【０７７７】
本発明は、係る構成によれば、双方向受渡部において一対の受渡ガイド２９０、２９１を回動させるための構成を簡易化することができる。
【０７７８】
（３−２）他の実施の形態２
また上述した第１及び第２の実施の形態においては、複数の双方向受渡路４０Ａ乃至４４Ａと、複数の紙幣収納庫２９乃至３３の取込繰出搬送路２９ＡＸ乃至３３ＡＸとの接続用の位置決めに左側位置決めピン８７及び右側位置決めピン８８と、左側位置決め孔部１４０Ｃ及び左側位置決め孔部１４０Ｃを用いるようにした場合について述べた。
【０７７９】
しかしながら本発明は、これに限らず、複数の双方向受渡部４０乃至４４において、前側可動ガイド７２及び後側可動ガイド７３の下側にも、当該前側可動ガイド７２及び後側可動ガイド７３と同様構成の一対の受渡ガイドを設ける。
【０７８０】
そして本発明は、複数の双方向受渡路４０Ａ乃至４４Ａと、複数の紙幣収納庫２９乃至３３の取込繰出搬送路２９ＡＸ乃至３３ＡＸとの接続用の位置決めを、当該複数の双方向受渡路４０Ａ乃至４４Ａと、切換搬送路１４Ａ及び後側搬送路１８Ａの対応する接続用分岐部分との接続用の位置決めと同様に行うようにしても良い。
【０７８１】
本発明は、係る構成によっても、複数の双方向受渡路４０Ａ乃至４４Ａを複数の取込繰出搬送路２９ＡＸ乃至３３ＡＸと高精度に位置決めして接続することができる。
【０７８２】
（３−３）他の実施の形態３
さらに上述した第１及び第２の実施の形態においては、切換搬送部１４及び後側搬送部１８の複数の搬送路接続部分にそれぞれ一対の接続部分前ガイド１２０及び接続部分後ガイド１２１を固設し、複数の双方向受渡部４０乃至４４に前側可動ガイド７２及び後側可動ガイド７３を設けるようにした場合について述べた。
【０７８３】
しかしながら本発明は、これに限らず、切換搬送部１４及び後側搬送部１８の複数の搬送路接続部分にそれぞれ一対の搬送ガイドを互いの一面を平行にしたまま回動可能に設け、複数の双方向受渡部４０乃至４４に前側可動ガイド７２及び後側可動ガイド７３に換えて一対の受渡ガイドを固設するようにしても良い。
【０７８４】
すなわち、本発明は、装置筐体２に上部ユニット１０、２５１が収納される際、切換搬送部１４及び後側搬送部１８の複数の搬送路接続部分それぞれの一対の搬送ガイドを適宜回転させて、複数の双方向受渡部４０乃至４４の一対の受渡ガイドに対し位置決めしたうえで嵌合させるようにしても良い。
【０７８５】
本発明は、係る構成によっても、複数の双方向受渡路４０Ａ乃至４４Ａと切換搬送路１４Ａ及び後側搬送路１８Ａの複数の接続用分岐部分とを高精度に位置決めして接続することができる。
【０７８６】
（３−４）他の実施の形態４
さらに上述した第１及び第２の実施の形態においては、上部ユニット１０、２５１において搬送ユニットガイド部１５Ｂを単に回動可能に設けるようにした場合について述べた。
【０７８７】
しかしながら本発明は、これに限らず、上部ユニット１０、２５１に、搬送ユニットガイド部１５Ｂの開角度を規制して、当該搬送ユニットガイド部１５Ｂが所定の開角度で開いた状態を維持するための開角度規制部を設けるようにしても良い。
【０７８８】
本発明は、係る構成によれば、作業者により後側搬送路１８Ａからジャム紙幣が取り除かれる際、搬送ユニットガイド部１５Ｂを手で支えなくても開いた状態を維持することができ、作業効率をさらに向上させ得ると共に、作業者の負担をさらに軽減させることができる。
【０７８９】
（３−５）他の実施の形態５
さらに上述した第１及び第２の実施の形態においては、上部ユニット１０、２５１に上部フレーム１７０、２６０を設けるようにした場合について述べた。
【０７９０】
しかしながら本発明は、これに限らず、上部ユニット１０、２５１においてユニット載置部５０を上部フレームとして用いるようにしても良い。
【０７９１】
すなわち、本発明は、上部ユニット１０、２５１においてユニット載置部５０に切換搬送部１４や鑑別搬送ユニット１５等を直接設けると共に、搬送ユニット角度規制部２００や入出金ユニット角度規制部２０１等を直接設けるようにしても良い。
【０７９２】
本発明は、係る構成によれば、上部ユニット１０、２５１の構成を、上述した第１及び第２の実施の形態に比して簡易化することができる。
【０７９３】
（３−６）他の実施の形態６
さらに上述した第１及び第２の実施の形態においては、紙幣処理装置１、２５０で紙幣を一方の長辺を搬送方向に向けて搬送するようにした場合について述べた。
【０７９４】
しかしながら本発明は、これに限らず、紙幣処理装置１、２５０で紙幣を一方の短辺を搬送方向に向けて搬送するようにしても良い。
【０７９５】
（３−７）他の実施の形態７
さらに上述した第１及び第２の実施の形態においては、金庫筐体２６にリジェクト庫２８を収納するようにした場合について述べた。
【０７９６】
しかしながら本発明は、これに限らず、リジェクト庫２８を例えば、上部ユニット１０、２５１のように金庫筐体２６の外部に設けるようにしても良い。
【０７９７】
（３−８）他の実施の形態８
さらに上述した第１及び第２の実施の形態においては、本発明による紙葉類取扱装置を、図１乃至図３２について上述した紙幣処理装置１、２５０に適用するようにした場合について述べた。
【０７９８】
しかしながら本発明は、これに限らず、紙幣を取り扱う現金自動預払機（ATM：Automatic  Teller  Machine）、現金自動支払機（CD：Cash  Dispenser）、出金専用機、入金専用機、両替機、電車の切符や観劇のチケット等を販売する券売機、精算機、自動販売機、パチンコ台やスロット台のような遊戯機や、有価証券を扱う有価証券取扱装置等のように、この他種々の紙葉類を扱う紙葉類取扱装置に広く適用することができる。
【０７９９】
（３−９）他の実施の形態９
さらに上述した第１及び第２の実施の形態においては、内部に紙葉類収納庫が設けられる金庫筐体として、図１乃至図３２について上述した金庫筐体２６を適用するようにした場合について述べた。
【０８００】
しかしながら本発明は、これに限らず、紙幣処理装置１、２５０の背面側に金庫扉が設けられる金庫筐体や、リジェクト庫２８は設けずに入出金用の紙幣を収納する１又は複数の紙幣収納庫が設けられる金庫筐体等のように、この他種々の構成の金庫筐体を広く適用することができる。
【０８０１】
（３−１０）他の実施の形態１０
さらに上述した第１及び第２の実施の形態においては、金庫筐体の内部に設けられる紙葉類収納庫として、図１乃至図３２について上述した紙幣収納庫２９乃至３３を適用するようにした場合について述べた。
【０８０２】
しかしながら本発明は、これに限らず、紙幣の補充回収用の紙幣収納庫や、有価証券を収納する有価証券収納庫、紙葉類の収納専用の紙葉類収納庫、紙葉類の繰出専用の紙葉類収納庫等のように、この他種々の構成の紙葉類収納庫を広く適用することができる。
【０８０３】
（３−１１）他の実施の形態１１
さらに上述した第１及び第２の実施の形態においては、本装置に対し引出及び収納可能に設けられ、紙葉類を処理する処理ユニットとして、図１乃至図３２について上述した上部ユニット１０、２５１を適用するようにした場合について述べた。
【０８０４】
しかしながら本発明は、これに限らず、紙幣の入金処理及び出金処理の一方のみを実行する上部ユニットや、リジェクト庫が設けられた上部ユニット等のように、この他種々の構成の処理ユニットを広く適用することができる。
【０８０５】
（３−１２）他の実施の形態１２
さらに上述した第１及び第２の実施の形態においては、紙葉類を処理する処理ユニットが引出及び収納可能に設けられる装置として、図１乃至図３２について上述した紙幣処理装置１、２５０を適用するようにした場合について述べた。
【０８０６】
しかしながら本発明は、これに限らず、現金自動預払機や現金自動支払機、有価証券取扱装置、上部ユニットが装置背面側へ引出及び収納可能に設けられる装置等のように、この他種々の構成の装置を広く適用することができる。
【０８０７】
（３−１３）他の実施の形態１３
さらに上述した第１及び第２の実施の形態においては、処理ユニットが処理する紙葉類として、図１乃至図３２について上述した紙幣を適用するようにした場合について述べた。
【０８０８】
しかしながら本発明は、これに限らず、有価証券のように、この他種々の紙葉類を広く適用することができる。
【０８０９】
（３−１４）他の実施の形態１４
さらに上述した第１及び第２の実施の形態においては、処理ユニットに設けられ、紙葉類を搬送するための搬送路を形成する搬送部として、図１乃至図３２について上述した切換搬送部１４及び後側搬送部１８を適用するようにした場合について述べた。
【０８１０】
しかしながら本発明は、これに限らず、切換搬送部１４及び後側搬送部１８の何れか一方のみや、鑑別部１７とは別に設けられる搬送部、紙幣を一の搬送方向へのみ搬送する搬送部、リジェクト用分岐部分を形成するフレーム側切換搬送部１４Ｙ及び一時保持側切換搬送部１４Ｚを有さない切換搬送部等のように、この他種々の構成の搬送部を広く適用することができる。
【０８１１】
（３−１５）他の実施の形態１５
さらに上述した第１及び第２の実施の形態においては、金庫筐体の天板に設けられ、紙葉類収納庫と搬送路との間で紙葉類を受け渡すための受渡部として、図１乃至図３２について上述した双方向受渡部４０乃至４４を適用するようにした場合について述べた。
【０８１２】
しかしながら本発明は、これに限らず、紙幣を搬送部から紙葉類収納庫へのみ、また紙葉類収納庫から搬送部へのみ受け渡す受渡部等のように、この他種々の構成の受渡部を広く適用することができる。
【０８１３】
（３−１６）他の実施の形態１６
さらに上述した第１及び第２の実施の形態においては、本装置に処理ユニットが収納される際、受渡部と搬送路とを接続用に位置決めする位置決め部として、図１乃至図３２について上述した回転制御レバー８５及び押付アーム１１５からなる上側位置決め部１１６を適用するようにした場合について述べた。
【０８１４】
しかしながら本発明は、これに限らず、位置決めピン及び位置決め孔部からなる位置決め部のように、この他種々の構成の位置決め部を広く適用することができる。
【０８１５】
（３−１７）他の実施の形態１７
さらに上述した第１及び第２の実施の形態においては、処理ユニットに固定される固定搬送部として、図１乃至図３２について上述した切換搬送部１４を適用するようにした場合について述べた。
【０８１６】
しかしながら本発明は、これに限らず、切換搬送部１４及び搬送ユニット固定部１５Ｃや、リジェクト用分岐部分を形成するフレーム側切換搬送部１４Ｙ及び一時保持側切換搬送部１４Ｚを有さない切換搬送部、リジェクト庫が直接接続される切換搬送部、外径が比較的大きな搬送ローラを設けずに構成される切換搬送部等のように、この他種々の構成の固定搬送部を広く適用することができる。
【０８１７】
（３−１８）他の実施の形態１８
さらに上述した第１及び第２の実施の形態においては、処理ユニットに開閉可能に設けられる開閉搬送部として、図１乃至図３２について上述した後側搬送部１８を適用するようにした場合について述べた。
【０８１８】
しかしながら本発明は、これに限らず、鑑別部１７とは別に設けられる開閉搬送部や、搬送ユニットガイド部が固設される搬送ユニット本体部等のように、この他種々の構成の開閉搬送部を広く適用することができる。
【０８１９】
（３−１９）他の実施の形態１９
さらに上述した第１及び第２の実施の形態においては、開閉搬送部の開角度を規制して、当該開閉搬送部が所定の開角度で開いた状態を維持するための開閉搬送部用の開角度規制部として、図１乃至図３２について上述した搬送ユニット角度規制部２００を適用するようにした場合について述べた。
【０８２０】
しかしながら本発明は、これに限らず、折畳可能なステーが設けられる開角度規制部やステーに換えて油圧ダンパが設けられる開角度規制部等のように、この他種々の構成の開角度規制部を広く適用することができる。
【０８２１】
（３−２０）他の実施の形態２０
さらに上述した第１及び第２の実施の形態においては、処理ユニットに、固定搬送部を境にして開閉搬送部が設けられた側とは反対側に設けられて切換搬送路に接続され、当該切換搬送路を介して搬送される紙葉類を一時的に保持する一時保持部として、図１乃至図３２について上述した一時保持部１３を適用するようにした場合について述べた。
【０８２２】
しかしながら本発明は、これに限らず、上部ユニットに引出及び収納可能に設けられる一時保持部や、紙幣収納庫のように取込繰出搬送部が設けられ、紙幣を一時的に収納する収納庫のように、この他種々の構成の一時保持部を広く適用することができる。
【０８２３】
（３−２１）他の実施の形態２１
さらに上述した第１及び第２の実施の形態においては、処理ユニットにおいて一時保持部及び固定搬送部の上側に設けられ、紙葉類を搬送するための上側搬送路を形成して、当該上側搬送路が切換搬送路に接続される上側搬送部として、図１乃至図３２について上述した入出金搬送ユニット１６に設けられた上側搬送部２０を適用するようにした場合について述べた。
【０８２４】
しかしながら本発明は、これに限らず、入出金部１９とは別に設けられる上側搬送部や、紙幣の入金用又は出金用の１系統の搬送路のみを形成する上側搬送部等のように、この他種々の構成の上側搬送部を広く適用することができる。
【０８２５】
（３−２２）他の実施の形態２２
さらに上述した第１及び第２の実施の形態においては、上側搬送部の開閉に連動させて一時保持部を開閉する開閉制御部として、図１乃至図３２について上述した開閉制御部２０２を適用するようにした場合について述べた。
【０８２６】
しかしながら本発明は、これに限らず、入出金搬送ユニット１６の開閉に連動して回転するギアを介して一時保持部を開閉する開閉制御部のように、この他種々の構成の開閉制御部を広く適用することができる。
【０８２７】
（３−２３）他の実施の形態２３
さらに上述した第１及び第２の実施の形態においては、上側搬送部の開角度を規制して、当該上側搬送部が所定の開角度で開いた状態を維持するための上側搬送部用の開角度規制部として、図１乃至図３２について上述した入出金ユニット角度規制部２０１を適用するようにした場合について述べた。
【０８２８】
しかしながら本発明は、これに限らず、折畳可能なステーが設けられる開角度規制部やステーに換えて油圧ダンパが設けられる開角度規制部等のように、この他種々の構成の開角度規制部を広く適用することができる。
【０８２９】
（３−２４）他の実施の形態２４
さらに上述した第１及び第２の実施の形態においては、一時保持部の開角度を規制して、当該一時保持部が所定の開角度で開いた状態を維持するための一時保持部用の開角度規制部として、図１乃至図３２について上述した一時保持角度規制部２５５を適用するようにした場合について述べた。
【０８３０】
しかしながら本発明は、これに限らず、折畳可能なステーが設けられる開角度規制部やステーに換えて油圧ダンパが設けられる開角度規制部等のように、この他種々の構成の開角度規制部を広く適用することができる。
【０８３１】
（３−２５）他の実施の形態２５
さらに上述した第１及び第２の実施の形態においては、所定の間隔で平行に配置され、間に搬送路の受渡部との接続用分岐部分を形成すると共に、当該受渡部側の端部が所定形状の一対の搬送ガイドとして、図１乃至図３２について上述した切換搬送部１４及び後側搬送部１８に設けられる接続部分前ガイド１２０及び接続部分後ガイド１２１を適用するようにした場合について述べた。
【０８３２】
しかしながら本発明は、これに限らず、、平行なまま回動可能な一対の搬送ガイドや、後側搬送部１８にのみ設けられる一対の搬送ガイド等のように、この他種々の構成の一対の搬送ガイドを広く適用することができる。
【０８３３】
（３−２６）他の実施の形態２６
さらに上述した第１及び第２の実施の形態においては、一対の搬送ガイドの間隔で平行にされ、搬送路の接続用分岐部分側の端部が一対の搬送ガイドの端部と嵌合可能な所定形状の一対の受渡ガイドとして、図１乃至図３２について上述した双方向受渡部４０乃至４４に設けられる断面略Ｊ字状の前側可動ガイド７２及び後側可動ガイド７３を適用するようにした場合について述べた。
【０８３４】
しかしながら本発明は、これに限らず、図３２について上述した一対の受渡ガイド２９０、２９１や平板状の一対の受渡ガイドのように、この他種々の構成の一対の受渡ガイドを広く適用することができる。
【０８３５】
（３−２７）他の実施の形態２７
さらに上述した第１及び第２の実施の形態においては、一対の受渡ガイドを平行にしたまま、一対の搬送ガイドの位置に応じて回動可能なように支持する支持部として、図１乃至図３２について上述した双方向受渡部４０乃至４４の受渡部筐体６０、前側ローラ軸６３及び後側ローラ軸６４を適用するようにした場合について述べた。
【０８３６】
しかしながら本発明は、これに限らず、ローラ軸と別に受渡ガイドの回転専用に設けられる可動軸を有する筐体等のように、この他種々の構成の支持部を広く適用することができる。
【０８３７】
（３−２８）他の実施の形態２８
さらに上述した第１及び第２の実施の形態においては、一対の受渡ガイドの回転を制御するための回転制御レバーとして、図１乃至図３２について上述した双方向受渡部４０乃至４４の回転制御レバー８５を適用するようにした場合について述べた。
【０８３８】
しかしながら本発明は、これに限らず、例えば前側可動ガイド７２に取り付けられ、切換搬送部１４及び後側搬送部１８の移動に応じて引っ掛けられて後側に引っ張られるような回転制御レバーのように、この他種々の構成の回転制御レバーを広く適用することができる。
【０８３９】
（３−２９）他の実施の形態２９
さらに上述した第１及び第２の実施の形態においては、本装置に処理ユニットが収納される際、一対の搬送ガイドの位置に応じて、回転制御レバーを介して一対の受渡ガイドを回転させるアームとして、図１乃至図３２について上述した押付アーム１１５を適用するようにした場合について述べた。
【０８４０】
しかしながら本発明は、これに限らず、切換搬送部１４及び後側搬送部１８の移動に応じて回転制御レバーに引っ掛けられて、当該回転制御レバーを後側に引っ張るアームのように、この他種々の構成のアームを広く適用することができる。
【産業上の利用可能性】
【０８４１】
本発明は、紙幣や有価証券等の紙葉類を扱う現金自動預払機や有価証券取扱装等の紙葉類取扱装置に利用することができる。
【符号の説明】
【０８４２】
１、２５０……紙幣処理装置、２……装置筐体、１０、２５１……上部ユニット、１３、２５２……一時保持部、１４……切換搬送部、１４Ａ……切換搬送路、１４Ｘ……切換搬送本体部、１４Ｙ……フレーム側切換搬送部、１４Ｚ……一時保持側切換搬送部、１５……鑑別搬送ユニット、１５Ａ……搬送ユニット本体部、１５Ｂ……搬送ユニットガイド部、１５Ｃ……搬送ユニット固定部、１８……後側搬送部、１８Ａ……後側搬送路、２０……上側搬送部、２０Ａ……上側繰出搬送路、２０Ｂ……上側取込搬送路、２６……金庫筐体、２６Ａ……金庫天板、２９乃至３３……紙幣収納庫、２９Ａ乃至３３Ａ……収納庫搬送部、２９ＡＸ乃至３３ＡＸ……取込繰出搬送路、４０乃至４４……双方向受渡部、４０Ａ乃至４４Ａ……双方向受渡路、６０……受渡部筐体、６３……前側ローラ軸、６４……後側ローラ軸、７２……前側可動ガイド、７３……後側可動ガイド、８１……左側連結板、８２……右側連結板、８５……回転制御レバー、１１５……押付アーム、１１６……上側位置決め部、２００……搬送ユニット角度規制部、２０１……入出金ユニット角度規制部、２０２……回転制御部、２５５……一時保持角度規制部、２９０、２９１……受渡ガイド。
【図１】
2014123222.tif 000003
【図２】
2014123222.tif 000004
【図３】
2014123222.tif 000005
【図４】
2014123222.tif 000006
【図５】
2014123222.tif 000007
【図６】
2014123222.tif 000008
【図７】
2014123222.tif 000009
【図８】
2014123222.tif 000010
【図９】
2014123222.tif 000011
【図１０】
2014123222.tif 000012
【図１１】
2014123222.tif 000013
【図１２】
2014123222.tif 000014
【図１３】
2014123222.tif 000015
【図１４】
2014123222.tif 000016
【図１５】
2014123222.tif 000017
【図１６】
2014123222.tif 000018
【図１７】
2014123222.tif 000019
【図１８】
2014123222.tif 000020
【図１９】
2014123222.tif 000021
【図２０】
2014123222.tif 000022
【図２１】
2014123222.tif 000023
【図２２】
2014123222.tif 000024
【図２３】
2014123222.tif 000025
【図２４】
2014123222.tif 000026
【図２５】
2014123222.tif 000027
【図２６】
2014123222.tif 000028
【図２７】
2014123222.tif 000029
【図２８】
2014123222.tif 000030
【図２９】
2014123222.tif 000031
【図３０】
2014123222.tif 000032
【図３１】
2014123222.tif 000033
【図３２】
2014123222.tif 000034